(57)【要約】【課題】実施の形態は、送信方法を提供する。【解決手段】方法は、データ送信機からデータ受信機に第１のクラスのデータを転送するステップを含み、第１のクラスのデータは、第１のホッピングパターンを用いて、第１の複数のサブデータパケット上に分割されて送信される。さらに、方法は、データ送信機、または、異なるデータ送信機からデータ受信機に、第２のクラスのデータを送信するステップを含み、第２のクラスのデータは、第２のホッピングパターンを用いて、第２の複数のサブデータパケット上に分割されて送信され、第１のホッピングパターンに従って送信された、サブデータパケットの間の送信休止は、第２のホッピングパターンに従って送信された、サブデータパケットの間の送信休止よりも小さい。【選択図】図１
2021510016.tif 000002
【特許請求の範囲】
【請求項１】
第１の複数のサブデータパケット上に第１のクラスのデータを分割し、及び第１のホッピングパターンを用いて、前記第１の複数のサブデータパケットを送信するように構成されたデータ送信機であって、
前記データ送信機は、第２の複数のサブデータパケット上に第２のクラスのデータを分割し、及び第２のホッピングパターンを用いて、前記第２の複数のサブデータパケットを送信するように構成されており、
前記第１のホッピングパターンに従って送信された、サブデータパケットの間の送信休止は、前記第２のホッピングパターンに従って送信された、サブデータパケットの間の送信休止よりも小さく、および／または、前記第１のホッピングパターンに従って送信された、サブデータパケットは、前記第２のホッピングパターンに従って送信された、サブデータパケットよりも短いことを特徴とする、データ送信機。
【請求項２】
前記第１のクラスの前記データは、前記第２のクラスの前記データよりも、最大の送信継続時間に関する、より高い優先順位、および／または、より高い必要条件と、を備えることを特徴とする、請求項１に記載のデータ送信機。
【請求項３】
前記データ送信機は、第３の複数のサブデータパケット上に第３のクラスのデータを分割し、及び第３のホッピングパターンを用いて、前記第３の複数のサブデータパケットを送信するように構成されており、
前記第２のホッピングパターンに従って送信された、前記サブデータパケットの間の送信休止は、前記第３のホッピングパターンに従って送信された、サブデータパケットの間の送信休止よりも小さことを特徴とする、請求項１または請求項２のうちのいずれか１つに記載のデータ送信機。
【請求項４】
前記第２のクラスの前記データは、前記第３のクラスの前記データよりも、最大の送信継続時間に関する、より高い優先順位、および／または、より高い必要条件と、を備えることを特徴とする、請求項３に記載のデータ送信機
【請求項５】
前記データ送信機は、前記第１の複数のサブデータパケットのそれぞれが、前記第１のクラスの、または、前記第１のデータパケットの前記データの一部のみを備えるように、前記第１の複数のサブデータパケット上に、前記第１のクラスの前記データ、または、前記第１のクラスの前記データを備える第１のデータパケット、を分割するように構成されており、
前記データ送信機は、前記第２の複数のサブデータパケットのそれぞれが、前記第２のクラスの、または、前記第２のデータパケットの前記データの一部のみを備えるように、前記第２の複数のサブデータパケット上に、前記第２のクラスの前記データ、または、前記第２のクラスの前記データを備える第２のデータパケット、を分割するように構成されていることを特徴とする、請求項１ないし請求項３のうちのいずれか１つに記載のデータ送信機。
【請求項６】
前記第１の複数のサブデータパケットは、前記第２の複数のサブデータパケットよりも、少ないサブデータパケットを備えることを特徴とする、請求項１ないし請求項５のうちのいずれか１つに記載のデータ送信機。
【請求項７】
前記データ送信機は、前記第２のクラスの前記データよりも、より高いデータレート、または、異なる変調方法で、前記第１のクラスの前記データを送信するように構成されていることを特徴とする、請求項１ないし請求項６のうちのいずれか１つに記載のデータ送信機。
【請求項８】
前記データ送信機は、前記第１のホッピングパターンを用いて、前記第１のクラスの前記データの送信に時間的に同期した第１のメッセージを受信するように構成されており、及び前記データ送信機は、前記第２のホッピングパターンを用いて、前記第２のクラスの前記データの送信に時間的に同期した第２のメッセージを受信するように構成されており、
前記第１のホッピングパターンと前記第１のメッセージの間の時間間隔は、前記第２のホッピングパターンと、前記第２のメッセージの間の時間間隔よりも小さいことを特徴とする、請求項１ないし請求項７のうちのいずれか１つに記載のデータ送信機。
【請求項９】
前記第１のメッセージは、第１のダウンリンク・ホッピングパターンに従って、複数のサブデータパケット上に分割されて送信された第１のダウンリンク・メッセージであり、
前記第２のメッセージは、第２のダウンリンク・ホッピングパターンに従って、複数のサブデータパケット上に分割されて送信された第２のダウンリンク・メッセージであり、
前記第１のダウンリンク・ホッピングパターンによって送信された複数の前記サブデータパケットの間の送信休止は、前記第２のダウンリンク・ホッピングパターンによって送信された複数の前記サブデータパケットの間の送信休止よりも短いことを特徴とする、請求項８に記載のデータ送信機。
【請求項１０】
前記データ送信機は、前記第１のクラスの前記データを送信すると、データ受信機から、前記第１のクラスの前記データの成功した受信を明示する受信の確認を受信するように構成されていることを特徴とする、請求項１ないし請求項９のうちのいずれか１つに記載のデータ送信機。
【請求項１１】
前記データ送信機は、
‐前記第１のホッピングパターンを用いている前記第１のクラスの前記データ、
‐または、前記第２のホッピングパターンを用いている前記第２のクラスの前記データ、
の送信のための時間的に重複している受信の確認をデータ受信機から受信するように構成されており、
それによって、それぞれの前記ホッピングパターンに従って送信された、少なくとも１つのサブデータパケットは、前記データ受信機の前記受信の確認が送信される、ホッピングパターンの２つのデータパケットの間に配置されることを特徴とする、請求項１０に記載のデータ送信機。
【請求項１２】
前記データ送信機は、前記第１のクラスの前記データをチャンネル符号化し、及び前記第１のホッピングパターンを用いて、前記同じものを送信するように構成されており、
前記データ送信機は、エラーのない送信の中で、サブデータパケットの第１のグループのみが、前記第１のクラスの前記データの成功した復号化のために必要とされるように、及びエラーのない送信の中で、より高い符号化利得が、サブデータパケットの前記第１のグループ及びサブデータパケットの第２のグループの組み合わせを通じて達成されるように、前記第１の複数のサブデータパケット上に前記第１のクラスの前記チャンネル符号化されたデータを割り振るように構成されており、
サブデータパケットの前記第１のグループは、サブデータパケットの前記第２のグループよりも時間的に前に、送信されることを特徴とする、請求項１ないし請求項１１のうちのいずれか１つに記載のデータ送信機。
【請求項１３】
前記第１のクラスの前記データは、コア情報と拡張情報とを備え、前記データ送信機は、サブデータパケットの第１のグループが、前記コア情報を備え、及びサブデータパケットの第２のグループが、前記拡張情報を備えるのと同様に、前記第１の複数のサブデータパケット上に前記第１のクラスの前記データを分割するように構成されており、サブデータパケットの前記第１のグループは、サブデータパケットの前記第２のグループの時間的に前に、送信されることを特徴とする、請求項１ないし請求項１２のうちのいずれか１つに記載のデータ送信機。
【請求項１４】
前記データ送信機は、前記データ送信機のアドレス情報、または、そこから導出された情報を用いて、前記第１のホッピングパターンを計算するように構成されており、それによって、前記第１のホッピングパターンそれ自身は、前記データ送信機を識別することを特徴とする、請求項１ないし請求項１３のうちのいずれか１つに記載のデータ送信機。
【請求項１５】
前記データ送信機は、前記データ送信機の時間依存性の、または、イベント依存性の情報を用いて、前記第１のホッピングパターンを計算するように構成されていることを特徴とする、請求項１４に記載のデータ送信機。
【請求項１６】
前記データ送信機は、データ受信機に、あらかじめ、前記第１のホッピングパターンについての、符号化された、または、暗号化された情報を送信するように構成されていることを特徴とする、請求項１４または請求項１５のうちのいずれか１つに記載のデータ送信機。
【請求項１７】
前記第１のホッピングパターンは、基地局によって、前記データ受信機に割り当てられることを特徴とする、請求項１ないし請求項１６のうちのいずれか１つに記載のデータ送信機。
【請求項１８】
前記データ送信機は、通信ネットワークの基地局から、前記通信ネットワークの範囲内で、前記データ送信機を明確に識別しているアドレス情報よりも短いショートアドレス情報を取得して、及び前記第１のホッピングパターンで送信しているときには、前記同じものを用いるように構成されていることを特徴とする、請求項１ないし請求項１７のうちのいずれか１つに記載のデータ送信機。
【請求項１９】
前記第１のホッピングパターンは、使用周波数、および／または、優先順位に従って、基地局によって、前記データ送信機に割り当てられることを特徴とする、請求項１ないし請求項１８のうちのいずれか１つに記載のデータ送信機。
【請求項２０】
前記データ送信機は、エラーのある送信の中で、より高い符号化利得が、サブデータパケットの前記第１のグループ及びサブデータパケットの前記第２のグループの組み合わせを通じて達成されるように、前記第１の複数のサブデータパケット上に前記第１のクラスの前記チャンネル符号化されたデータを割り振るように構成されていることを特徴とする、請求項１９に記載のデータ送信機。
【請求項２１】
データをチャンネル符号化し、及び複数のサブデータパケット上に前記同じものを分割し、及びホッピングパターンに従って、前記第１の複数のサブデータパケットを送信するように構成されたデータ送信機であって、
前記データ送信機は、エラーのない送信で、サブデータパケットの第１のグループだけが、前記データの成功した復号化のために必要とされるように、前記データをチャンネル符号化し、及び前記同じものを前記複数のサブデータパケット上に分割するように構成されており、
サブデータパケットの前記第１のグループの前記サブデータパケット間の送信休止は、サブデータパケットの前記第１のグループの後に送信される、サブデータパケットの第２のグループのサブデータパケット間の送信休止よりも小さいことを特徴とする、データ送信機。
【請求項２２】
データを複数のサブデータパケット上に分割し、及び第１のホッピングパターンを用いて、複数の前記サブデータパケットを送信するように構成されたデータ送信機であって、前記データ送信機は、第２のホッピングパターンを用いて、複数の前記サブデータパケットを繰り返し送信するように構成されており、
前記第１のホッピングパターンに従って送信されたサブデータパケット間の送信休止は、前記第２のホッピングパターンに従って送信されたサブデータパケット間の送信休止よりも小さいことを特徴とする、データ送信機。
【請求項２３】
前記第１のホッピングパターンは、２つの分離された周波数帯域の全体に広がっていることを特徴とする、請求項２２に記載のデータ送信機。
【請求項２４】
前記データ送信機は、２つの分離した周波数帯域で、２回、前記第１のホッピングパターンを用いて、前記データを送信するように構成されていることを特徴とする、請求項１ないし請求項２３のうちのいずれか１つに記載のデータ送信機。
【請求項２５】
前記データ送信機は、２つの分離した周波数帯域で、前記第２のホッピングパターンを用いて、前記データを送信するように構成されていることを特徴とする、請求項１ないし請求項２４のうちのいずれか１つに記載のデータ送信機。
【請求項２６】
前記データ送信機は、２つの分離した周波数帯域で、２回、前記第２のホッピングパターンを用いて、前記データを送信するように構成されていることを特徴とする、請求項１ないし請求項２５のうちのいずれか１つに記載のデータ送信機。
【請求項２７】
前記データ送信機は、前記第１のホッピングパターンを用いて、及び前記第２のホッピングパターンを繰り返し用いて、前記データをインターリーブされた方法で送信するように構成されており、それによって、前記第２のホッピングパターンに従って送信された、少なくとも１つのサブデータパケットは、前記第１のホッピングパターンに従って送信された、２つのサブデータパケットの間に配置されることを特徴とする、請求項１ないし請求項２６のうちのいずれか１つに記載のデータ送信機。
【請求項２８】
データパケットを用いて、第１のクラスのデータを送信するように構成されたデータ送信機であって、前記データ送信機は、複数のサブデータパケットを用いて、前記データを繰り返し送信するように構成されており、複数の前記サブデータパケットは、第１のホッピングパターンに従って、送信されることを特徴とする、データ送信機。
【請求項２９】
前記データ送信機は、さらに、さらなるデータパケットを用いて、前記第１のクラスの前記データを繰り返し送信するように構成されることを特徴とする、請求項２８に記載のデータ送信機。
【請求項３０】
前記データ送信機は、前記さらなるデータパケットを用いて、及び複数の前記サブデータパケットを用いて、前記第１のクラスの前記データを時間的にインターリーブされた方法で、送信するように構成されており、それによって、前記さらなるデータパケットは、複数の前記サブデータパケットのうちの２つの間に時間的に配置されることを特徴とする、請求項２９に記載のデータ送信機。
【請求項３１】
前記データ送信機は、前記時間間隔内に、データ受信機からの受信の確認の受信が可能なほどのサイズを有するために、前記データパケットの前記送信と、複数の前記サブデータパケットの間の時間間隔を選択するように構成されることを特徴とする、請求項２８ないし請求項３０のうちのいずれか１つに記載のデータ送信機。
【請求項３２】
データ送信機は、第２の複数のサブデータパケット上に第２のクラスのデータを分割し、及び第２のホッピングパターンを用いて、前記第２の複数のサブデータパケットを送信するように構成されており、
前記第１のホッピングパターンに従って送信された、前記サブデータパケットの間の送信休止は、前記第２のホッピングパターンに従って送信された、前記サブデータパケットの間の送信休止よりも小さいことを特徴とする、請求項２１ないし請求項３１のうちのいずれか１つに記載のデータ送信機。
【請求項３３】
前記第１のホッピングパターンは、互いの時間がシフトした、および／または、周波数がシフトしたバージョンである、複数のサブホッピングパターンを備え、
前記データ送信機は、複数の前記サブホッピングパターンに従って、前記第１の複数のサブデータパケットを送信するように構成されており、
複数の前記サブホッピングパターンは、異なるサブホッピングパターンに割り当てられたサブデータパケットが、交互に送信されるように、互いに、インターリーブされていることを特徴とする、請求項１ないし請求項３２のうちのいずれか１つに記載のデータ送信機。
【請求項３４】
前記データ送信機は、データ受信機で、前記第１の複数のサブデータパケットと前記第２の複数のサブデータパケットの同期のための、同じ前記同期シーケンスを有する、前記第１の複数のサブデータパケット及び前記第２の複数のサブデータパケットを提供するように構成されていることを特徴とする、請求項３３に記載のデータ送信機。
【請求項３５】
第１のホッピングパターンを用いて、第１の複数のサブデータパケット上に分割されて送信された第１のクラスのデータを受信するように構成されたデータ受信機であって、
前記データ受信機は、第２のホッピングパターンを用いて、第２の複数のサブデータパケット上に分割されて送信された第２のクラスのデータを受信するように構成されており、
前記第１のホッピングパターンに従って受信されたサブデータパケット間の送信休止は、前記第２のホッピングパターンに従って受信されたサブデータパケットの間の送信休止よりも小さく、および／または、前記第１のホッピングパターンに従って送信されたサブデータパケットは、前記第２のホッピングパターンに従って送信されたサブデータパケットよりも短いことを特徴とする、データ受信機。
【請求項３６】
前記第１のクラスの前記データは、前記第３のクラスの前記データよりも、最大の送信継続時間について、より高い優先順位と、および／または、より高い必要条件と、を備えることを特徴とする、請求項３５に記載のデータ受信機。
【請求項３７】
前記データ受信機は、第３のホッピングパターンを用いて、第３の複数のサブデータパケット上に分割されて送信された第３のクラスのデータを受信するように構成されており、
前記第２のホッピングパターンに従って受信された、前記サブデータパケットの間の前記送信休止は、前記第３のホッピングパターンに従って受信された、サブデータパケットの間の送信休止よりも小さいことを特徴とする、請求項１ないし請求項３６のうちのいずれか１つに記載のデータ受信機。
【請求項３８】
前記第２のクラスの前記データは、前記第３のクラスの前記データよりも、最大の送信継続時間について、より高い優先順位と、および／または、より高い必要条件と、を備えることを特徴とする、請求項３７に記載のデータ受信機。
【請求項３９】
前記第１のクラスのデータまたは前記第１のクラスのデータを構成する第１のデータパケットが、前記第１のサブデータパケットの第１の複数のサブデータパケットの各々が前記第１のクラスのデータまたは前記第１のデータパケットの一部のみを構成するように、前記第１のサブデータパケットの第１の複数のサブデータパケットに分割され、前記データ受信機が、前記第１のクラスのデータを得るために、前記第１のサブデータパケットの第１の複数のサブデータパケットを受信して組み合わせるように構成されており、および／または、
前記第２のクラスのデータまたは前記第２のクラスのデータを構成する第２のデータパケットが、前記第２のサブデータパケットの前記第２の複数のサブデータパケットの各々が前記第２のクラスのデータまたは前記第２のデータパケットの一部のみを構成するように、前記第２のサブデータパケットの前記第２の複数のサブデータパケットに分割され、前記データ受信機が、前記第２のクラスのデータを得るために前記第２のサブデータパケットの前記第２の複数のサブデータパケットを受信して組み合わせるように構成されていることを特徴とする、請求項１ないし請求項３８のうちのいずれか１つに記載のデータ受信機。
【請求項４０】
前記第１の複数のサブデータパケットは、前記第２の複数のサブデータパケットよりも、より少ないサブデータパケットと、を備えることを特徴とする、請求項１ないし請求項３９のうちのいずれか１つに記載のデータ受信機。
【請求項４１】
前記第１のクラスの前記データは、前記第２のクラスの前記データよりも、より高いデータレートを用いて、または、異なる変調方法を用いて、転送されることを特徴とする、請求項１ないし請求項４０のうちのいずれか１つに記載のデータ受信機。
【請求項４２】
前記データ受信機は、前記第１のホッピングパターンを用いて、前記第１のクラスの前記データの受信に時間的に同期する第１のメッセージを送信するように構成されており、及び前記データ受信機は、前記第２のホッピングパターンを用いて、前記第２のクラスの前記データの受信に時間的に同期する第２のメッセージを送信するように構成されており、
前記第１のホッピングパターンと前記第１のメッセージの間の時間間隔は、前記第２のホッピングパターンと前記第２のメッセージの間の時間間隔よりも小さいことを特徴とする、請求項１ないし請求項４１のうちのいずれか１つに記載のデータ受信機。
【請求項４３】
前記第１のメッセージは、第１のダウンリンク・ホッピングパターンに従って、複数のサブデータパケット上に分割されて送信された第１のダウンリンク・メッセージであり、前記第２のメッセージは、第２のダウンリンク・ホッピングパターンに従って、複数のサブデータパケット上に分割されて送信された第２のダウンリンク・メッセージであり、前記第１のダウンリンク・ホッピングパターンによって転送された、前記複数のサブデータパケット間の送信休止は、前記第２のダウンリンク・ホッピングパターンによって送信された、前記複数のサブデータパケット間の送信休止よりも短いことを特徴とする、請求項４２に記載のデータ受信機。
【請求項４４】
前記データ受信機は、前記第１のクラスの前記データの成功した受信に応答して、前記第１のクラスの前記データの成功した受信を明示している、受信の確認を送信するように構成されており、
前記データ受信機は、前記第１のクラスの前記データのためだけであり、及び前記第２のクラスの前記データのためではなく、前記受信の確認を送信するように構成されていることを特徴とする、請求項１ないし請求項４３のうちのいずれか１つに記載のデータ受信機。
【請求項４５】
前記データ受信機は、前記第１のホッピングパターン、または、第２のホッピングパターンに従って転送された、少なくとも１つのサブデータパケットが、前記ホッピングパターンの２つのサブデータパケットの間に配置されるとともに、受信の確認が送信されるように、
ホッピングパターンを用いて、
‐前記第１のホッピングパターンを用いている、前記第１のクラスの前記データ
‐または、前記第２のホッピングパターンを用いている、前記第２のクラスの前記データ
の受信に時間的に重複する受信パターンの確認を送信するように構成されていることを特徴とする、請求項４４に記載のデータ受信機。
【請求項４６】
前記第１のクラスの前記データは、チャンネル符号化され、前記第１のクラスの前記チャンネルで符号化されたデータは、エラーのない送信の中で、サブデータパケットの第１のグループのみが、前記第１のクラスの前記データの成功した復号化のために必要とされるように、及びエラーのない送信の中で、より高い符号化利得が、サブデータパケットの前記第１のグループ及び第２のグループの組み合わせを通じて達成されるように、前記第１の複数のサブデータパケット上に割り振られ、サブデータパケットの前記第１のグループは、サブデータパケットの前記第２のグループよりも時間的に前に転送されるように構成されており、
前記データ受信機は、前記第１のクラスの前記データを得るために、サブデータパケットの前記第１のグループとともに受信された前記チャンネル符号化されたデータの第１の部分を復号化し、及び、もし、前記第１のクラスの前記データの復号化が成功しなければ、より高い符号化利得を達成するために、サブデータパケットの少なくとも第２のグループとともに受信された前記チャンネル符号化されたデータの少なくとも第２の部分を、前記チャンネル符号化されたデータの前記第１の部分と組み合わせるように、及び前記第１のクラスの前記データを得るために、同じものを復号化するように構成されていることを特徴とする、請求項１ないし請求項４５のうちのいずれか１つに記載のデータ受信機。
【請求項４７】
前記第１のクラスの前記データは、コア情報と、拡張情報と、を備え、サブデータパケットの第１のグループは、前記コア情報を備え、及びサブデータパケットの第２のグループは、前記拡張情報を備えるように、前記第１のクラスの前記データは、前記第１の複数のサブデータパケット上に分割され、サブデータパケットの前記第１のグループは、サブデータパケットの前記第２のグループよりも時間的に前に転送され、
前記データ受信機は、サブデータパケットの前記第１のグループを最初に受信し、及び
前記拡張情報の前に前記コア情報を得るために、サブデータパケットの前記第２のグループをその次に受信するように構成されていることを特徴とする、請求項１ないし請求項４６のうちのいずれか１つに記載のデータ受信機。
【請求項４８】
前記第１のホッピングパターンは、データ送信機のアドレス情報、または、そこから導出された情報を用いて計算され、それによって、前記第１のホッピングパターンそれ自身は、前記データ送信機を識別し、
前記データ受信機は、前記第１のホッピングパターンに基づいて、前記データ送信機を識別するように構成されていることを特徴とする、請求項１ないし請求項４７のうちのいずれか１つに記載のデータ受信機。
【請求項４９】
前記第１のホッピングパターンは、さらに、前記データ送信機の時間依存性の、または、さらに従属した情報を用いて、計算され、
前記時間依存性の、または、さらに従属した情報は、前記データ受信機に知られ、または、複数の前記サブデータパケット、または、異なるデータパケットのうちの少なくとも１つで暗号化されて、転送されることを特徴とする、請求項４８に記載のデータ送信機。
【請求項５０】
前記データ受信機は、前記データ送信機から、あらかじめ、前記第１のホッピングパターンについて符号化された、または、暗号化された情報を受信するように構成されていることを特徴とする、請求項４８ないし請求項４９のうちのいずれか１つに記載のデータ受信機。
【請求項５１】
前記データ受信機は、前記第１のホッピングパターンをデータ送信機に割り当てるように構成されていることを特徴とする、請求項１ないし請求項５０のうちのいずれか１つに記載のデータ受信機。
【請求項５２】
前記データ受信機は、データ送信機に、通信ネットワークの範囲内で、前記データ送信機を明確に識別するアドレス情報よりも短い、短いアドレス情報を割り当てるように構成されており、
前記データ受信機は、前記短い情報に基づいて、前記データ送信機を識別するように構成されていることを特徴とする、請求項１ないし請求項５１のうちのいずれか１つに記載のデータ受信機。
【請求項５３】
前記データ受信機は、使用する周波数、および／または、優先順位に従って、前記第１のホッピングパターンを、データ送信機に割り当てるように構成されていることを特徴とする、請求項１ないし請求項５２のうちのいずれか１つに記載のデータ受信機。
【請求項５４】
チャンネル符号化されたデータを受信するデータ受信機であって、前記チャンネル符号化されたデータは、複数のサブデータパケット上に分割され、及びホッピングパターンに従って割り振られて転送され、前記データは、エラーのない送信で、サブデータパケットの第１のグループだけが、前記データの成功した復号化のために必要とされるように、チャンネル符号化され、及び複数の前記サブデータパケット上に分割され、サブデータパケットの前記第１のグループの前記サブデータパケットの間の送信休止は、サブデータパケットの前記第１のグループよりも後に送信されたサブデータパケットの第２のグループのサブデータパケット間の送信休止よりも小さく、
前記データ受信機は、サブデータパケットの少なくとも前記第１のグループを受信し、及び前記データを得るためにサブデータパケットの前記第１のグループとともに受信された前記チャンネルで符号化されたデータの一部を復号化するように構成されていることを特徴とする、データ受信機。
【請求項５５】
前記データ受信機は、もし、前記データの復号化が成功しなかったら、より高い符号化利得を達成するために、サブデータパケットの少なくとも第２のグループとともに受信された前記チャンネル符号化されたデータの少なくとも第２の部分を、前記チャンネル符号化された前記第１の部分と組み合わせて、及び前記データを得るために、前記同じものを復号化するように構成されていることを特徴とする、請求項５４に記載のデータ受信機。
【請求項５６】
複数のサブデータパケット上に分割され、及び第１のホッピングパターンを用いて、及び第２のホッピングパターンを繰り返し用いて、転送されたデータを受信するように構成されたデータ受信機であって、
前記第１のホッピングパターンに従って転送されたサブデータパケットの間の送信休止は、前記第２のホッピングパターンに従って転送されたサブデータパケットの間の送信休止よりも小さいことを特徴とする、データ受信機。
【請求項５７】
前記第１のホッピングパターンは、２つの分離した周波数帯域の全体に広がることを特徴とする、請求項５６に記載のデータ受信機。
【請求項５８】
前記データ受信機は、２つの分離した周波数帯域で、２回、前記第１のホッピングパターンを用いて、前記データを受信するように構成されていることを特徴とする、請求項１ないし請求項５７のうちのいずれか１つに記載のデータ受信機。
【請求項５９】
前記データ受信機は、２つの分離した周波数帯域で、前記第２のホッピングパターンを用いて、前記データを受信するように構成されていることを特徴とする、請求項１ないし請求項５８のうちのいずれか１つに記載のデータ受信機。
【請求項６０】
前記データ受信機は、２つの分離した周波数帯域で、２回、前記第２のホッピングパターンを用いて、前記データを受信するように構成されていることを特徴とする、請求項１ないし請求項５９のうちのいずれか１つに記載のデータ受信機。
【請求項６１】
前記データ受信機は、前記第１のホッピングパターンを用いて、及び前記第２のホッピングパターンを繰り返し用いて、インターリーブ方法で、前記データを受信し、それによって、前記第２のホッピングパターンの少なくとも１つのホップは、前記第１のホッピングパターンの２つのホップの間に配置されることを特徴とする、請求項１ないし請求項５９のうちのいずれか１つに記載のデータ受信機。
【請求項６２】
データパケットを用いて転送された、第１のクラスのデータを受信するように構成されたデータ受信機であって、前記データ受信機は、第１のホッピングパターンに従って、複数のサブデータパケットを繰り返し用いて転送された、前記データを受信するように構成されていることを特徴とする、データ受信機。
【請求項６３】
前記データ受信機は、さらなるデータパケットを繰り返し用いて、前記第１のクラスの前記データを受信するように構成されていることを特徴とする、請求項６２に記載のデータ受信機。
【請求項６４】
前記データ受信機は、時間的なインターリーブ方法で、前記さらなるデータパケットを用いて、及び複数の前記サブデータパケットを用いて、前記第１のクラスの前記データを受信し、それによって、前記さらなるデータパケットは、複数の前記サブデータパケットのうちの２つの間に時間的に配置されることを特徴とする、請求項６３に記載のデータ受信機。
【請求項６５】
前記データ受信機は、前記データパケットの前記受信と、複数の前記サブデータパケットの間の時間間隔の間に、受信の確認を送信するように構成されていることを特徴とする、請求項１ないし請求項６４のうちのいずれか１つに記載のデータ受信機。
【請求項６６】
前記データ受信機は、第２のホッピングパターンを用いて、第２の複数のサブデータパケット上に分割されて転送された第２のクラスのデータを受信するように構成されており、
前記第１のホッピングパターンに従って送信された、２つのサブデータパケット間の送信休止は、前記第２のホッピングパターンに従って送信された、サブデータパケット間の送信休止よりも小さいことを特徴とする、請求項５４ないし請求項６５のうちのいずれか１つに記載のデータ受信機。
【請求項６７】
前記第１のホッピングパターンは、互いの時間がシフトした、および／または、周波数がシフトしたバージョンである、複数のサブホッピングパターンを備え、
前記データ受信機は、複数の前記サブホッピングパターンに従って、前記第１の複数のサブデータパケットを受信するように構成されており、
複数の前記サブホッピングパターンは、異なるホッピングパターンに割り当てられたサブデータパケットが交互に転送されるように、互いにインターリーブされることを特徴とする、請求項３５ないし請求項６６のうちのいずれか１つに記載のデータ受信機。
【請求項６８】
請求項１ないし請求項３４のうちのいずれか１つに記載のデータ送信機と、
請求項３５ないし請求項６７のうちのいずれか１つに記載のデータ受信機と、
を備えたシステム。
【請求項６９】
第１のクラスのデータをデータ送信機からデータ受信機に転送するステップであって、前記第１のクラスの前記データは、第１のホッピングパターンを用いて、第１の複数のサブデータパケット上に分割されて送信されるステップと、
第２のクラスのデータを前記データ送信機、または、異なるデータ送信機から前記データ受信機に送信するステップであって、前記第２のクラスの前記データは、第２のホッピングパターンを用いて、第２の複数のサブデータパケット上に分割されて送信されるステップと、
を備える送信方法であって、
前記第１のホッピングパターンに従って送信されたサブデータパケットの間の送信休止は、前記第２のホッピングパターンに従って送信されたサブデータパケットの間の送信休止よりも小さいことを特徴とする、送信方法。
【請求項７０】
請求項６９に記載の前記方法を実行するためのコンピュータプログラム。
【請求項７１】
複数のサブデータパケット上に分割されたデータを、ホッピングパターンに従って、時間、および／または、周波数に割り振って、送信するように構成された、データ送信機であって、前記ホッピングパターンは、時間ホッピングパターン、周波数ホッピングパターン、または、前記時間ホッピングパターン及び前記周波数ホッピングパターンの組み合わせであり、前記時間ホッピングパターンは、以下の表に示された、２４ホップを有する、前記時間ホッピングパターンであり、
2021510016.tif 000048
前記表の中の前記行は、前記時間ホッピングパターンであり、前記表の中のそれぞれの縦の列は、第２のホップから始まっている前記時間ホッピングパターンのホップであり、それによって、それぞれの時間ホッピングパターンは、２４ホップを備え、前記表の中のそれぞれのセルは、―好ましくは、複数の―シンボル継続期間―の中の、すぐ次のホップの同じ参照ポイントに至るまでの、それぞれのホップの参照ポイントの時間間隔を示しており、
前記周波数ホッピングパターンは、以下の前記表に示された、２４ホップを有する、前記周波数ホッピングパターンであり、
2021510016.tif 000049
前記表の中の前記行は、前記周波数ホッピングパターンであり、前記表の中のそれぞれの縦の列は、前記周波数ホッピングパターンのホップであり、前記表の中のそれぞれのセルは、ＵＣＧ＿Ｃ０からＵＣＧ＿Ｃ２３のキャリアの中の前記周波数ホッピングパターンのそれぞれの前記ホップの送信周波数を示していることを特徴とする、データ送信機。
【請求項７２】
前記データは、第１のクラスであり、複数の前記サブデータパケットは、第１の複数のサブデータパケットであり、及び前記ホッピングパターンは、第１のホッピングパターンであり、
前記データ送信機は、第２の複数のサブデータパケット上に第２のクラスのデータを分割し、第２のホッピングパターンを用いて、前記第２の複数のサブデータパケットを送信するように構成されており、
前記第１のホッピングパターンに従って送信されたサブデータパケットの間の送信休止は、前記第２のホッピングパターンに従って送信されたサブデータパケットの間の送信休止よりも小さく、および／または、前記第１のホッピングパターンに従って送信されたサブデータパケットは、前記第２のホッピングパターンに従って送信されたサブデータパケットよりも短いことを特徴とする、請求項７１に記載のデータ送信機。
【請求項７３】
複数のサブデータパケット上に分割されて、及びホッピングパターンに従って、時間、および／または、周波数に割り振られて、転送されたデータを受信するように構成された、データ受信機であって、前記ホッピングパターンは、時間ホッピングパターン、周波数ホッピングパターン、または、前記時間ホッピングパターン及び前記周波数ホッピングパターンの組み合わせであり、前記時間ホッピングパターンは、以下の表で示される、２４ホップを有する、前記時間ホッピングパターンであり、
2021510016.tif 000050
前記表の中の前記行は、前記時間ホッピングパターンであり、前記表の中のそれぞれの縦の列は、第２のホップから始まっている前記時間ホッピングパターンのホップであり、それによって、それぞれの時間ホッピングパターンは、２４ホップを備え、前記表の中のそれぞれのセルは、―好ましくは、複数の―シンボル継続期間―の中の、すぐ次のホップの同じ参照ポイントに至るまでの、それぞれのホップの参照ポイントの時間間隔を示しており、
前記周波数ホッピングパターンは、以下の前記表に示された、２４ホップを有する、前記周波数ホッピングパターンであり、
2021510016.tif 000051
前記表の中の前記行は、前記周波数ホッピングパターンであり、前記表の中のそれぞれの縦の列は、前記周波数ホッピングパターンのホップであり、前記表の中のそれぞれのセルは、ＵＣＧ＿Ｃ０からＵＣＧ＿Ｃ２３のキャリアの中の前記周波数ホッピングパターンのそれぞれの前記ホップの送信周波数を示していることを特徴とする、データ受信機。
【請求項７４】
前記データは、第１のクラスであり、複数の前記サブデータパケットは、第１の複数のサブデータパケットであり、及び前記ホッピングパターンは、第１のホッピングパターンであり、
前記データ受信機は、第２の複数のサブデータパケット上に分割され、第２のホッピングパターンに従って、時間、または、周波数で分配されて、送信された第２のクラスのデータを受信するように構成されており、
前記第１のホッピングパターンに従って受信されたサブデータパケットの間の送信休止は、前記第２のホッピングパターンに従って受信されたサブデータパケットの間の送信休止よりも小さく、および／または、前記第１のホッピングパターンに従って送信されたサブデータパケットは、前記第２のホッピングパターンに従って送信されたサブデータパケットよりも短いことを特徴とする、請求項７３に記載のデータ受信機。
【請求項７５】
ホッピングパターンを用いる、データ送信であって、
前記ホッピングパターンは、時間ホッピングパターン、周波数ホッピングパターン、または、前記時間ホッピングパターン及び前記周波数ホッピングパターンの組み合わせであり、
前記時間ホッピングパターンは、以下の前記表に示された、２４ホップを有する、前記時間ホッピングパターンであり、
2021510016.tif 000052
前記表の中の前記行は、前記時間ホッピングパターンであり、前記表の中のそれぞれの縦の列は、第２のホップから始まっている前記時間ホッピングパターンのホップであり、それによって、それぞれの時間ホッピングパターンは、２４ホップを備え、前記表の中のそれぞれのセルは、―好ましくは、複数の―シンボル継続期間―の中の、すぐ次のホップの同じ参照ポイントに至るまでの、それぞれの前記ホップの参照ポイントの時間間隔を示しており、
前記周波数ホッピングパターンは、以下の前記表に示された、２４ホップを有する、前記周波数ホッピングパターンであり、
2021510016.tif 000053
前記表の中の前記行は、前記周波数ホッピングパターンであり、前記表の中のそれぞれの縦の列は、前記周波数ホッピングパターンのホップであり、前記表の中のそれぞれのセルは、ＵＣＧ＿Ｃ０からＵＣＧ＿Ｃ２３のキャリアの中の前記周波数ホッピングパターンのそれぞれの前記ホップの送信周波数を示していることを特徴とする、データ送信。
【請求項７６】
ホッピングパターンを用いる、データ受信であって、
前記ホッピングパターンは、時間ホッピングパターン、周波数ホッピングパターン、または、前記時間ホッピングパターン及び前記周波数ホッピングパターンの組み合わせであり、
前記時間ホッピングパターンは、以下の前記表に示された、２４ホップを有する、前記時間ホッピングパターンであり、
2021510016.tif 000054
前記表の中の前記行は、前記時間ホッピングパターンであり、前記表の中のそれぞれの縦の列は、第２のホップから始まっている前記時間ホッピングパターンのホップであり、それによって、それぞれの時間ホッピングパターンは、２４ホップを備え、前記表の中のそれぞれのセルは、―好ましくは、複数の―シンボル継続期間―の中の、すぐ次のホップの同じ参照ポイントに至るまでの、それぞれのホップの参照ポイントの時間間隔を示しており、
前記周波数ホッピングパターンは、以下の前記表に示された、２４ホップを有する、前記周波数ホッピングパターンであり、
2021510016.tif 000055
前記表の中の前記行は、前記周波数ホッピングパターンであり、前記表の中のそれぞれの縦の列は、前記周波数ホッピングパターンのホップであり、前記表の中のそれぞれのセルは、ＵＣＧ＿Ｃ０からＵＣＧ＿Ｃ２３のキャリアの中の前記周波数ホッピングパターンのそれぞれの前記ホップの送信周波数を示していることを特徴とする、データ受信。
【発明の詳細な説明】
【技術分野】
【０００１】
実施の形態は、電文分割送信方法のためのデータ送信機、及びデータ受信機、そして、特に、電文分割送信方法のための低遅延のデータ送信機、及びデータ受信機に関する。いくつかの実施の形態は、電文分割のための低遅延の送信モードと関係する。
【背景技術】
【０００２】
多くのセンサノードから１つの基地局／いくつかの基地局、または、１つの基地局／いくつかの基地局から多くのセンサノードにデータを送信するためのシステムが知られている。例えば、これは、ＩｏＴ（ＩｏＴ＝モノのインターネット）で用いられる。例えば、センサデータ（例えば、街灯、または、駐車センサからの）は、そのとき、データが処理され、及びユーザに付加価値を提供する（例えば、無料の駐車スペースへの道案内）、基地局に送信される。
【０００３】
一般的にこのようなセンサネットワークは、非常に小さな電池を装備する、多数のセンサノードを含む。しかしながら、長い耐用年数を達成するために、チャンネルアクセスは、いつも、統合されていない方法、換言すれば、それぞれのセンサノードは、時間内のランダムな時点で、チャンネルにアクセスする。この概念は、ＡＬＯＨＡアクセス方法、または、サブフォームでは、Ｓｌｏｔｔｅｄ（スロット付）−ＡＬＯＨＡアクセス方法と呼ばれる。
【０００４】
多数の参加者、及び非統合チャンネルアクセスのために、異なるセンサノードの放射の間の送信で、オーバーラップ（干渉）が起きる。これに加えて、送信は、他のシステム（例えば、ＷＩＦＩ（Ｗｉ−Ｆｉは登録商標）、Ｂｌｕｅｔｏｏｔｈ（Ｂｌｕｅｔｏｏｔｈは登録商標）、無線キー）によって用いられる、いわゆる、ＩＳＭ帯域、または、ＳＲＤ帯域（ＩＳＭ＝工業、科学、及び医学；ＳＲＤ＝短距離デバイス）で行われる。これらのシステムは、送信の間の追加の干渉を引き起こす。
【０００５】
上述の状態の下で、これらのチャンネルの中の電文の送信での送信信頼度を著しく増加させる電文分割送信方法が知られている。詳細には、ＥＰ  ２  ７５１  ５２６  Ｂ１に記述された、電文分割送信方法は、無線チャンネルを経由する、データ送信のための、特定の時間／周波数ホッピングパターンを用いる。パケットをうまく復号化できるようにするために、送信のために用いられるホッピングパターンは、受信機に知られていなければならない。これを確実にするために、すべての参加者に知られている、時間／周波数ホッピングパターンは、電文分割ネットワークのために定義される。
【０００６】
電文分割送信方法は、さらに、ＷＯ  ２０１５/１２８３８５  Ａ１、ＷＯ  ２０１７/０１７２５７  Ａ１、及びＷＯ ２０１７/１６７３６６ Ａ１、及び出版物［Ｇ．  Ｋｉｌｉａｎ，  Ｈ．  Ｐｅｔｋｏｖ、  Ｒ．  Ｐｓｉｕｋ、  Ｈ．  Ｌｉｅｓｋｅ、  Ｆ．  Ｂｅｅｒ、  Ｊ．  Ｒｏｂｅｒｔ、  ａｎｄ  Ａ．  Ｈｅｕｂｅｒｇｅｒ、  “Ｉｍｐｒｏｖｅｄ  ｃｏｖｅｒａｇｅ  ｆｏｒ  ｌｏｗ−ｐｏｗｅｒ  ｔｅｌｅｍｅｔｒｙ  ｓｙｓｔｅｍｓ  ｕｓｉｎｇ  ｔｅｌｅｇｒａｍ  ｓｐｌｉｔｔｉｎｇ、”  ｉｎ  Ｐｒｏｃｅｅｄｉｎｇｓ  ｏｆ  ２０１３  Ｅｕｒｏｐｅａｎ  Ｃｏｎｆｅｒｅｎｃｅ  ｏｎ  Ｓｍａｒｔ  Ｏｂｊｅｃｔｓ、  Ｓｙｓｔｅｍｓ  ａｎｄ  Ｔｅｃｈｎｏｌｏｇｉｅｓ  （ＳｍａｒｔＳｙｓＴｅｃｈ）、  ２０１３］  、及び  ［Ｇ．  Ｋｉｌｉａ、  Ｍ．  Ｂｒｅｉｌｉｎｇ、  Ｈ．  Ｈ．  Ｐｅｔｋｏｖ、  Ｈ．  Ｌｉｅｓｋｅ、  Ｆ．  Ｂｅｅｒ、  Ｊ．  Ｒｏｂｅｒｔ、  ａｎｄ  Ａ．  Ｈｅｕｂｅｒｇｅｒ、  “Ｉｎｃｒｅａｓｉｎｇ  Ｔｒａｎｓｍｉｓｓｉｏｎ  Ｒｅｌｉａｂｉｌｉｔｙ  ｆｏｒ  Ｔｅｌｅｍｅｔｒｙ  Ｓｙｓｔｅｍｓ  Ｕｓｉｎｇ  Ｔｅｌｅｇｒａｍ  Ｓｐｌｉｔｔｉｎｇ、”  ＩＥＥＥ  Ｔｒａｎｓａｃｔｉｏｎｓ  ｏｎ  Ｃｏｍｍｕｎｉｃａｔｉｏｎｓ、  ｖｏｌ．  ６３、  ｎｏ．  ３，  ｐｐ．  ９４９？９６１、  Ｍａｒ．  ２０１５］の中に記述されている。
【０００７】
しかしながら、電文分割送信方法のデメリットは、高い遅延時間が、個々の部分的なパケットの送信の間の休止から生じることである。
【０００８】
モノのインターネット（ＩＯＴ）では、多数の可能なアプリケーションが存在し、いくつかのアプリケーションでは、システムの遅延時間は、二次的な重要性（例えば、水量計の読取り）であるが、しかしながら、遅延が重要な役割を演じるシステムも存在する（例えば、パイプ破裂、または、紛争地域の人員のセキュリティモニタリング）。
【０００９】
遅延時間が重要な役割を果たすシステムのこの第２のクラスのために、電力効率の良いセンサネットワークのための適切な解決策は、まだ、見つかっていない。
【発明の概要】
【発明が解決しようとする課題】
【００１０】
従って、本願発明の目的は、電文分割ベースの通信ネットワークの遅延時間を改良することである。
【００１１】
この目的は、独立した請求項によって解決される。
【００１２】
さらなる実施例のメリットは、従属した請求項によって見ることができる。
【課題を解決するための手段】
【００１３】
実施の形態は、第１の複数のサブデータパケット上に第１のクラスのデータを分割し、及び第１のホッピングパターンを用いて、第１の複数のサブデータパケットを送信するように構成されているデータ送信機を提供し、データ送信機は、第２の複数のサブデータパケット上に第２のクラスのデータを分割し、及び第２のホッピングパターンを用いて、第２の複数のサブデータパケットを送信するように構成されており、第１のホッピングパターンに従って送信されたサブデータパケットの間の送信休止は、第２のホッピングパターンに従って送信されたサブデータパケットの間の送信休止よりも小さく、および／または、第１のホッピングパターンに従って送信されたサブデータパケットは、第２のホッピングパターンに従って送信されたサブデータパケットよりも短い。
【００１４】
実施の形態では、第１のクラスのデータは、第２のクラスのデータよりも、最大の送信継続時間に関する、より高い優先順位と、および／または、より高い必要条件と、を備える。
【００１５】
実施の形態では、データ送信機は、第３の複数のサブデータパケット上に第３のクラスのデータを分割し、及び第３のホッピングパターンを用いて、第３の複数のサブデータパケットを送信するように構成されており、第２のホッピングパターンに従って送信されたサブデータパケットの間の送信休止は、第３のホッピングパターンに従って送信されたサブデータパケットの間の送信休止よりも小さい。
【００１６】
実施の形態では、第２のクラスのデータは、第３のクラスのデータよりも、最大の送信継続時間に関する、より高い優先順位と、および／または、より高い必要条件と、を備える。
【００１７】
実施の形態では、データ送信機は、それぞれの第１の複数のサブデータパケットが、第１のクラスの、または、第１のデータパケットのデータの一部と、のみを備えるように、第１のクラスのデータ、または、第１の複数のサブデータパケット上に、第１のクラスのデータを備える第１のデータパケットを分割するように構成されており、データ送信機は、それぞれの第２の複数のサブデータパケットが、第２のクラスの、または、第２のデータパケットのデータの一部のみを備えるように、第２のクラスのデータ、または、第２の複数のサブデータパケット上に、第２のクラスのデータを備える第２のデータパケットを分割するように構成されている。
【００１８】
実施の形態では、第１の複数のサブデータパケットは、第２の複数のサブデータパケットよりも、より少ないサブデータパケットと、を備える。
【００１９】
実施の形態では、データ送信機は、第１のホッピングパターンを伴って送信されたサブデータパケットの同期シーケンスと、第２のホッピングパターンを伴って送信されたサブデータパケットの同期シーケンスの間の時間間隔が、同じになるように、第１のホッピングパターン、および／または、第２のホッピングパターンに従って送信されたサブデータパケットを提供するように構成されている。
【００２０】
実施の形態では、第１のホッピングパターンに従って送信されたサブデータパケットは、第２のホッピングパターンに従って送信されたサブデータパケットよりも長い。
【００２１】
実施の形態では、第１のホッピングパターンに従って送信されたサブデータパケットは、第２のホッピングパターンに従って送信されたサブデータパケットよりも、より広い周波数帯域の全体に割り振られる。
【００２２】
実施の形態では、データ送信機は、第２のクラスのデータよりも、より高いデータレート、または、異なる変調方法で、第１のクラスのデータを送信するように構成されている。
【００２３】
実施の形態では、データ送信機は、第１のホッピングパターンを用いている、第１のクラスのデータの送信に時間的に同期する第１のメッセージを受信するように構成されており、データ送信機は、第２のホッピングパターンを用いている、第２のクラスのデータの送信に時間的に同期する第２のメッセージを受信するように構成されており、第１のホッピングパターンと、第１のメッセージの間の時間間隔は、第２のホッピングパターンと、第２のメッセージの間の時間間隔よりも小さい。
【００２４】
実施の形態では、第１のメッセージは、第１のダウンリンク・ホッピングパターンに従って、複数のサブデータパケット上に分割されて、送信された、第１のダウンリンク・メッセージであり、第２のメッセージは、第２のダウンリンク・ホッピングパターンに従って、複数のサブデータパケット上に分割されて、送信された、第２のダウンリンク・メッセージであり、第１のダウンリンク・ホッピングパターンによって、送信された複数のサブデータパケットの間の送信休止は、第２のダウンリンク・ホッピングパターンによって、送信された複数のサブデータパケットの間の送信休止よりも短い。
【００２５】
実施の形態では、データ送信機は、第１のクラスのデータ送信している上に、第１のクラスのデータの成功した受信を明示している受信の確認を、データ受信機から受信するように構成されている。
【００２６】
実施の形態では、受信の確認が受信されるまで、第１のホッピングパターン、または、異なるホッピングパターンを繰り返し用いて、第１のクラスのデータを放射するように構成されている。
【００２７】
実施の形態では、データ送信機は、データ受信機から、
‐  第１のホッピングパターンを用いている、第１のクラスのデータ、
‐  または、第２のホッピングパターンを用いている、第２のクラスのデータ、
の放射に時間的に重複している受信の確認を受信するように構成されており、
それによって、それぞれのホッピングパターンに従って送信された、少なくとも１つのサブデータパケットは、ホッピングパターンの２つのサブデータパケットの間に配置されるとともに、データ受信機の受信の確認が放射される。
【００２８】
実施の形態では、データ送信機は、異なる周波数上で、及び完全な時間的な重複、または、少なくとも部分的な時間的な重複を伴って、第１のホッピングパターンに従って、少なくとも２つのサブデータパケットを送信するように構成されている。
【００２９】
実施の形態では、データ送信機は、第１のクラスのデータ、または、第１のクラスのデータのチャンネル符号化されたバージョンから、第１のホッピングパターンの少なくとも一部を計算するように構成されており、それによって、第１のホッピングパターンの少なくとも一部それ自身が、第１のクラスのデータの少なくとも一部を符号化する。
【００３０】
実施の形態では、第１のホッピングパターンのホップの第１のグループは明示され、データ受信機は、第１のクラスのデータ、または、第１のクラスのデータのチャンネル符号化されたバージョンから、第１のホッピングパターンのホップの第２のグループを計算するように構成されており、第１のホッピングパターンのホップの第２のグループそれ自身は、第１のクラスのデータの少なくとも一部を符号化し、データ送信機は、ホップの第１のグループ、及びホップの第２のグループに従って、第１の複数のデータパケットを送信するように構成されている。
【００３１】
実施の形態では、データ送信機は、第１のクラスのデータ、または、第１のクラスのデータのチャンネル符号化されたバージョンから、第１のホッピングパターンを計算するように構成されており、それによって、第１のホッピングパターンの少なくとも一部それ自身が、第１のクラスのデータの少なくとも一部を符号化し、データ送信機は、データ受信機で同期するための同期信号に時間的に同期する、第１のホッピングパターンを送信するように構成されている。
【００３２】
実施の形態では、データ送信機は、第１のクラスのデータを得るために、エラーのない送信で、それぞれのサブデータパケットは、それ自身のために、受信機側で符号化されていてもよくするために、及びエラーがない送信で、少なくとも２つのサブデータパケットの組み合わせを通じて、より高い符号化利得を達成するために、第１の複数のサブデータパケット上に、第１のクラスのデータを分割するように構成されている。
【００３３】
実施の形態では、データ送信機は、第１のクラスのデータをチャンネル符号化し、及び第１のホッピングパターンを用いて、同じものを送信するように構成されており、データ送信機は、エラーのない送信で、サブデータパケットの第１のグループだけが、第１のクラスのデータの成功した復号化に必要とされるように、及びエラーのない送信で、サブデータパケットの第１のグループと、サブデータパケットの第２のグループの組み合わせを通じて、より高い符号化利得を達成するように、第１の複数のサブデータパケット上に第１のクラスのチャンネル符号化されたデータを割り振るように構成されており、サブデータパケットの第１のグループは、サブデータパケットの第２のグループよりも時間的に前に送信される。
【００３４】
実施の形態では、第１のクラスのデータは、コア情報と、及び拡張情報と、を備え、データ送信機は、サブデータパケットの第１のグループが、コア情報を備え、及びサブデータパケットの第２のグループが、拡張情報を備えるように、第１の複数のサブデータパケット上に第１のクラスのデータを分割するように構成されており、サブデータパケットの第１のグループは、サブデータパケットの第２のグループよりも時間的に前に送信される。
【００３５】
実施の形態では、データ送信機は、データ送信機のアドレス情報、または、そこから導出された情報を用いて、第１のホッピングパターンを計算するように構成されており、それによって、第１のホッピングパターンそれ自身は、データ送信機を識別する。
【００３６】
実施の形態では、データ送信機は、さらに、データ送信機の時間依存性の情報、または、イベント依存性の情報を用いて、第１のホッピングパターンを計算するように構成されている。
【００３７】
実施の形態では、データ送信機は、データ受信機に、第１のホッピングパターンについての符号化された、または、暗号化された情報を、あらかじめ、送信するように構成されている。
【００３８】
実施の形態では、第１のホッピングパターンは、基地局によって、データ受信機に割り当てられる。
【００３９】
実施の形態では、データ送信機は、通信ネットワークの基地局から、通信ネットワークの範囲内で、データ送信機を明確に識別している、アドレス情報よりも短いアドレス情報を得て、及び第１のホッピングパターンを伴って放射しているときには、同じものを用いるように構成されている。
【００４０】
実施の形態では、データ送信機は、短いアドレス情報から、第１のホッピングパターンを計算するように構成されており、それによって、第１のホッピングパターンそれ自身は、データ送信機を識別する。
【００４１】
実施の形態では、短いアドレス情報は、データ送信機のグループに割り当てられ、データ送信機のグループは、空間的に関連した領域に割り当てられる。
【００４２】
実施の形態では、第１のクラスのデータは、センサ値から抽出された短い情報であり、及びセンサ値よりも短い。
【００４３】
実施の形態では、データ送信機は、あらかじめ、データ受信機に、短い情報を送信し、及び短い情報と関連するセンサ値、または、短い情報と関連するセンサ値のグループを送信するように構成されている。
【００４４】
実施の形態では、第１のホッピングパターンは、使用の周波数、および／または、優先順位に従って、基地局によって、データ送信機に割り当てられる。
【００４５】
実施の形態では、第１のホッピングパターンに従って送信されたサブデータパケットは、同じ時間間隔と、及び周波数間隔と、を備える。
【００４６】
実施の形態では、データ送信機は、第１のクラスのデータ、第１のクラス、データ送信機のアドレス情報、または、データ送信機の短いアドレス情報の少なくとも一部から、データ受信機で、第１の複数のサブデータパケットを同期するための同期シーケンスの少なくとも一部を計算するように構成されている。
【００４７】
実施の形態では、データ送信機は、第１のクラスのデータをチャンネル符号化するように構成され、及び第１のホッピングパターンを用いて、同じものを送信するように構成されており、データ送信機は、第１のクラスのチャンネル符号化されたデータを第１の複数のサブデータパケット上に割り振るように構成されており、エラーのない送信で、サブデータパケットの第１のグループだけが、第１のクラスのデータの成功した復号化のために必要とされ、データ送信機は、サブデータパケットの第２のグループに比べて、異なったデータレートを有するサブデータパケットの第１のグループを送信するように構成されている。
【００４８】
実施の形態では、データ送信機は、エラーのある送信で、より高い符号化利得がサブデータパケットの第１のグループと、サブデータパケットの第２のグループの組み合わせを通じて達成されるように、第１の複数のサブデータパケット上に、第１のクラスのチャンネル符号化されるデータを割り振るように構成されている。
【００４９】
実施の形態では、データ送信機は、第１のクラスのデータをチャンネル符号化し、及び第１の複数のサブデータパケット上に同じものを分割するように構成されており、データ送信機は、サブデータパケットが送信されるデータレートを、連続的に増加し、または、減少するように構成されている。
【００５０】
実施の形態では、データ送信機は、第１の複数のサブデータパケットのサブデータパケットの長さが、送信されたサブデータパケットの数の増加に伴って、減少する、または、増加するように構成されている。
【００５１】
実施の形態では、送信電力は、基地局によってデータ送信機に明示され、または、データ送信機は、優先順位、または、チャンネル占有に応じた送信電力を選択するように構成されている。
【００５２】
さらなる実施の形態は、データをチャンネル符号化し、及び複数のサブデータパケット上に同じものを分割し、及びホッピングパターンに従った第１の複数のサブデータパケットを送信するように構成されたデータ送信機を提供し、データ送信機は、エラーのない送信で、サブデータパケットの第１のグループだけが、データの成功した復号化のために必要とされるように、データをチャンネル符号化し、及び複数のサブデータパケット上に同じものを分割するように構成され、サブデータパケットの第１のグループのサブデータパケットの間の送信休止は、サブデータパケットの第１のグループの後に送信された、サブデータパケットの第２のグループのサブデータパケットの間の送信休止よりも小さい。
【００５３】
実施の形態では、サブデータパケットの第１のグループ、または、第２のグループ、または、両方のグループのサブデータパケットの間の送信休止は、送信されたサブデータパケットの数の増加に伴って、増加してもよい。
【００５４】
さらなる実施の形態は、複数のサブデータパケット上にデータを分割し、及び第１のホッピングパターンを用いて、複数のサブデータパケットを送信するように構成されたデータ送信機を提供し、データ送信機は、第２のホッピングパターンを用いて、複数のサブデータパケットを繰り返し送信するように構成されており、第１のホッピングパターンに従って送信されたサブデータパケットの間の送信休止は、第２のホッピングパターンに従って送信されたサブデータパケットの間の送信休止よりも小さい。
【００５５】
実施の形態では、第１のホッピングパターンは、２つの分離した周波数帯域の全体に広がっていてもよい。
【００５６】
実施の形態では、データ送信機は、２つの分離した周波数帯域で、２回、第１のホッピングパターンを用いて、データを送信するように構成されている。
【００５７】
実施の形態では、データ送信機は、２つの分離した周波数帯域で、第２のホッピングパターンを用いて、データを送信するように構成されている。
【００５８】
実施の形態では、データ送信機は、２つの分離した周波数帯域で、２回、第２のホッピングパターンを用いて、データを送信するように構成されている。
【００５９】
実施の形態では、データ送信機は、第１のホッピングパターンを用いて、及び第２のホッピングパターンを繰り返し用いて、インターリーブ方法で、データを送信するように構成されており、第２のホッピングパターンに従って送信された、少なくとも、１つのサブデータパケットは、第１のホッピングパターンに従って送信された、２つのサブデータパケットの間に配置される。
【００６０】
さらなる実施の形態は、データパケットを用いて、第１のクラスのデータを放射するように構成されているデータ送信機を提供し、及びデータ送信機は、複数のサブデータパケットを用いて、データを繰り返し放射するように構成されており、複数のサブデータパケットは、第１のホッピングパターンに従って放射される。
【００６１】
さらなる実施の形態では、データ送信機は、さらなるデータパケットを用いて、第１のクラスのデータを繰り返し放射するように構成されている。
【００６２】
実施の形態では、データ送信機は、さらなるデータパケットを用いて、及び複数のサブデータパケットを用いて、時間的なインターリーブ方法で、第１のクラスのデータを放射するように構成されており、それによって、さらなるデータパケットは、２つの複数のサブデータパケットの間に、時間的に配置される。
【００６３】
実施の形態では、データ送信機は、データパケットの放射と、複数のサブデータパケットの間の時間間隔を選択してデータ受信機からの受信確認応答の受信が時間的間隔内で可能であるようなサイズを有するように構成されている。
【００６４】
実施の形態では、データ送信機は、第２の複数のサブデータパケット上に第２のクラスのデータを分割し、及び第２のホッピングパターンを用いて、第２の複数のサブデータパケットを送信するように構成されており、第１のホッピングパターンに従って送信されたサブデータパケットの間の送信休止は、第２のホッピングパターンに従って送信されたサブデータパケットの間の送信休止よりも小さい。
【００６５】
実施の形態では、第１のホッピングパターンは、互いの時間がシフトした、及び周波数がシフトしたバージョンの複数のホッピングパターンと、を備え、データ送信機は、複数のサブホッピングパターンに従った、第１の複数のサブデータパケットを送信するように構成されており、複数のサブホッピングパターンは、異なるサブホッピングパターンに割り当てられたサブデータパケットが交互に送信されるように、互いにインターリーブされる。
【００６６】
実施の形態では、データ送信機は、データ受信機で、第１の複数のサブデータパケットと、第２の複数のサブデータパケットを同期するための、同じ同期シーケンスを有する、第１の複数のサブデータパケット、及び第２の複数のサブデータパケットを提供するように構成されている。
【００６７】
さらなる実施の形態は、第１のホッピングパターンを用いて、第１の複数のサブデータパケット上に分割されて、送信された第１のクラスのデータを受信するように構成されたデータ受信機を提供するように構成されており、データ受信機は、第２のホッピングパターンを用いて、第２の複数のサブデータパケット上に分割されて、送信された第２のクラスのデータを受信するように構成されており、第１のホッピングパターンに従った、サブデータパケットの間の送信休止は、第２のホッピングパターンに従った、サブデータパケットの間の送信休止よりも小さく、および／または、第１のホッピングパターンに従って送信されたサブデータパケットは、第２のホッピングパターンに従って送信されたサブデータパケットよりも短い。
【００６８】
実施の形態では、第１のクラスのデータは、第２のクラスのデータよりも、最大の送信間隔に関して、より高い優先順位と、および／または、より高い必要条件と、を備えてもよい。
【００６９】
実施の形態では、データ受信機は、第３のホッピングパターンを用いて、第３の複数のサブデータパケット上に分割されて、送信された第３のクラスのデータを受信するように構成されており、第２のホッピングパターンに従って受信されたサブデータパケットの送信休止は、第３のホッピングパターンに従って受信されたサブデータパケットの送信休止よりも小さい。
【００７０】
実施の形態では、第２のクラスのデータは、第３のクラスのデータよりも最大の送信間隔に関して、より高い優先順位と、および／または、より高い必要条件と、を備える。
【００７１】
実施の形態では、第１のクラスのデータまたは第１のクラスのデータを構成する第１のデータパケットは第１の複数のサブデータパケットの各々が第１のクラスのデータまたは第１のデータパケットの一部のみを構成するように、第１のサブデータパケットの第１の複数のサブデータパケット上に分割されてもよく、ここで、データ受信機は、第１のクラスのデータを得るために、第１の複数のサブデータパケットを受信して結合するように構成されていてもよい。および／または、前記第２のクラスのデータまたは前記第２のクラスのデータを構成する第２のデータパケットが、前記第２のサブデータパケットの第２の複数のサブデータパケットの各々が前記第２のクラスのデータまたは前記第２のデータパケットの一部のみを構成するように、前記第２のサブデータパケットの第２の複数のサブデータパケットに分割され、前記データ受信機は、前記第２のクラスのデータを得るために前記第２のサブデータパケットを受信して組み合わされるように構成されている。
【００７２】
実施の形態では、第１の複数のサブデータパケットは、第２の複数のサブデータパケットである、より少ないサブデータパケットと、を備えていてもよい。
【００７３】
実施の形態では、第１のホッピングパターン、及び第２のホッピングパターンに従って送信された、サブデータパケットは、第１のホッピングパターンとともに送信された、サブデータパケットの同期シーケンスと、第２のホッピングパターンとともに送信された、サブデータパケットの同期シーケンスの間の時間間隔が同じになるように、同期シーケンスとともに、提供されてもよく、データ受信機は、同じ参照同期シーケンスを用いて、受信データストリームの中の、第１のホッピングパターンに従って送信されたサブデータパケット、及び第２のホッピングパターンに従って送信されたサブデータパケットを検出するように構成されている。
【００７４】
実施の形態では、第１のホッピングパターンに従って送信されたサブデータパケットは、第２のホッピングパターンに従って送信されたサブデータパケットよりも長くてもよい。
【００７５】
実施の形態では、第１のホッピングパターンに従って送信されたサブデータパケットは、第２のホッピングパターンに従って送信されたサブデータパケットよりも、より広い周波数帯域の全体に割り振られてもよい。
【００７６】
実施の形態では、第１のクラスのデータは、第２のクラスのデータに比べて、より高いデータレート、または、異なった変調方法を用いて送信されてもよい。
【００７７】
実施の形態では、データ受信機は、第１のホッピングパターンを用いて、第１のクラスのデータの受信に時間的に同期する、第１のメッセージを送信するように構成されており、及びデータ受信機は、第２のホッピングパターンを用いて、第２のクラスのデータの受信に時間的に同期する、第２のメッセージを送信するように構成されており、第１のホッピングパターンと、第１のメッセージとの間の時間間隔は、第２のホッピングパターンと、第２のメッセージとの間の時間間隔よりも小さい。
【００７８】
実施の形態では、第１のメッセージは、第１のダウンリンク・ホッピングパターンに従って、複数のサブデータパケット上に分割されて、送信された、第１のダウンリンク・メッセージであり、第２のメッセージは、第２のダウンリンク・ホッピングパターンに従って、複数のサブデータパケット上に分割されて、送信された、第２のダウンリンク・メッセージであり、第１のダウンリンク・ホッピングパターンによって送信された、複数のサブデータパケット間の送信休止は、第２のダウンリンク・ホッピングパターンによって送信された、複数のサブデータパケット間の送信休止よりも短い。
【００７９】
実施の形態では、データ受信機は、第１のクラスのデータの成功した受信に応答して、
第１のクラスのデータの成功した受信を明示している受信の確認を放射するように構成されており、データ受信機は、第１のクラスのデータのためだけであり、第２のクラスのデータのためではなく、受信の確認を放射するように構成されている。
【００８０】
実施の形態では、データ受信機は、ホッピングパターンを用いて、
‐第１のホッピングパターンを用いている第１のクラスのデータ、
‐または、第２のホッピングパターンを用いている第２のクラスのデータ、
の受信に時間的に重複する、受信パターンの確認を放射するように構成されている。
【００８１】
第１のホッピングパターン、または、第２のホッピングパターンに従って送信された、少なくとも１つのサブデータパケットは、ホッピングパターンの２つのサブデータパケットの間に配置されるように、受信の確認が放射される。
【００８２】
実施の形態では、データ受信機は、第１のホッピングパターンに従って、異なる周波数上の少なくとも２つのサブデータパケットを、完全に重複して、または、少なくとも部分的に時間的に重複して、受信するように構成されている。
【００８３】
実施の形態では、第１のホッピングパターンのホップの第１のグループのパターンが明示され、第１のホッピングパターンのホップの第２のグループのパターンは、第１のクラスのデータの少なくとも一部、または、第１のクラスのデータそれ自身のチャンネル符号化されたバージョンを符号化し、データ受信機は、第１のクラスのデータのチャンネル符号化されたバージョンの第１のクラスのデータの少なくとも一部を得るために、第１のホッピングパターンのホップの第２のグループのパターンを復号化するように構成されている。
【００８４】
実施の形態では、第１のホッピングパターンそれ自身は、第１のクラスのデータの少なくとも一部、または、第１のクラスのデータのチャンネル符号化されたバージョンを符号化してもよく、第１のホッピングパターンは、同期信号に時間的に同期して、送信され、データ受信機は、同期信号を用いて、受信データストリームの中の第１のホッピングパターンを検出するように構成されており、及びデータ受信機は、第１のクラスのデータの少なくとも一部、または、第１のクラスのデータのチャンネル符号化されたバージョンを得るために、第１のホッピングパターンそれ自身を復号化するように構成されている。
【００８５】
実施の形態では、第１のホッピングパターンそれ自身は、第１のクラスのデータの少なくとも一部、または、第１のクラスのデータのチャンネル符号化されたバージョンを復号化してもよく、データ受信機は、仮説検定によって、受信データストリームの中の第１のホッピングパターンを検出するように構成されており、及びデータ受信機は、第１のクラスのデータの少なくとも一部、または、第１のクラスのデータのチャンネル符号化されたバージョンを得るために、第１のホッピングパターンそれ自身を復号化するように構成されている。
【００８６】
実施の形態では、第１のクラスのデータは、エラーのない送信で、第１のクラスのデータを得るために、それぞれのサブデータパケットが、それ自身に関して、受信機側で復号化され得るように、及びエラーのない送信で、より高い符号化利得を、少なくとも２つのサブデータパケットの組み合わせを通じて達成されるように、第１の複数のサブデータパケット上に分割させてもよく、データ受信機は、第１のクラスのデータを得るために、第１の複数のサブデータパケットの第１のサブデータパケットを復号化し、及びもし、第１のサブデータパケットを用いて、第１のクラスのデータを復号化することに成功しなければ、より高い符号化利得を達成するために、サブデータパケットの第１の複数のサブデータパケットの少なくとも１つの第２のサブデータパケットと、第１のサブデータパケットを組み合わせるように、及び第１のクラスのデータを得るために、同じものを復号化するように構成されている。
【００８７】
実施の形態では、第１のクラスのデータは、チャンネル符号化されていてもよく、エラーのない送信で、サブデータパケットの第１のグループだけが、第１のクラスのデータの成功した復号化のために必要とされるように、及びエラーのある送信で、より高い符号化利得が、サブデータパケットの第１のグループ、及びサブデータパケットの第２のグループの組み合わせを通じて達成されるように、第１のクラスのチャンネル符号化されたデータは、第１の複数のサブデータパケット上に割り振られ、サブデータパケットの第１のグループは、サブデータパケットの第２のグループよりも、時間的に前に送信され、データ受信機は、第１のクラスのデータを得るために、サブデータパケットの第１のグループとともに受信されたチャンネル符号化されたデータの第１の部分を復号化し、及びもし、第１のクラスのデータを復号化することが成功しなかったら、より高い符号化利得を達成するために、サブデータパケットの少なくとも第２のグループとともに受信された、チャンネル符号化されたデータの少なくとも第２のグループをチャンネル符号化されたデータの第１の部分と組み合わせ、及び第１のクラスのデータを得るために、同じものを復号化するように構成されている。
【００８８】
実施の形態では、第１のクラスのデータは、コア情報と、及び拡張情報と、を備えていてもよく、第１のクラスのデータは、サブデータパケットの第１のグループが、コア情報を備え、及びサブデータパケットの第２のグループが、拡張情報を備えるように、第１の複数のサブデータパケット上に分割されており、サブデータパケットの第１のグループは、サブデータパケットの第２のグループよりも、時間的に前に送信され、データ受信機は、拡張情報よりも前にコア情報を得るために、サブデータパケットの第１のグループをまず受信して、サブデータパケットの第２のグループをその次に受信するように構成されている。
【００８９】
実施の形態では、第１のホッピングパターンは、データ送信機のアドレス情報、または、そこから導出された情報を用いて計算されてもよく、それによって、第１のホッピングパターンそれ自身が、データ送信機を識別し、データ受信機は、第１のホッピングパターンに基づいて、データ送信機を識別するように構成されている。
【００９０】
実施の形態では、第１のホッピングパターンは、データ送信機の時間依存性、または、さらに依存性の情報を用いて、さらに計算されてもよく、時間依存性、または、さらに依存性の情報は、データ受信機に知られており、複数のサブデータパケット、または、異なるデータパケットのうちの少なくとも１つで暗号化されて、送信される。
【００９１】
実施の形態では、データ受信機は、データ送信機から、あらかじめ、第１のホッピングパターンに関する符号化された、または、暗号化された情報を受信するように構成されている。
【００９２】
実施の形態では、データ受信機は、データ送信機に第１のホッピングパターンを割り当てるように構成されている。
【００９３】
実施の形態では、データ受信機は、データ送信機に、通信ネットワークの範囲内で、データ送信機を明確に識別しているアドレス情報よりも短い、短いアドレス情報を割り当てるように構成されており、データ受信機は、短い情報に基づいて、データ送信機を識別するように構成されていてもよい。
【００９４】
実施の形態では、第１のホッピングパターンは、短いアドレス情報から計算されてもよく、それによって、第１のホッピングパターンそれ自身は、データ送信機を識別し、データ受信機は、第１のホッピングパターンに基づいて、データ送信機を識別するように構成されていてもよい。
【００９５】
実施の形態では、データ受信機は、短いアドレス情報をデータ送信機のグループに割り当てるように構成されていてもよく、データ送信機のグループは、空間的に関連した領域に配置される。
【００９６】
実施の形態では、第１のクラスのデータは、センサ値から導出された短い情報であって、センサ値よりも短くてもよく、データ受信機は、短い情報を備える第１のクラスのデータを受信すると、すぐに、短い情報と、既知のセンサ値を関連付けるように構成されている。
【００９７】
実施の形態では、データ受信機は、あらかじめ、データ送信機から、短い情報、及び短い情報と関連付けられたセンサ値、または、短い情報と関連付けられたセンサ値のグループを受信するように構成されている。
【００９８】
実施の形態では、データ受信機は、使用周波数、および／または、優先順位に従って、データ送信機に、第１のホッピングパターンを割り当てるように構成されている。
【００９９】
実施の形態では、第１のホッピングパターン従って送信されたサブデータパケットは、同じ時間間隔と、周波数間隔とを備えていてもよい。
【０１００】
実施の形態では、データ受信機で、第１の複数のサブデータパケットを同期するための同期シーケンスの少なくとも一部は、第１のクラスのデータ、第１のクラス、データ送信機のアドレス情報、または、データ送信機の短いアドレス情報のうちの少なくとも一部から計算されてもよい。
【０１０１】
実施の形態では、第１のクラスのデータは、エラーのない送信で、サブデータパケットの第１のグループだけが、第１のクラスのデータの成功した復号化のために必要とされるように、チャンネル符号化されて、及び第１の複数のサブデータパケット上に割り振られ、サブデータパケットの第１のグループは、サブデータパケットの第２のグループと比べて、異なるデータレートを用いて送信され、データ受信機は、第１のクラスのデータを得るために、サブデータパケットの第１のグループとともに受信されたチャンネル符号化されたデータの第１の部分を復号化し、及びもし、第１のクラスのデータを復号化することが成功しなかったら、より高い符号化利得を達成するために、サブデータパケットの少なくとも１つの第２のグループとともに受信されたチャンネル符号化されたデータの少なくとも第２の部分をチャンネル符号化されたデータの第１の部分と組み合わせ、及び第１のクラスのデータを得るために、同じものを復号化するように構成されている。
【０１０２】
実施の形態では、第１のクラスのデータは、エラーのない送信で、サブデータパケットの第１のグループだけが、第１のクラスのデータの成功した復号化のために必要とされるように、及びエラーのある送信で、より高い符号化利得が、サブデータパケットの第１のグループとサブデータパケットの第２のグループの組み合わせを通じて達成されるように、チャンネル符号化され、及び第１の複数のサブデータパケット上に割り振られ、データ受信機は、相互の情報の推定に基づいて、サブデータパケットの第１のグループが、第１のクラスのデータの成功した復号化のために十分であるかどうか、または、サブデータパケットの第１のグループとサブデータパケットの第２のグループの組み合わせが、第１のクラスのデータの成功した復号化のために必要とされるかどうかを決定するように構成されており、もし、相互の情報の推定は、サブデータパケットの第１のグループが、第１のクラスのデータの成功した復号化のために十分であることを示していたら、データ受信機は、第１のクラスのデータを得るために、サブデータパケットの第１のグループを復号化するように構成されており、もし、相互の情報の推定は、サブデータパケットの第１のグループとサブデータパケットの第２のグループの組み合わせが、第１のクラスのデータを成功した復号化のために必要であることを示していれば、データ受信機は、サブデータパケットの第１のグループとサブデータパケットの第２のグループを組み合わせ、及び同じものを復号化するように構成されている。
【０１０３】
実施の形態では、第１のクラスのデータは、チャンネル符号化され、及び第１の複数のサブデータパケット上に分割されてもよく、データ受信機は、サブデータパケットが受信される、データレートを連続して、増加、または、減少させるように構成されている。
【０１０４】
実施の形態では、第１の複数のサブデータパケットのサブデータパケットの長さは、
送信されたサブデータパケットの数の増加とともに、減少、または、増加してもよい。
【０１０５】
実施の形態では、データ受信機は、送信電力をデータ送信機に明示するように構成されている。
【０１０６】
さらなる実施の形態では、チャンネル符号化されたデータを受信するためのデータ受信機を提供し、チャンネル符号化されたデータは、複数のサブデータパケット上に分割され、及びホッピングパターンに従って割り振られて、送信され、データは、エラーのない送信で、サブデータパケットの第１のグループだけが、データの成功した復号化のために必要とされるように、チャンネル符号化され、及び複数のサブデータパケット上に分割され、サブデータパケットの第１のグループのサブデータパケットの間の送信休止は、サブデータパケットの第１のグループの後に送信された、サブデータパケットの第２のグループのサブデータパケットの間の送信休止よりも短く、データ受信機は、サブデータパケットの少なくとも１つのグループを受信し、及びデータを得るために、サブデータパケットの第１のグループとともに受信されたチャンネル符号化されたデータの少なくとも一部を復号化するように構成されている。
【０１０７】
実施の形態では、データ受信機は、もし、データを復号化することが成功しなかったら、より高い符号化利得を達成するために、サブデータパケットの少なくとも第２のグループとともに受信されたチャンネル符号化されたデータの少なくとも第２の部分をチャンネル符号化されたデータの第１の部分と組み合わせ、及びデータを得るために、同じものを復号化するように構成されている。
【０１０８】
実施の形態では、サブデータパケットの第２のグループのサブデータパケットの間の送信休止だけが、送信されたサブデータパケットの数の増加とともに増加する。
【０１０９】
さらなる実施の形態は、複数のサブデータパケット上に分割され、及び第１のホッピングパターンを用いて、及び第２のホッピングパターンを繰り返し用いて送信された、データを受信するように構成されたデータ受信機を提供するように構成されており、第１のホッピングパターンに従って送信されたサブデータパケットの間の送信休止は、第２のホッピングパターンに従って送信されたサブデータパケットの間の送信休止よりも小さい。
【０１１０】
実施の形態では、第１のホッピングパターンは、２つの分離した周波数帯域の全体に広がっていてもよい。
【０１１１】
実施の形態では、データ受信機は、２つの分離した周波数帯域で、２回、第１のホッピングパターンを用いて、データを受信するように構成されている。
【０１１２】
実施の形態では、データ受信機は、２つの分離した周波数帯域で、第２のホッピングパターンを用いて、データを受信するように構成されている。
【０１１３】
実施の形態では、データ受信機は、２つの分離した周波数帯域で、２回、第２のホッピングパターンを用いて、データを受信するように構成されている。
【０１１４】
実施の形態では、データ受信機は、第１のホッピングパターンを用いて、及び第２のホッピングパターンを繰り返し用いて、インターリーブされた方法で、データを受信するように構成されており、それによって、第２のホッピングパターンの少なくとも１つのホップは、第１のホッピングパターンの２つのホップの間に配置される。
【０１１５】
さらなる実施の形態は、データパケットを用いて、送信された第１のクラスのデータを受信するように構成されたデータ受信機を提供するように構成されており、データ受信機は、第１のホッピングパターンに従って、複数のサブデータパケットを繰り返し用いて、受信するように構成されている。
【０１１６】
実施の形態では、データ受信機は、さらなるデータパケットを繰り返し用いて、第１のクラスのデータを受信するように、さらに構成されている。
【０１１７】
実施の形態では、データ受信機は、さらなるデータパケットを用いて、及び複数のサブデータパケットを用いて、第１のクラスのデータを、時間的にインターリーブされた方法で、受信するように構成されており、それによって、さらなるデータパケットは、複数のサブデータパケットのうちの２つの間に時間的に配置される。
【０１１８】
実施の形態では、データ受信機は、データパケットの受信と、複数のサブデータパケットの間の時間間隔の中で受信の確認を送信するように構成されている。
【０１１９】
実施の形態では、データ受信機は、ホッピングパターンを用いて、第２の複数のサブデータパケット上に分割されて、送信された、第２のクラスのデータを受信するように構成されており、第１のホッピングパターンに従って送信された２つのサブデータパケットの間の送信休止は、第２のホッピングパターンに従って送信された２つのサブデータパケットの間の送信休止よりも小さい。
【０１２０】
実施の形態では、第１のホッピングパターンは、互いの時間シフトした、および／または、周波数シフトしたバージョンである、複数のサブホッピングパターンを備えていてもよく、データ受信機は、複数のサブホッピングパターンに従った、第１の複数のサブデータパケットを受信するように構成されており、複数のサブホッピングパターンは、異なるサブホッピングパターンに割り当てられたサブデータパケットが、交互に送信されるように、互いにインターリーブされている。
【０１２１】
実施の形態では、第１の複数のサブデータパケット、及び第２の複数のサブデータパケットは、データ受信機で、第１の複数のサブデータパケットと、第２の複数のサブデータパケットを同期するための、同じ同期シーケンスを用いて提供されてもよく、データ受信機は、受信データストリームの中で、同じ参照同期シーケンスを用いて、第１のホッピングパターンに従って送信されたサブデータパケット、及び第２のホッピングパターンに従って送信されたサブデータパケットを検出するように構成されている。
【０１２２】
さらなる実施の形態は、データ送信機からデータ受信機にデータを送信する方法を提供する。方法は、データ送信機からデータ受信機に第１のクラスのデータを送信するステップを含み、第１のクラスのデータは、第１のホッピングパターンを用いて、第１の複数のサブデータパケット上に分割されて、送信される。その上に、方法は、データ送信機、または、異なるデータ送信機からデータ受信機に、第２のクラスのデータを送信するステップを含み、第２のクラスのデータは、第２のホッピングパターンを用いて、第２の複数のサブデータパケット上に分割されて、送信され、第１のホッピングパターンに従って送信されたサブデータパケットの間の送信休止は、第２のホッピングパターンに従って送信されたサブデータパケットの間の送信休止よりも小さく、および／または第１のホッピングパターンに従って送信されたサブデータパケットは、第２のホッピングパターンに従って送信されたサブデータパケットよりも短い。
【０１２３】
さらなる実施の形態は、複数のサブデータパケット上に分割されたデータを、ホッピングパターンに従って、時間、および／または、周波数に割り振って、送信するように構成された、データ送信機を提供し、ホッピングパターンは、時間ホッピングパターン、周波数ホッピングパターン、または、時間ホッピングパターン及び周波数ホッピングパターンの組み合わせであり、時間ホッピングパターンは、以下の表で示される、２４ホップを有する、時間ホッピングパターンであり、
2021510016.tif 000003
表の中の行は、時間ホッピングパターンであり、表の中のそれぞれの縦の列は、第２のホップから始まっている時間ホッピングパターンのホップであり、それによって、それぞれの時間ホッピングパターンは、２４ホップを備え、前記表の中のそれぞれのセルは、―好ましくは、複数の ― シンボル持続期間の中の、すぐ次のホップの同じ参照ポイントに至るまでのそれぞれのホップの参照ポイントの時間間隔を示しており、
周波数ホッピングパターンは、以下の表で示される、２４ホップを有する、周波数ホッピングパターンであり、
2021510016.tif 000004
表の中の行は、周波数ホッピングパターンであり、表の中のそれぞれの縦の列は、周波数ホッピングパターンのホップであり、表の中のそれぞれのセルは、ＵＣＧ＿Ｃ０からＵＣＧ＿Ｃ２３のキャリアの中の周波数ホッピングパターンのそれぞれのホップの送信周波数を示している。
【０１２４】
さらなる実施の形態は、複数のサブデータパケット上に分割され送信されたデータを、ホッピングパターンに従って、時間、および／または、周波数に割り振って、受信するように構成された、データ受信機を提供し、ホッピングパターンは、時間ホッピングパターン、周波数ホッピングパターン、または、時間ホッピングパターン及び前記周波数ホッピングパターンの組み合わせであり、時間ホッピングパターンは、以下の表で示される、２４ホップを有する、時間ホッピングパターンであり、
2021510016.tif 000005
表の中の行は、時間ホッピングパターンであり、表の中のそれぞれの縦の列は、第２のホップから始まっている時間ホッピングパターンのホップであり、それによって、それぞれの時間ホッピングパターンは、２４ホップを備え、表の中のそれぞれのセルは、―好ましくは、複数の ― シンボル持続期間の中の、すぐ次のホップの同じ参照ポイントに至るまでのそれぞれのホップの参照ポイントの時間間隔を示しており、周波数ホッピングパターンは、以下の表で示される、２４ホップを有する、周波数ホッピングパターンであり、
2021510016.tif 000006
表の中の行は、周波数ホッピングパターンであり、表の中のそれぞれの縦の列は、周波数ホッピングパターンのホップであり、表の中のそれぞれのセルは、ＵＣＧ＿Ｃ０からＵＣＧ＿Ｃ２３のキャリアの中の周波数ホッピングパターンのそれぞれのホップの送信周波数を示している。
【０１２５】
さらなる実施の形態は、ホッピングパターンを用いるデータ送信の方法を提供し、ホッピングパターンは、時間ホッピングパターン、周波数ホッピングパターン、または、時間ホッピングパターン及び周波数ホッピングパターンの組み合わせであり、時間ホッピングパターンは、以下の表で示される、２４ホップを有する、時間ホッピングパターンであり、
2021510016.tif 000007
表の中の行は、時間ホッピングパターンであり、表の中のそれぞれの縦の列は、第２のホップから始まっている時間ホッピングパターンのホップであり、それによって、それぞれの時間ホッピングパターンは、２４ホップを備え、表の中のそれぞれのセルは、―好ましくは、複数の ― シンボル持続期間の中の、すぐ次のホップの同じ参照ポイントに至るまでのそれぞれのホップの参照ポイントの時間間隔を示しており、
周波数ホッピングパターンは、以下の表で示される、２４ホップを有する、周波数ホッピングパターンであり、
2021510016.tif 000008
表の中の行は、周波数ホッピングパターンであり、表の中のそれぞれの縦の列は、周波数ホッピングパターンのホップであり、表の中のそれぞれのセルは、ＵＣＧ＿Ｃ０からＵＣＧ＿Ｃ２３のキャリアの中の周波数ホッピングパターンのそれぞれのホップの送信周波数を示している。
【０１２６】
さらなる実施の形態は、ホッピングパターンを用いるデータ受信の方法を提供し、ホッピングパターンは、時間ホッピングパターン、周波数ホッピングパターン、または、時間ホッピングパターン及び周波数ホッピングパターンの組み合わせであり、時間ホッピングパターンは、以下の表で示される、２４ホップを有する、時間ホッピングパターンであり、
2021510016.tif 000009
表の中の行は、時間ホッピングパターンであり、表の中のそれぞれの縦の列は、第２のホップから始まっている時間ホッピングパターンのホップであり、それによって、それぞれの時間ホッピングパターンは、２４ホップを備え、表の中のそれぞれのセルは、―好ましくは、複数の ― シンボル持続期間 ―の中の、すぐ次のホップの同じ参照ポイントに至るまでのそれぞれのホップの参照ポイントの時間間隔を示しており、
周波数ホッピングパターンは、以下の表で示される、２４ホップを有する、周波数ホッピングパターンであり、
2021510016.tif 000010
表の中の行は、周波数ホッピングパターンであり、表の中のそれぞれの縦の列は、周波数ホッピングパターンのホップであり、表の中のそれぞれのセルは、ＵＣＧ＿Ｃ０からＵＣＧ＿Ｃ２３のキャリアの中の周波数ホッピングパターンの前記それぞれのホップの送信周波数を示している。
【発明の効果】
【０１２７】
本願発明は、通信ネットワークに基づいた電文分割で遅延時間を改良することができる。
【図面の簡単な説明】
【０１２８】
本願発明の実施の形態は、添付図面を参照しながら、さらなる詳細が記述される。
【図１】図１は、データ送信機、及びデータ受信機を有するシステムの概略ブロック回路図を示している。
【図２】図２は、時間／周波数ホッピングパターンに従った、複数のサブデータパケットの送信での送信チャンネルの例示的な占有を図中に示している。
【図３ａ】図３ａは、第１のホッピングパターンに従って、時間、及び周波数に割り振れた第１の複数のサブデータパケットの送信における送信チャンネルでの例示的な占有を図中に示している。
【図３ｂ】図３ｂは、第２のホッピングパターンに従って、時間、及び周波数に割り振れた第２の複数のサブデータパケットの送信における送信チャンネルでの例示的な占有を図中に示している。
【図４ａ】図４ａは、第１のホッピングパターンに従って、時間、及び周波数に割り振れた第１の複数のサブデータパケットの送信における送信チャンネルでの例示的な占有を図中に示している。
【図４ｂ】図４ｂは、第２のホッピングパターンに従って、時間、及び周波数に割り振れた第２の複数のサブデータパケットの送信における送信チャンネルでの例示的な占有を図中に示している。
【図５】図５は、複数のサブデータパケットにより、チャンネル符号化されたデータの送信での、送信チャンネルの例示的な占有を図中に示しており、サブデータパケットの第１のグループのサブデータパケット間の送信休止は、サブデータパケットの第２のグループのサブデータパケット間の送信休止よりも小さい。
【図６】図６は、複数のサブデータパケットにより、チャンネル符号化されたデータの送信における送信チャンネルでの例示的な占有を図中に示しており、サブデータパケットの第１のグループのサブデータパケット間の送信休止は、サブデータパケットの第２のグループのサブデータパケット間の送信休止よりも小さく、及びサブデータパケットの第２のグループのサブデータパケット間の送信休止は、送信されたサブデータパケットの増加とともに、増加する。
【図７】図７は、第１のホッピングパターンを用いる、及び第２のホッピングパターンを繰り返し用いる、複数のサブデータパケットによって、チャンネル符号化されたデータの送信における送信チャンネルの例示的な占有を図中に示している。
【図８】図８は、２つの分離した周波数帯域に広がるホッピングパターンを用いている、複数のサブデータパケットの送信での送信チャンネルの例示的な占有率を図中に示している。
【図９】図９は、２つの分離した周波数帯域で、２回、第１のホッピングパターンを用いており、及び２つの分離した周波数帯域で、２回、第２のホッピングパターンを繰り返し用いている、複数のサブデータパケットの送信での送信チャンネルの例示的な占有を図中に示している。
【図１０】図１０は、第１のホッピングパターンを用いており、及び第２のホッピングパターンを繰り返し用いている、複数のサブデータパケットの送信での、送信チャンネルの例示的な占有を図中に示しており、第１のホッピングパターンに従って送信されたサブデータパケットは、第２のホッピングパターンに従って送信されたサブデータパケットの間に配置される。
【図１１】図１１は、第２のホッピングパターンに従った、第２の複数のサブデータパケットの送信に時間的に同期した第２のダウンリンク・メッセージの送信での送信チャンネルの占有に対する、第１のホッピングパターンに従った、第１の複数のサブデータパケットの送信に時間的に同期した第１のダウンリンク・メッセージの送信での送信チャンネルの例示的な占有を図中に示している。
【図１２】図１２は、第２のホッピングパターンに従った、第１の複数のサブデータパケットの送信の時間的に後に、複数のサブデータパケット上に分割された受信の確認の送信での送信チャンネルの占有に対する、第２のホッピングパターンに従った、第１の複数のサブデータパケットの送信を伴う、時間的にインターリーブされた、複数のサブデータパケット上に分割された受信の確認の送信での送信チャンネルの占有を図中に示している。
【図１３】図１３は、第１のホッピングパターンに従った、第１の複数のサブデータパケットの送信、第２のホッピングパターンに従った、第２の複数のサブデータパケットの送信、及び第２のホッピングパターンに従った、第２の複数のサブデータパケットの送信を伴う、時間的にインターリーブされた、複数のサブデータパケット上に分割された、受信の確認の送信での、送信チャンネルの占有を図中に示している。
【図１４】図１４は、サブデータパケットが、異なる周波数で、完全に時間的に重複するように、時間、及び周波数に割り振られた、第１のホッピングパターンに従った、第１の複数のサブデータパケットの送信での送信チャンネルの例示的な占有を図中に示している。
【図１５】図１５は、サブデータパケット１６２が、異なる周波数で、部分的に重複するように、時間、及び周波数に割り振られた、第１のホッピングパターンに従った、第１の複数のサブデータパケットの送信での送信チャンネルの例示的な占有を図中に示している。
【図１６】図１６は、データパケットを用いて、及び時間、及び周波数に割り振られた第１のホッピングパターンに従った、複数のサブデータパケットを繰り返し用いて、第１のクラスのデータの送信での送信チャンネルの例示的な占有を図中に示している。
【図１７】図１７は、データパケットを用いており、及びさらなるデータパケットを繰り返し用いており、及びホッピングパターンに従って、時間、及び周波数に割り振られた、複数のサブデータパケットを繰り返し用いている、第１のクラスのデータの送信での送信チャンネルの例示的な占有を図中に示しており、さらなるデータパケット、及び複数のサブデータパケットは、さらなるデータパケットが、２つの複数のサブデータパケットの間に時間的に配置されるように、インターリーブされる。
【図１８】図１８は、データパケットを用いて、及び第１のホッピングパターンに従って、時間、及び周波数に割り振られた、複数のサブデータパケットを繰り返し用いている第１のクラスのデータの送信、及びデータパケットと、複数のサブデータパケットの間の時間間隔内の受信の確認の送信での送信チャンネルの例示的な占有を図中に示している。
【図１９ａ】図１９ａは、同期信号に時間的に同期した、第１のホッピングパターンに従って、時間、及び周波数に割り振られた、第１の複数のサブデータパケットの送信での送信チャンネルの例示的な占有を図中に示している。
【図１９ｂ】図１９ｂは、第１のグループのホップ、及び第２のグループのホップを用いて、ホッピングパターンに従った、第１の複数のサブデータパケットの送信での送信チャンネルの例示的な占有を図中に示しており、第１のグループのホップは明示され、及び第２のグループのホップは、第１のクラスのデータ、または、第１のクラスのデータのチャンネル符号化されたバージョンから計算される。
【図２０】図２０は、第１のホッピングパターンに従って、時間、及び周波数に割り振られた、第１の複数のサブデータパケットの送信での送信チャンネルの例示的な占有を図中に示しており、エラーのない送信で、それ自身のためのそれぞれのサブデータパケットは、受信機側で復号化されてもよい。
【図２１】図２１は、第１のホッピングパターンに従って、時間、及び周波数に割り振られた、第１の複数のサブデータパケットの送信での送信チャンネルの例示的な占有を図中に示しており、第１のクラスのチャンネル符号化されたデータは、エラーのない送信で、サブデータパケットのそれぞれのグループは、第１のクラスのデータを得るために、それ自身のために取得されて、復号化されてもよいようにするために、複数のサブデータパケット上に割り振られる。
【図２２】図２２は、第１のホッピングパターンに従って、時間、及び周波数に割り振られた、第１の複数のサブデータパケットの送信での送信チャンネルの例示的な占有を図中に示しており、第１のクラスのチャンネル符号化されたデータは、サブデータパケットの第１のグループが、第１の符号化している多項式（多項式０）に従った符号化されたデータを備えるように、及びサブデータパケットの第２のグループが、複数の符号化している多項式（多項式１、及び多項式２）に従ったチャンネル符号化されたデータを備えるように、第１の複数のサブデータパケット上に割り振られる。
【図２３】図２３は、第１のホッピングパターンに従って、時間、及び周波数に割り振られた、第１の複数のサブデータパケットの送信での送信チャンネルの例示的な占有を図中に示しており、サブデータパケットの第１のグループは、コア情報を備えており、サブデータパケットの第２のグループは、拡張情報を備えており、サブデータパケットの第１のグループは、サブデータパケットの第２のグループよりも、時間的に前に送信される。
【図２４】図２４は、第１のホッピングパターンに従って、時間、及び周波数に割り振られた、第１の複数のサブデータパケットの送信での送信チャンネルの例示的な占有を図中に示しており、ホッピングパターンのホップの第１のグループは、データ送信機を識別する。
【図２５】図２５は、第１のホッピングパターンに従って送信されたサブデータパケットが、それぞれに関して、同じ時間間隔と、及び周波数間隔と、を備えるように、第１のホッピングパターンに従って、時間、及び周波数に割り振られた、第１の複数のサブデータパケットの送信での送信チャンネルの占有を図中に示している。
【図２６】図２６は、第１のホッピングパターンに従って、時間、及び周波数に割り振られた、第１の複数のサブデータパケットの送信での送信チャンネルの例示的な占有を図中に示している。
【図２７】図２７は、第１のホッピングパターンに従って、時間、及び周波数に割り振られた、第１の複数のサブデータパケットの送信での送信チャンネルの例示的な占有を図中に示している。
【図２８】図２８は、第１のホッピングパターンに従って、時間、及び周波数に割り振られた、第１の複数のサブデータパケットの送信での送信チャンネルの例示的な占有を図中に示しており、サブデータパケットの長さは、送信されたサブデータパケットの数の増加に伴って減少する。
【図２９】図２９は、実施の形態に従った、ホッピングパターンの設定を生成する方法のフロー図を示している。
【図３０】図３０は、実施の形態に従った、ホッピングパターンの２つの設定を生成する方法のフロー図を示している。
【図３１ａ】図３１ａは、ＴＳＭＡホッピングパターンを有するフレームの構造を図中に示している。
【図３１ｂ】図３１ｂは、２つの周波数チャンネル、及び第１のホッピングパターン、及び第２のホッピングパターンによって、データの送信が繰り返されている中での占有を図の中に示している。
【図３２】図３２は、ＴＳＭＡホッピングパターンの構造の概略図を図中に示している。
【図３３ａ】図３３ａは、周波数、及び時間の全体に適用される、明示された自己相関特性を備えるホッピングパターンの自己相関関数の主、及び側面最大値を図中に示している。
【図３３ｂ】図３３ｂは、周波数、及び時間の全体に適用される、明示された自己相関特性を備えないホッピングパターンの自己相関関数の主、及び側面最大値を図中に示している。
【図３４ａ】図３４ａは、周波数、及び時間の全体に適用される、明示された相互相関特性を備える、２つのホッピングパターンの相互相関関数の主、及び側面最大値を図中に示している。
【図３４ｂ】図３４ａは、周波数、及び時間の全体に適用される、明示された相互相関特性を備えない、２つのホッピングパターンの相互相関機能の主、及び側面最大値を図中に示している。
【図３５】図３５は、実施の形態に従った、ホッピングパターンを生成する方法のフロー図を示している。
【図３６】図３６は、第１のホッピングパターンに従って、周波数、及び時間に割り振られた、第１の複数のサブデータパケットの送信での送信チャンネルの例示的な占有を図中に示している。
【図３７】図３７は、実施の形態に従った、低遅延周波数ホッピングパターンの定義を表中に示している。
【図３８】図３８は、実施の形態に従った、低遅延時間ホッピングパターンの定義を表中に示している。
【０１２９】
本願発明の実施の形態の以降の記述では、同じ要素、または、同じ効果を有する要素は、図中で、同じ参照番号で与えられ、それによって、それらの記述は、交換可能である。
【０１３０】
前に、本願発明の実施の形態は、詳細に記述されており、図１、及び２は、発明に基づく通信システムをさらに詳細にまず記述するために代表的に用いられ、前記通信システムは、最大の送信持続時間に関して、より高い優先順位、および／または、より高い必要性のデータのためのモードによって、拡張されるようになる。しかしながら、図１、及び２に基づいて記述された通信システムは、例として、説明され、または、記述されているだけであり、制限するものとして解釈されてはならないことに注意されたい。むしろ、通信システムは、単純で、及び分かりやすい方法で、基礎になる原理を説明するために、より高度に抽象化した形式で図示されている。
【０１３１】
図１は、図１は、データ送信機１００、及びデータ受信機１１０を有する例示的な通信システムの概略ブロック回路図を示している。
【０１３２】
データ送信機１００は、複数のサブデータパケット１４２上にデータ１２０（または、データ１２０を有するデータパケット）を分割し、及びホッピングパターン１４０を用いて、時間、および／または、周波数で割り振られた複数のサブデータパケット１４２を送信するように構成されている。
【０１３３】
データ受信機１１０は、複数のサブデータパケット上に分割され、及びホッピングパターン１４０に従って、時間、および／または、周波数に割り振られて、送信されたデータを得るために、複数のサブデータパケット１４２を受信するように構成されている。
【０１３４】
図１に代表的に示されているように、データ送信機１００は、データ１２０を送信するように構成されている送信ユニット（または、送信モジュール、または、送信機）１０２を備えてもよい。送信ユニット１０２は、データ送信機１００のアンテナ１０４に接続されてもよい。データ送信機１００は、さらに、データを受信するように構成された、受信ユニット（または、受信モジュール、または、受信機）１０６を備えてもよい。受信ユニット１０６は、アンテナ１０４、または、データ送信機１００の、さらなる（分離した）アンテナと接続されてもよい。データ送信機１００は、また、組み合わされた、送信／受信ユニット（送受信機）も備えていてもよい。
【０１３５】
データ受信機１１０は、データ１２０を受信機するように構成された、受信ユニット（または、受信モジュール、または、受信機）１１６を備えていてもよい。受信ユニット１１６は、データ受信機１１０のアンテナ１１４と接続されていてもよい。さらに、データ受信機１１０は、データを送信するように構成された、送信ユニット（送信モジュール、または、送信機）１１２を備えていてもよい。送信ユニット１１２は、アンテナ１１４、または、データ受信機１１０のさらなる（分離した）アンテナと接続されていてもよい。データ受信機１１０は、また、組み合わされた、送信／受信ユニット（送受信機）を備えていてもよい。
【０１３６】
実施の形態では、データ送信機１００は、センサノードであってもよく、これに対して、データ受信機１１０は、基地局であってもよい。一般的に、通信システムは、少なくとも１つのデータ受信機１１０（基地局）、及び多数のデータ送信機（センサノード、例えば、熱量計）を含む。もちろん、データ送信機１００は、基地局であり、これに対して、データ受信機１１０は、センサノードであることも可能である。さらに、データ送信機１００、及びデータ受信機１１０は、センサノードであることが可能である。さらに、データ送信機１００、及びデータ受信機１１０は、基地局であることが可能である。
【０１３７】
データ送信機１００、及びデータ受信機１１０は、電文分割方法（ＴＳ方法）を用いて、それぞれのデータ１２０を送信、及び受信するように構成されていてもよい。ここに、電文、または、データパケット、１２０は、複数のサブデータパケット（または、部分的なデータパケット、または、部分的なパケット）１４２の中に分割され、サブデータパケット１４２は、データ送信機１００からデータ受信機１１０まで、ホッピングパターン１４０に従って、時間、および／または周波数に割り振られて送信され、データ受信機１１０は、データパケット１２０を得るために、サブデータパケットを再結合する（または、組み合わせる）。サブデータパケット１４２は、それぞれ、データパケット１２０の一部だけを含んでいてもよく、それによって、サブデータパケット１４２は、それぞれ、データパケット１２０だけを含んでいてもよく、それによって、サブデータパケット１４２は、それぞれ、データパケット１２０よりも短い。データパケット１２０は、さらにチャンネル符号化されていてもよく、それによって、すべてのサブデータパケット１４２は、データパケット１２０のエラーのない復号化のためには、必要とはされないが、サブデータパケット１４２の一部のみは必要とされる。
【０１３８】
上述のように、複数のサブデータパケット１４２の時間的な割り振りは、時間、および／または、周波数ホッピングパターンに従って実行されてもよい。
【０１３９】
時間ホッピングパターンは、サブデータパケットが送信される送信時間、または、送信時間間隔（ホップ）のシーケンスを示していてもよい。例えば、第１のサブデータパケットは、第１の送信時間で（または、送信時間スロット内に）送信されてもよく、及び第２のサブデータパケットは、第２の送信時間で（または、送信時間スロット内に）送信されてもよく、第１の送信時間と、第２の送信時間は異なる。時間ホッピングパターンは、第１の送信時間、及び第２の送信時間を定義しても（明示、または、示しても）よい。代わりに、時間ホッピングパターンは、第１の送信時間、及び第１の送信時間と、第２の送信時間の間の時間間隔を示してもよい。もちろん、時間ホッピングパターンは、また、第１の送信時間と、第２の送信時間の間の時間間隔だけを示していてもよい。送信が起きない送信休止は、サブデータパケットの間で存在していてもよい。サブデータパケットは、また、互いに、時間的に重複（一致）してもよい。
【０１４０】
周波数ホッピングパターンは、サブデータパケットが送信された、送信周波数のシーケンス、または、送信周波数ホップを示していてもよい。例えば、第１のサブデータパケットは、第１の送信周波数（または第１の送信周波数チャンネルの中）で、送信されてもよく、及び第２のサブデータパケットは、第２の送信周波数（または第２の送信周波数チャンネルの中）で、送信されてもよく、第１の送信周波数と、第２の送信周波数は異なる。周波数ホッピングパターンは、第１の送信周波数、及び第２の送信周波数を定義しても（明示、または、示しても）よい。代わりに、周波数ホッピングパターンは、第１の送信周波数、及び第１の送信周波数と第２の送信周波数の間の周波数間隔（送信周波数ホップ）を示してもよい。もちろん、周波数ホッピングパターンは、また、第１の送信周波数と、第２の送信周波数の間の周波数間隔（送信周波数ホップ）だけを示していてもよい。
【０１４１】
もちろん、複数のサブデータパケット１４２は、データ送信機１００からデータ受信機１１０に、時間、及び周波数の両方に割り振られて、送信されてもよい。複数のサブデータパケットの時間、及び周波数内への割り振りは、時間／周波数ホッピングパターンに従って実行されてもよい。時間／周波数ホッピングパターンは、時間ホッピングパターンと、周波数ホッピングパターンの組み合わせ、すなわち、サブデータパケットが送信された、送信時間、及び送信時間間隔のシーケンスであってもよく、送信周波数（または、送信周波数ホップ）は、送信時間（または、送信時間間隔）に割り当てられていてもよい。
【０１４２】
時間／周波数ホッピングパターンは、複数のホップを備えていてもよく、複数のホップのそれぞれは、送信されてもよい、複数のサブデータパケット１４２に従った、送信時間、または、送信周波数（または、送信時間ホップ、または、送信周波数ホップ）を示す。
【０１４３】
図２は、時間／周波数ホッピングパターンに従った、複数のサブデータパケット１４２の送信での、送信チャンネルの例示的な占有を図中に示している。ここで、縦座標は周波数を示し、横座標は時間を示す。
【０１４４】
図２で分かるように、データパケット１２０は、サブデータパケット１４２上に、代表的に、ｎ＝７で分割されていてもよく、データ送信機１００からデータ受信機１１０に、時間／周波数ホッピングパターンに従って、時間、及び周波数に割り振られて、送信されてもよい。
【０１４５】
図２でさらに分かるように、同期シーケンス１４４は、また、複数のサブデータパケット１４２上に分割されてもよく、それによって、データ（図２の中のデータシンボル）１４６と比べて、複数のサブデータパケット１４２は、それぞれ、同期シーケンス（図２中の同期シンボル）１４４の一部を含む。
【０１４６】
以下では、データ送信機１００、及びデータ受信機１１０の詳細な実施の形態が、より詳細に記述される。
【０１４７】
１．ホッピングパターンの異なるクラス
【０１４８】
現在まで、システムのすべてのホッピングパターンが、開発されてきて、それによって、それらは、ほぼ同じ遅延時間を有する。そのため、特定の適用のために、より短い遅延を達成することは可能ではなく、そしてそれは、これらの適用が、どのようなシステムでも用いることができない理由である。
【０１４９】
１．１．サブデータパケット間の休止の減少
【０１５０】
実施の形態では、データ送信機１００は、第１の複数のサブデータパケット１６２上に第１のクラスのデータを分割し、及び第１のホッピングパターン１６０を用いて、第１の複数のサブデータパケット１６２を送信するように構成されてもよく、データ送信機１００は、第２の複数のサブデータパケット１４２上に第２のクラスのデータを分割し、及び第２のホッピングパターン１４０を用いて、第２の複数のサブデータパケット１４２を送信するように構成されており、第１のホッピングパターン１６０に従って送信されたサブデータパケット１６２の間の送信休止は、第２のホッピングパターン１４０に従って送信されたサブデータパケット１４２の間の送信休止よりも小さい。
【０１５１】
それに応じて、データ受信機１１０は、第１のホッピングパターン１６０を用いて、第１の複数のサブデータパケット１６２上に分割されて、送信された第１のクラスのデータを受信するように構成されてもよく、データ受信機１１０は、第２のホッピングパターン１４０を用いて、第２の複数のサブデータパケット１４２上に分割されて、送信された第２のクラスのデータを受信するように構成されてもよく、第１のホッピングパターン１６０に従って受信されたサブデータパケット１４２の間の送信休止は、第２のホッピングパターン１４０に従って受信されたサブデータパケット１４２の間の送信休止よりも小さい。
【０１５２】
実施の形態では、第１のクラスのデータは、第２のクラスのデータよりも、最大の送信継続時間に関して、より高い優先順位と、および／または、より高い必要条件と、を備えてもよい。
【０１５３】
図３ａは、第１のホッピングパターン１４０に従った、第１の複数のサブデータパケット１４２の送信での送信チャンネルの例示的な占有を図の中に示しており、それに対して、図３ｂは、第２のホッピングパターン１６０に従った、第２の複数のサブデータパケット１６２の送信での送信チャンネルの例示的な占有を図の中に示している。図３ａと図３ｂを比較すると、第１のホッピングパターン１６０に従って送信された、サブデータパケット１６２の間の送信休止は、第２のホッピングパターン１４０に従って送信された、サブデータパケット１４２の間の送信休止よりも小さいことが分かる。換言すれば、図３ａ及び３ｂは、休止の減少を伴うホッピングパターンの異なるクラスの間の比較を示している。
【０１５４】
このように、実施の形態では、セクション１の問題を解決するために、異なる遅延を有するホッピングパターンの異なるクラスが定義されてもよい。ここで、低遅延（低い遅延モード）を有するパターンは、平均して、より高い遅延を有するサブパケットよりも、サブパケット間のより短い休止を備える。メッセージの適用、または、緊急性に応じて、送信機１００は、一致するクラスから、パターンを選択する。
【０１５５】
受信機は、ホッピングパターンの（すべての）異なるクラスを検出し、及び受信してもよいように、構成されていてもよい。この目標を達成するために、少なくとも部分的な並列処理が必要とされる。それぞれのサブパケットの中のパイロットシーケンスは、すべてのホッピングパターンクラスのために同じであるとの仮定の下では、もし、ホッピングパターンの１つのクラスだけが用いられることと比較すると、ホッピングパターンの検出の同じ総数のための計算の成果は高くはない。
【０１５６】
この場合には、受信機１１０は、すべてのクラス（及びホッピングパターン）のための一般的な、サブパケット相関（または、部分的なパイロットシーケンス相関）を最初に実行してもよい。次に、相関（または、類似する方法のどれでも）は、合計結果を得るために、サブパケット相関の結果を経由して、それぞれのホッピングパターン１６０、及び１４０のために、分離して実行されてもよい。
【０１５７】
図３ａ及び３ｂは、異なるクラスからのホッピングパターン１６０と１４０の間の比較を代表的に示している。図３ａのホッピングパターン１４０は、遅延を犠牲にして、高い送信信頼度のために最適化された、従来のクラスを表している。図３ｂのホッピングパターン１６０は、十分に低い遅延を有しており、及びしたがって、時間的に緊急性を要するアプリケーションのために用いられる。
【０１５８】
もし、２つ以上のクラスが定義されると、送信機は、応用に応じて必要とされる遅延に従った、対応するクラスを選択してもよい。しかしながら、低遅延を伴うホッピングパターンのデメリットは、送信機での低い干渉ロバスト性である。したがって、パケットエラーは、送信機の中で、高い遅延を有するパターンの中よりも、低い遅延を有するパターンのために、よりしばしば起きる（以下のアイデアは、この問題を解決するために示される）。
【０１５９】
実施の形態では、データ送信機側で、ホッピングパターンの異なるクラスが用いられてもよく、そしてそれは、適用に応じて選択されてもよい。
【０１６０】
実施の形態では、受信機側で、クラスの異なるホッピングパターンの少なくとも部分的な並列検出が実行されてもよい。
【０１６１】
１．２．サブデータパケットの数の減少
【０１６２】
特定の環境の下で、セクション１．１の実施の形態は、新しいホッピングパターンが設計されなければならないというデメリットがあり、そしてそれは、追加的に受信機によって検出されなければならない。これは、もし、限定された計算能力だけが受信機で利用可能であれば、特に問題である。
【０１６３】
したがって、実施の形態では、第１の複数のサブデータパケット１６２は、第２の複数のサブデータパケット１４２よりも、より少ないサブデータパケットを備えてもよく、第１のホッピングパターン１６０に従った、サブデータパケット１６２は、任意に、第２のホッピングパターン１４０に従って送信されたサブデータパケット１４２よりも、より長くてもよい。
【０１６４】
実施の形態では、第１のホッピングパターン１６０、および／または、第２のホッピングパターン１４０に従って送信されたサブデータパケットは、第１のホッピングパターン１６０とともに送信されたサブデータパケット１６２の同期シーケンスと、第２のホッピングパターン１４０とともに送信されたサブデータパケット１４２の同期シーケンスとの間の時間間隔が同じになるように、同期シーケンスとともに提供されてもよい。
【０１６５】
サブデータパケット１６２の間の休止を減少させる代わりに、より少ないサブデータパケットが用いられてもよく、及びそれらの長さを増加してもよい。これは、同じ検出は、ホッピングパターンの両方の（または、いくつかの）クラスのために用いられてもよい（同期シーケンスの間隔は同じままである状況で）。低遅延を有するホッピングパターンクラスの場合には、検出は、任意に、第１のホップだけを経由して、実行されてもよい。
【０１６６】
図４ａは、第１のホッピングパターン１４０に従った、第１の複数のサブデータパケット１４２の送信での送信チャンネルの例示的な占有を図中に示しており、それに対して、図４ｂは、第２のホッピングパターン１６０に従った、第２の複数のサブデータパケット１６２の送信での送信チャンネルの例示的な占有を図中に示している。換言すれば、図４ａ及び図４ｂは、通常モードのホッピングパターン（高い遅延を有する）、及び低遅延のクラスからのホッピングパターンの比較を示している。より少ないサブデータパケットを有する、同じ量のデータを送信するために、サブデータパケットの長さは増加していた。
【０１６７】
実施の形態では、データ送信機側で、サブデータパケットの長さは、用いられるホッピングパターンのクラスに依存してもよい。適用に従って、サブデータパケットの長い長さは、短い遅延のために選択されてもよい。
【０１６８】
実施の形態では、データ受信機側で、クラスの異なるホッピングパターンの検出はアルゴリズムの組み合わせで実行されてもよい。
【０１６９】
１．３．低遅延モードでの帯域の増加
【０１７０】
確実な状況下で、セクション１．１及び１．２の２つの先の実施の形態は、休止、または、サブデータパケットの数の減少のために干渉ロバスト性が減少するというデメリットを有する。
【０１７１】
この問題に対処するために、信号の帯域は、増加されてもよい。これにより、干渉も帯域制限されているため、外部の干渉が複数のサブパケットを破壊する可能性が低くなり、帯域幅の増加により、干渉が電文と同じ帯域内に部分的にしか存在しない可能性が高くなる。
【０１７２】
送信の帯域幅を拡大することは、最初に、帯域幅も増加させて、干渉が入ることが可能になる。使用されている帯域幅全体で干渉を均等に利用しているため、この状況では、したがって、メリットはない。しかしながら、送信は、いつも、いわゆるＩＳＭ帯域で起きており、帯域における最大の許可されたチャンネル占有が、先に記述されている。しかしながら、異なる帯域のための異なった最大の許可されたチャンネル占有が存在する。チャンネル占有率の異なる複数（少なくとも２つ）の帯域が転送に使用されるような幅を持つようにホッピングパターンを選択すると、干渉のチャンネル占有が帯域内で異なる高さにあるため、干渉ロバスト性の点で有利になる。
【０１７３】
特定の状況下で、セクション１．１でのように、低遅延モードの帯域幅のみの増加は、異なるモードのための検出は、分離して実行されなければならないという、デメリットを有するが、しかしながら、外部、及び内部の干渉に対する干渉ロバスト性は増加する。通常モードの帯域幅も増加する場合、検出の組み合わせは、さらに、セクション１．２を用いて、実行されてもよい。この場合には、内部干渉ロバスト性は、すべての送信機が通常モードで送信しているときには、同じである。
【０１７４】
実施の形態では、データ送信機側で、ホッピングパターンの異なるクラスの帯域幅は、変化してもよい。
【０１７５】
実施の形態では、データ受信機側で、クラスの異なるホッピングパターンの検出は、異なる帯域の全体で実行されてもよい。
【０１７６】
１．４．異なるデータレート、または、異なる変調方法の使用
【０１７７】
セクション１．３の実施の形態に類似する（または、組み合わされた）、より高いデータレート、または、異なる変調方法は、低遅延モードでの送信で用いられてもよい。理想的には、データレートは、送信の継続時間を減少させて、サブデータパケットの間の休止をより長くする結果にして、及びしたがって、干渉に対する送信信頼度を増加させるために、増加される。
【０１７８】
もし変調タイプが変化すれば、送信の継続時間は、もし可能であれば、減少されるべきである（例えば、ＢＰＳＫの代わりのＱＰＳＫ）。
【０１７９】
使用される、データレート、または、変調タイプに関する決定は、優先順位に基づく適用、及びメッセージの必要とされる遅延によって、行われてもよい。
【０１８０】
実施の形態では、データ送信機側で、ホッピングパターンの異なるクラスのデータレート、または、変調タイプは、変化してもよい。
【０１８１】
実施の形態では、データ受信機側で、異なるホッピングパターンのクラスの決定は、異なるデータレート、および／または、変調タイプの全体で実行されてもよい。
【０１８２】
２．通常及び低遅延ホッピングパターンの組み合わせ
【０１８３】
実施の形態では、データ送信機１００は、データをチャンネル符号化し、及び同じものを複数のサブデータパケット上に分割し、及びホッピングパターン１６０に従って、複数のサブデータパケット１６２を送信するように構成されてもよい。データ送信機１００は、エラーのない送信で、サブデータパケット１６２の第１のグループ１７０のみが、データの成功した復号化に必要とされるように、及びエラーのある送信で、より高い符号化利得がサブデータパケットの第１のグループ及びサブデータパケットの第２のグループの組み合わせを通じて、達成されるように、データチャンネルで符号化し、及び同じものを複数のサブデータパケット１６２上に分割するように構成してもよい。
【０１８４】
それに応じて、データ受信機１１０は、データを得るために、少なくともサブデータパケット１６２の第１のグループ１７０を受信し、及びサブデータパケット１６２の第１のグループ１７０とともに受信されたチャンネル符号化されたデータの一部を復号化するように構成されてもよい。これに加えて、データ受信機１１０は、もし、データの復号化が成功しなかったら、より高い符号化利得を達成するために、サブデータパケット１６２の少なくとも第２のグループ１７２とともに受信された、チャンネル符号化されたデータの少なくとも第２の部分をチャンネル符号化されたデータの第１の部分と組み合わせ、及びデータを得るために同じものを復号化するように構成されていてもよい。
【０１８５】
このように、異なるクラスのホッピングパターンの代わりに、早期の復号化が可能なそのような方法で、冗長性を有するメッセージを送信することは可能である。
【０１８６】
２．１．電文の開始での短い休止
【０１８７】
セクション２に記述された実施の形態とともに、送信の遅延は減少するかもしれない、しかしながら、特定の環境下で、特定の適用のために必要な遅延は、おそらく、まだ達成されないだろう。この問題を解決するために、第１のサブデータパケットの休止は、セクション１の実施の形態のように、短くされてもよい。しかしながら、異なっているのは、すべての休止が短くされるのではなく、同数のみが早期の復号化のために必要とされる。
【０１８８】
実施の形態では、図５に示されているように、サブデータパケット１６２の第１のグループ１７０のサブデータパケット１６２の間の送信休止は、したがって、サブデータパケット１６２の第１のグループ１７０の後に送信された、サブデータパケット１６２の第２のグループ１７２のサブデータパケット１６２の間の送信休止よりも小さくてもよい。
【０１８９】
詳細には、図５は、複数のサブデータパケット１４２によって、チャンネル符号化されたデータの送信での、送信チャンネルの例示的な占有を、図中に示しており、サブデータパケット１６２の第１のグループ１７０のサブデータパケット１６２の間の送信休止は、サブデータパケット１６２の第２のグループ１７２のサブデータパケット１６２間の送信休止よりも小さい。換言すれば、図５は、通常ホッピングパターンと、低遅延ホッピングパターンとの組み合わせを示している。
【０１９０】
この方法のメリットは、メッセージの第１の部分は、もうすでに、あらかじめ、低遅延を伴って復号化されていてもよいので、追加の努力、または、オーバヘッドなしに、良好なＳＮＲを伴って、電文のための遅延が、強力に減少されてもよいことである。もし、ＳＮＲが低ければ、送信は、繰り返される必要はない、しかし、残りの情報を受信し、及びそのとき、通常の復号化をするためには十分である。
【０１９１】
もし、受信機が、複数のＳＮＲ、または、電文の受信レベルの測定をする能力を有していれば、電文が早く復号されるか、または、そうではないかを決定されるかどうかに関して、（ＳＮＲが閾値上にある信号を）直接的に決定することができる。
【０１９２】
実施の形態では、データ送信機側で、第１のサブパケットは、後ろのサブパケットよりも小さい休止を有していてもよい。
【０１９３】
実施の形態では、受信機側で（または、復号器側で）、電文の復号化は、すべてのメッセージを受信する前に、もうすでに、試みられてもよい。もしこれが可能でなければ、メッセージの残りの部分は、また、受信され、その次に復号化されてもよい。
【０１９４】
２．２．送信され／放射された、サブデータパケットの数の増加に伴う休止の増加
【０１９５】
特定の環境下で、セクション２．１に従った実施の形態は、早期の符号化の失敗の後に、さらなるサブデータパケットが受信され、及び復号化が再び試みられてもよくなるまでに、比較的長く待つ必要があるというデメリットを有する。
【０１９６】
したがって、図６に示すように、実施の形態では、サブデータパケット１６２の第２のグループ１７２のサブデータパケットの間の送信休止は、送信されたサブデータパケット１６２の数の増加の範囲内で、増加してもよい。
【０１９７】
詳細には、複数のサブデータパケット１４２によって、チャンネル符号化されたデータの送信での、送信チャンネルの例示的な占有を図中に示しており、サブデータパケット１６２の第１のグループ１７０のサブデータパケット１６２の間の送信休止は、サブデータパケット１６２の第２のグループ１７２のサブデータパケット１６２の間の送信休止よりも、または、小さく、サブデータパケット１６２の第２のグループ１７２のサブデータパケット１６２間の送信休止は、送信されたサブデータパケット１６２の数の増加とともに、増加する。換言すれば、図６は、復号化に強く依存する受信領域のために、サブパケットの間の送信休止が増加していることを示している。
【０１９８】
最初に述べられた問題は、したがって、送信されたサブパケットの数の増加に伴って、サブパケットの間の送信休止も連続して増加させることによって、回避されてもよい。
【０１９９】
休止は、厳密に単調に増加している方法で、割り振られる必要はないことに注意することは重要である、しかしながら、増加している休止に関する意図は存在しているべきである。
【０２００】
もし、受信機が、ＳＮＲ、または、受信電力の推定を実行することができなければ、復号化は、新しいサブパケットのブロックがそれぞれ受信された後に試みられる（図４、サブパケットのブロックの一番上の図を参照されたい）。もし、受信機が、ＳＮＲ、または、受信レベル推定を有していなければ、それは、どのブロックの後に電文を復号化することができるのかについて計算してもよい。
【０２０１】
実施の形態では、データ送信機側で、サブパケットの休止は、サブパケット数の増加に伴って、サブパケットは、平均して増加してもよい。送信機の遅延は、ＳＮＲ、または、受信機の干渉レベルに依存する。
【０２０２】
実施の形態では、データ受信機側で、電文の復号化は、もうすでに、すべてのメッセージの受信前に試みられていてもよい。もし、これが可能ではなければ、メッセージの残りの部分は、また、受信され、及びそのとき、復号化される。任意に、受信機は、ＳＮＲ、及び電文の受信レベルを推定してもよく、及びそこから、早期の復号化の試みを開始するために理にかなう時点を決定してもよい。
【０２０３】
３．電文受信
【０２０４】
特定の環境下で、セクション１及び２に表された実施の形態は、電文の間の休止を減少させるために、干渉に影響を受けることを増加させ、及び送信機の送信の可能性を減少させるというデメリットを有する。送信信頼性を増加させるための解決策は、電文の受信である。このために、最適化されたコンセプトが以下に表される。
【０２０５】
３．１．低遅延パターン及び標準的なホッピングパターン
【０２０６】
実施の形態では、データ送信機１００は、複数のサブデータパケット１６２上にデータを分割し、及び第１のホッピングパターン１６０を用いて、複数のサブデータパケット１６２を送信するように構成されていてもよく、データ送信機は、第２のホッピングパターン１４０を繰り返し用いて、複数のサブデータパケット１６２を送信するように構成されており、第１のホッピングパターン１６２に従って送信されたサブデータパケット１６２の間の送信休止は、第２のホッピングパターン１４０に従って送信されたサブデータパケット１６２の間の送信休止よりも小さい。
【０２０７】
実施の形態では、データ受信機１１０は、複数のサブデータパケット１６２上に分割され、及び第１のホッピングパターン１６０を用いて、及び第２のホッピングパターン１４０を繰り返し用いて、送信されたデータを受信するように構成されており、第１のホッピングパターン１６２に従って送信されたサブデータパケット１６２の間の送信休止は、第２のホッピングパターン１４０に従って送信されたサブデータパケット１６２の間の送信休止よりも小さい。
【０２０８】
低遅延ホッピングパターンの個々の放射の代わりに、送信信頼度を増加させるために、同じ電文は、より長い遅延を備えた異なるホッピングパターンを用いて、連続して繰り返し放射されてもよい。図７は、この原理を描いている。
【０２０９】
詳細には、図７は、第１のホッピングパターン１６０を用いている、及び第２のホッピングパターン１４０を繰り返し用いている、複数のサブデータパケット１６２によって、チャンネル符号化されたデータの送信での送信チャンネルの例示的な占有を図中に示している。換言すれば、図７は、受信しているときの、低遅延放射と、標準的な放射の組み合わせを示している。
【０２１０】
もし、複数の受信が用いられると、最後の受信を除いて、ホッピングパターンは、また、最初のパターンとして、同じ、または、類似する遅延を有していてもよい（例えば、電文は、低遅延パターンを用いて２回、及びその次に、標準的なパターンを用いて１回、送信されてもよい）。
【０２１１】
もし、低遅延電文は、もうすでに、受信機で、正確に復号化されていれば、受信機は、高い遅延を有する標準的な電文のメッセージの復号化を省略してもよい。
【０２１２】
もし、メッセージが正確に受信されなければ、受信機は、標準的な電文を受信し、及びそのとき、同じものを復号化してもよい。もし、これが、ノイズ、または、干渉のために、機能しなければ、少なくとも２つの放射を組み合わせることを実行してもよい（例えば、最大比合成、ＭＲＣ）。
【０２１３】
標準的な電文のすべての受信の代わりとして、それは、また、標準的な電文のメッセージの一部のみを受信し、及び低遅延電文の部分的な組み合わせを実行することを可能にする。
【０２１４】
もし、受信機が、ＳＮＲ、または、受信レベル推定を有することになっていれば、それは、再び、あらかじめ、（おそらく）必要とされたサブパケットの数を決定し、及びそのとき、それに応じて、同じものの受信の後に復号化を開始することが可能になる。
【０２１５】
実施の形態では、データ送信機側で、低遅延ホッピングパターンを有する（少なくとも）１つの放射が、最初に実行されてもよい。次に、最初のパターンよりも高い遅延を有するホッピングパターンを用いた繰り返しが続いてもよい。
【０２１６】
実施の形態では、受信機は、最初に、最初の電文を受信することを試みてもよい。もし、これが機能しなければ、繰り返し、または、最初の放射と、繰り返しの組み合わせの復号化が、試みられてもよい。
【０２１７】
３．２．いくつかの周波数帯域上への電文の分割
【０２１８】
短縮された休止のために、低遅延電文の使用は、干渉感度がより高くなるというデメリットを有する。この問題のための可能な解決策は、２つの異なる周波数帯域上に低遅延電文を並行に放射することである（“二重方法”）（セクション１．３の中の帯域幅の増大に類似している）。これに対して、マルチキャリア方法（セクション５を参照されたい）では、送信は、二重方法での２つの周波数で、同時に起きることは決してないが、サブデータパケットは、古典的に、単一の周波数帯域が用いられているときのように、同じものが次々に放射される。
【０２１９】
以下に記述されるように、これは、異なった方法で行われてもよい。
【０２２０】
実施の形態では（ケースａ））、第１のホッピングパターンは、図８に示されているように、２つの分離した周波数帯域の全体に広がっていてもよい。
【０２２１】
図８は、２つの分離した周波数帯域１８０及び１８２の全体に広がっている、ホッピングパターン１６０を用いている、複数のサブデータパケット１６２の送信での送信チャンネルの例示的な占有を、図中に示している。換言すれば、図８は、ケースａ）に従った、“二重方法”を示しており、サブデータパケットは、半分の低遅延電文が、互いに放射される、２つの分離された周波数帯域の全体に割り振られる。
【０２２２】
図８に示されているように、ホッピングパターンは、すべての低遅延電文が、使用する、２つの周波数帯域上に割り振られるように、選択されてもよい。単一の周波数帯域を用いるのに対して、この方法は、標準的なＴＳ電文に対しては、狭帯域干渉に対する干渉ロバスト性を増加させ、及び遅延を短縮する。
【０２２３】
実施の形態では（ケースｂ））、データは、２つの分離した周波数帯域で、２回、第１のホッピングパターンを用いて、送信されてもよい。換言すれば、すべての低遅延電文は、使用する、２つの周波数帯域のそれぞれ１つで放射されてもよい。例えば、ケースａに対して、２つのすべての低遅延電文は、１つの代わりに放射されてもよい。これはさらに、より高い遅延の代償として、干渉に対するロバスト性を増加させる。
【０２２４】
実施の形態では（ケースｃ））、複数のサブデータパケット１６２は、図９に示すように、２つの分離した周波数帯域で、２回、第１のホッピングパターンを用いて、及び２つの分離した周波数帯域で、２回、第２のホッピングパターンを繰り返し用いて、送信されてもよい。
【０２２５】
詳細には、図９は、２つの分離した周波数帯域１８０及び１８２で、２回、第１のホッピングパターン１６０を用いて、及び２つの分離した周波数帯域１８０及び１８２で、２回、第２のホッピングパターン１４０を繰り返し用いて、複数のサブデータパケット１６２の送信での送信チャンネルの例示的な占有を、図中に示している。換言すれば、図９は、低遅延電文の後に標準的な電文を続いて放射している、２つの周波数帯域の全体に分割されたホッピングパターンを示す。
【０２２６】
図９で見ることができるように、“二重方法”のロバスト性をさらに増加させるために、この低遅延電文と、セクション２．１の中に記述された標準的なＴＳ電文の組み合わせを可能にする。サブパケットも、２つの帯域のうちの１つで、半分がそれぞれ送信される、標準的なＴＳ電文が、２つの分離した周波数帯域上の半分の低遅延電文のそれぞれの放射に続いている。これは、２つの電文の全体は、低遅延電文、及び標準的なＴＳ電文で放射される。このメリットは、標準的なＴＳ電文の使用のために、干渉の場合の中で、受信の可能性が十分に増加することである。
【０２２７】
実施の形態では（ケースｄ））、最も高い干渉ロバスト性は、種類ｂ）、及びｃ）の組み合わせを通じて実行されてもよい。すべての低遅延電文は、それぞれの２つの周波数帯域に続く、標準的なＴＳ電文で送信される。この増加は、広帯域干渉に対してすら、干渉ロバスト性を増加させる。デメリットは、ケースａ）、または、ｃ）の程度のように、遅延は改善されないことである。全体として、４つのすべての電文は、ここで放射される（２つの低遅延電文、及び２つの標準的なＴＳ電文）。
【０２２８】
実施の形態では、低遅延電文、及び標準的なＴＳ電文の組み合わせは、低遅延を有する送信（例えば、早い警告）を可能にし、標準的なＴＳ電文の放射は、受信可能性を増加させるためのバックアップとしての役割も果たす。
【０２２９】
実施の形態では、データ送信機側で、ホッピングパターンは、いくつかの周波数帯域、例えば、２つに分割されていてもよく、用いられないギャップが、周波数帯域の間に存在している。
【０２３０】
実施の形態では、データ受信機側で、例えば、電文の決定が、２つの帯域のうちの１つだけで実行されてもよく、例えば、もし、電文がこれら２つの帯域のうちの１つで見つかれば、他の帯域の残りのサブデータパケットは、時間／周波数間隔が決定されているために、自動的に推測される。
【０２３１】
３．３．標準的なＴＳ電文ホッピングパターンでの低遅延電文のインターリーブ
【０２３２】
実施の形態では、データは、第１のホッピングパターン１６０を用いて、及び第２のホッピングパターン１４０を繰り返し用いて、インターリーブ方法で送信されてもよく、それによって、図１０に示すように、第２のホッピングパターン１４０に従って送信された、少なくとも１つのサブデータパケット１４２は、第１のホッピングパターン１６０に従って送信された、２つのサブデータパケット１６２の間に配置される。
【０２３３】
詳細には、図１０は、第１のホッピングパターン１６０を用いており、及び第２のホッピングパターン１４０を繰り返し用いている、複数のサブデータパケット１６２の送信での送信チャンネルの例示的な占有を、図中に示しており、第１のホッピングパターン１６０に従って送信されたサブデータパケット１６２は、第２のホッピングパターン１４０に従って送信されたサブデータパケット１４２の間に配置される。換言すれば、図１０は、標準的な電文の中にインターリーブされた低遅延電文を示している。
【０２３４】
図１０に見られるように、ホッピングパターンは、１つ、または、いくつかの低遅延電文が、標準的なＴＳ電文を伴って、インターリーブされるように、選ばれてもよい。一方で、この方法のメリットは、低遅延電文のために、高い優先順位を有するメッセージの送信での短い遅延であり、他方で、低遅延電文と標準的なＴＳ電文の連続送信とは対照的に節約された時間、すなわち、低遅延電文が受信されなくても（例えば、干渉のために）待ち時間が短くなり、メッセージの転送は、標準ＴＳ電文の完全な受信後にのみ可能である。
【０２３５】
実施の形態では、送信機側で、ホッピングパターンは、１つ、または、いくつかの低遅延電文、及び標準的なＴＳ電文が、互いにインターリーブされてもよいように、定義されてもよい。すなわち、標準的なＴＳ電文のサブパケットの間の休止が、十分に大きく、それによって、低遅延電文の少なくとも１つのサブパケットがそこから導入されてもよい。
【０２３６】
実施の形態では、受信機は、低遅延電文、及び標準的なＴＳ電文の一部を最初に受信してもよく、及びそのときに、低遅延電文のために、復号化の試みを開始してもよい。もし、これが失敗すれば、受信機は、さらなる復号化の試みのために、もうすでに受信された標準的なＴＳ電文のサブパケットを有する、低遅延電文を組み合わせてもよい。もし、これが失敗すれば、完全な標準的なＴＳ電文が後に受信され、それは復号化されてもよい（場合によれば、低遅延電文のサブパケットを用いて）。
【０２３７】
４．重大なメッセージのための受信の確認（双方向システムでの）
【０２３８】
４．１．低遅延アップリンクの後のダウンリンクまでの短縮化された時間ウィンドウ
【０２３９】
実施の形態では、データ送信機１００は、第１のホッピングパターン１６０を用いて、第１のクラスのデータの送信と時間的に同期した第１の信号１９０を受信するように構成されていてもよく、及びデータ送信機１００は、第２のホッピングパターン１４０を用いて、第２のクラスのデータの送信と時間的に同期した第２の信号１９２を受信するように構成されていてもよく、第１のホッピングパターン１６０と、第１のメッセージ１９０の間の時間間隔は、第２のホッピングパターン１４０と、第２のメッセージの間の時間間隔よりも小さい。
【０２４０】
実施の形態では、データ受信機１１０は、第１のホッピングパターン１６０を用いて、第１のクラスのデータの受信と時間的に同期した第１のメッセージを送信するように構成されていてもよく、及びデータ受信機１１０は、第２のホッピングパターン１４０を用いて、第２のクラスのデータの受信と時間的に同期した第２のメッセージ１９２を送信するように構成されていてもよく、第１のホッピングパターン１６０と、第１のメッセージ１９０との間の時間間隔は、第２のホッピングパターン１４０と、第２のメッセージ１９２との間の時間間隔よりも小さい。
【０２４１】
例えば、第１のメッセージは、第１のホッピングパターンに従って、複数のサブデータパケット上に分割されて、送信された、第１のダウンリンク・メッセージ１９０であってもよく、第２のメッセージは、第２のダウンリンク・ホッピングパターンに従って、複数のサブデータパケット上に分割されて、送信された、第２のダウンリンク・メッセージ１９２であってもよく、図１１に示すように、第１のダウンリンク・ホッピングパターンによって、送信された複数のサブデータパケットの間の送信休止は、第２のダウンリンク・ホッピングパターンによって、送信された複数のサブデータパケットの間の送信休止よりも短い。
【０２４２】
詳しくは、図１１は、第２のホッピングパターン１４０に従った、第２の複数のサブデータパケット１４２の送信に時間的に同期した、第２のダウンリンク・メッセージ１９２の送信での送信チャンネルの占有に対して、第１のホッピングパターン１６０に従った、第１の複数のサブデータパケット１６２の送信に時間的に同期した、第１のダウンリンク・メッセージ１９０の送信での送信チャンネルの例示的な占有を、図中に示している。換言すれば、図１１は、標準的なケースに対して、低遅延アップリンクと、ダウンリンクの間の短縮化された時間ウィンドウを示している。
【０２４３】
エネルギー効率に関して最適化された双方向の非同期システムは、最後のアップリンク・スロットの後の決定された時間間隔によって定義された、ダウンリンク・スロットの開始でいつも特徴づけられる。すなわち、ダウンリンク・メッセージは、アップリンク・メッセージの後だけで送信することができる。アップリンクと、ダウンリンク・メッセージとの間の間隔は、あらかじめ、定義され、または、明示され、または、設定される。
【０２４４】
しかしながら、それは、早くメッセージの確認（ＡＣＫ）を送信できるようにするために、両方の送信方向（アップリンク、及びダウンリンク）で、遅延を最小化するために重要な適用のための必要条件であってもよい。
【０２４５】
これは低遅延電文の受信に応答するための、可能な解決策であり、ダウンリンク・スロットの開始までの時間間隔は、標準的なケースに対して、短縮化される（低遅延ダウンリンク）。標準的な電文では、アップリンクと、ダウンリンクとの間の休止は、例示的に、ほぼ、電文の継続時間、言い換えれば、ほぼ、少ない秒数（基地局の送信機／能力制限のエネルギー蓄積の充電のための、エネルギー効率／必要な時間のための）と一致する。同じように、受信された低遅延電文の場合には、アップリンクと、ダウンリンクとの間の休止は、ほぼ、低遅延電文の継続時間まで短縮化されてもよい。
【０２４６】
この解決策のメリットは、メッセージを送信しているときの低遅延だけではなく、メッセージの送信のための受信の確認を引き起こすことを可能にすることである。
【０２４７】
実施の形態では、データ送信機側で、低遅延電文の受信は、―標準的なＴＳ電文に対して−低遅延アップリンクと、ダウンリンク・スロットの開始との間の短縮化された間隔をもたらすかもしれない。
【０２４８】
実施の形態では、受信機は、―標準的な場合に対して―、低遅延電文の放射の後の短縮化された時間ウィンドウの後に、もうすでに、ダウンリンクの受信を期待することができる。
【０２４９】
４．２．低遅延アップリンク要求ＡＣＫ
【０２５０】
適用が必要としている低遅延、換言すれば、時間的に緊急な適用は、また、しばしば、セキュリティ的に重要である（例えば、警報）。この場合には、送信機は、メッセージがうまく送信されたかどうかを確実に知ることができないことが問題である。
【０２５１】
実施の形態では、データ送信機１００は、第１のクラスのデータを送信した上で、第１のクラスのデータの受信に成功したことを明示する確認を、データ受信機１１０から受信するように構成されていてもよい。
【０２５２】
例えば、セクション４．１の実施形態と組み合わせて、またはそれに加えて、双方向システムは、基地局からの低遅延電報の受信を、受信の確認（ＡＣＫ）で確認するように要求してもよい。このアプローチのメリットは、送信機が、確認を通じて、メッセージの受信に成功したことを確実に知ることである。
【０２５３】
実施の形態では、受信機側で、低遅延電文をうまく受信した上で、ＡＣＫが命令的に送信される。
【０２５４】
４．３．低遅延アップリンクは、ＡＣＫが受信されるまで送信される
【０２５５】
実施の形態では、データ送信機１００は、受信の確認が受信されるまで、第１のホッピングパターン１６０、または、異なるホッピングパターンを繰り返し用いて、第１のクラスのデータを放射するように構成されていてもよい。
【０２５６】
実施の形態では、データ受信機１１０は、第１のクラスのデータの成功した受信に応答して、第１のクラスのデータの成功した受信を明示する受信の確認を送信するように構成されていてもよく、データ受信機は、第１のクラスのデータのみであり、第２のクラスのデータのためではない、受信の確認を放射するように構成されていてもよい。
【０２５７】
低遅延電文を使用する中でのデメリットは、それらの低干渉ロバスト性である。さらに、少なくとも１つの低遅延電文をうまく受信する可能性を増加させるために、送信機は、基地局からの受信の確認（ＡＣＫ）が受信されるまで、同じものを放射してもよい。ＡＣＫを受信したとき、送信機は、放射を停止する。
この方法は、いくつかのメリットを有し、それは、それぞれ個々の送信ノードのために、低遅延電文送信が成功した受信をされる可能性を増加させる。ＡＣＫの受信による放射の停止によって、占有されたチャンネル容量が、解放される。これは、いくつか、または、多くのセンサノードが、同時に、低遅延電文の送信を求める環境での、全体のシステムの受信可能性をさらに増大させる。
【０２５８】
実施の形態では、データ受信機側で、ＡＣＫは、低遅延電文の成功した受信をした上で、命令的に送信される。
【０２５９】
実施の形態では、最後のノードは、ＡＣＫが受信され、及び送信機が停止されるまで、低遅延電文を送信してもよい。
【０２６０】
４．４．アップリンクでインターリーブされたダウンリンク
【０２６１】
例えば、警告信号として送信された、電文の受信可能性を増加させるために、同じものは、ＡＣＫが受信されるまで（セクション４．３に従った実施の形態を参照されたい）、連続的に送信されてもよい。通常の場合には、送信休止は、ＡＣＫの受信を可能にするために、いくつかの送信（例えば２つ）の後に、維持されなければならない。
【０２６２】
しかしながら、実施例において、データ送信機１００は、データ受信機１１０から、（１）第１のホッピングパターンを用いている、第１のクラスのデータの放射、または、（２）第２のホッピングパターンにおける、第２のクラスのデータの放射に時間的に重複する、受信の確認を受信するように構成されていてもよく、それによって、それぞれのホッピングパターンに従って送信された、少なくとも１つのサブデータパケットは、データ受信機の受信の確認が放射された、ホッピングパターンのサブデータパケットの間に配置される。
【０２６３】
実施の形態では、データ受信機１１０は、ホッピングパターンを用いて、第１のホッピングパターン、または、第２のホッピングパターンに従って送信された、少なくとも１つのサブデータパケットが、受信の確認が放射されたホッピングパターンの２つのサブデータパケットの間に配置されるように、（１）第１のホッピングパターンを用いている、第１のクラスのデータ、または、（２）第２のホッピングパターンを用いている、第２のクラスのデータの受信に、時間的に重複する、受信の確認を送信するように構成されていてもよい。
【０２６４】
図１２は、第２のホッピングパターン１４０に従った、第１の複数のサブデータパケット１４２の送信の後に、複数のサブデータパケット１９７上に分割された受信の確認１９６の送信での、送信チャンネルの占有に対する、第２のホッピングパターン１４０に従った第１の複数のサブデータパケット１４２の送信を用いて、時間的にインターリーブされた、複数のサブデータパケット１９５上に分割された受信の確認１９４の送信での、送信チャンネルの例示的な占有を図の中に示している。換言すれば、図１２は、上面に標準的な場合、及び下面にインターリーブされたダウンリンクを示しており、追加の電文を送信することができ、同時にダウンリンクをより早く受信できるという利点がある。
【０２６５】
換言すれば、アップリンクと、ダウンリンク・スロットの間の時間間隔に一致する継続時間の後に、代わりに、さらに放射されたアップリンク・ホッピングパターンの中にダウンリンクをインターリーブすることも可能にする。この解決策のメリットは、警報が放射されたために失われるタイムスロットがないこと、及び受信可能性が、したがって、最大化されることであるが、ＡＣＫの受信までの継続時間は、できるだけ迅速に警報の受領の確認を可能にするために、同時に最小化される。
【０２６６】
実施の形態では、データ受信機側で、少なくとも１つの標準的なＴＳ電文の受信、及びダウンリンク・スロットの開始までの時間窓の後に、ダウンリンクでの、標準的なＴＳ電文のためのホッピングパターンは、それが、さらなる放射されたアップリンクの中にインターリーブされ得るように、選択されてもよい。
【０２６７】
実施の形態では、データ送信機側で、基地局は、受信と並行して、ダウンリンクを送信してもよく、データ受信機側では、センサノードは、アップリンクの放射と並行して、ダウンリンクを受信する。換言すれば、データ送信機、及びデータ受信機は、電文の間に、送信ブランチと、受信ブランチとを切り替える。
【０２６８】
４．５．低遅延アップリンクを伴うインターリーブされたダウンリンクの組み合わせ
【０２６９】
緊急の適用のために重要な、成功した確認までの、短い遅延を達成することを可能にするために、標準的なＴＳ電文の第１の放射は、セクション４．４の先の実施の形態に基づいて、遅延を減少するために、いくつかの低遅延電文の放射に置き換えられてもよい。連続したいくつかの（例えば、２つの）低遅延電文は、ダウンリンクで、インターリーブされたＡＣＫを同時に受信することを可能にするために、アップリンクでの標準的なＴＳ電文の放射に続く。このメリットは、電文を最初に受信可能な状態にするまでの遅延が短縮され、低遅延電文を受信しない場合には、ダウンリンクのための一時停止の省略により追加の送信が発生し、標準的なＴＳ電文により受信確率がさらに向上するため、信頼性が向上することである。
【０２７０】
図１３は、第１のホッピングパターン１６０に従った、第１の複数のサブデータパケット１６２の送信、第２のホッピングパターン１４０に従った、第２の複数のサブデータパケット１４２の送信、及び第２のホッピングパターン１４０に従った、第２の複数のサブデータパケット１４２の送信を用いて、時間的にインターリーブされた、複数のサブデータパケット１９５上に分割された、受信の確認１９４の送信での送信チャンネルの占有を示している。換言すれば、図１３は、低遅延アップリンクは、その休止の中にインターリーブされた低遅延ダウンリンクを有する、標準的な電文の放射によって続くことを示している。
【０２７１】
実施の形態では、データ送信機側で、標準的なＴＳ電文は、１つ、または、いくつかの（例えば、２つの）低遅延電文の放射の後に放射されてもよく、及び場合によれば、ＡＣＫは、同時に、ダウンリンクで受信されてもよい。標準的なＴＳ電文のサブデータパケットの間の休止は、さらなるダウンリンク・スロットで用いられてもよい。
【０２７２】
実施の形態では、データ送信機側で、標準的なＴＳ電文のサブデータパケットの間の休止は、ダウンリンク・メッセージを受信するために、用いられてもよく、換言すれば、センサノードは、電文の範囲内で、送信ブランチと、受信ブランチとの間を切り替える。
【０２７３】
５．マルチキャリア送信
【０２７４】
今では、送信のホッピングパターンは、サブデータパケットの最大の１つの送信が、電文送信のどのような時点でも起きるように、定義されていた。これは、市場で入手可能なほとんどのどのような無線チップでも、放射のために用いられてもよいというメリットを有する。
【０２７５】
しかしながら、電文分割でのこの制限、及び休止によって起きている高い遅延は、デメリットである。
【０２７６】
５．１．完全に重複しているマルチキャリアモード
【０２７７】
実施の形態では、データ送信機１００は、異なる周波数上で、及び完全に時間的に重複していることを伴う、第１のホッピングパターン１６０に従って、少なくとも２つのサブデータパケット１６２を送信するように構成されていてもよい。
【０２７８】
実施の形態では、データ受信機１１０は、異なる周波数上で、及び完全に時間的に重複していることを伴う、第１のホッピングパターン１６０に従って、少なくとも２つのサブデータパケット１６２を受信するように構成されていてもよい。
【０２７９】
図１４は、サブデータパケット１６２が、異なる周波数上で、完全に時間的に重複するように、第１のホッピングパターン１６０に従った、第１の複数のサブデータパケット１６２の送信での送信チャンネルの例示的な占有を図中に示している。換言すれば、図１４は、電文分割を伴う、マルチキャリアモードを示している。
【０２８０】
図１４に見られるように、もし、特別な無線チップ、ＳＤＲフロントエンド、または、いくつかの周波数で並行に、送信することができる可能性を有する、類似の送信機を用いれば、いわゆるマルチキャリア放射を実行することが可能になる。
【０２８１】
電文分割を組み合わせることで、これは、いくつかのサブパケットが、特定の時点で、並行して放射されることを意味する。しかしながら、送信が起きない（送信休止）、電文の範囲内の時間も存在する。
【０２８２】
現在使われる受信機は、チャンネル分割が、受信機で、いつもすでに、実行されているので、アルゴリズムの変更なしに、さらに用いられてもよい（ホッピングパターンを調整）。
【０２８３】
実施の形態では、データ送信機側で、ホッピングパターンは、並行した放射が、少なくとも１つの時点で起きるように、定義されてもよい。
【０２８４】
５．２．部分的に重複するマルチキャリアモード
【０２８５】
特定の環境下で、セクション５．１に従った、先の実施の形態は、これは、従来の電文分割に対して、１つ以上のサブパケットを破壊するかもしれないので、広帯域干渉に関する低い干渉ロバスト性のデメリットを有する。これは、ふつう、電文分割の例示的なホッピング距離よりも、長いので、干渉の帯域幅に起因する。
【０２８６】
しかしながら、高いシンボルレートのために（シンボルレートは、帯域幅に関連する）、それらの広帯域干渉は、送信継続時間に関しては、非常に短いだけである。このように、部分的な重複だけを伴う、サブパケットの送信によって、干渉ロバスト性を増加することが可能である。
【０２８７】
実施の形態では、データ送信機１００は、したがって、異なる周波数上で、及び部分的な時間的重複を伴って、第１のホッピングパターン１６０に従って、少なくとも２つのサブデータパケット１６２を送信するように構成されていてもよい。
【０２８８】
実施の形態では、データ受信機１１０は、異なる周波数上で、及び部分的な時間的重複を伴って、第１のホッピングパターン１６０に従って、少なくとも２つのサブデータパケット１６２を受信するように構成されていてもよい。
【０２８９】
図１５は、サブデータパケット１６２が、異なる周波数上で、部分的に重複するように、時間、及び周波数に割り振られた、第１のホッピングパターン１６０に従った、第１の複数のサブデータパケット１６２の送信での送信チャンネルの例示的な占有を、図中に示している。換言すれば、図１５は、電文分割で、並行した重複を伴うマルチキャリアモードを示している。
【０２９０】
図１５に見られるように、サブパケットの部分的な重複だけのために、１つ以上のサブパケットを破壊している広帯域干渉の可能性は、重複した放射が起きる領域に減少されるかもしれない。
【０２９１】
実施の形態では、データ送信機側で、ホッピングパターンは、並行した放射が少なくとも１つの時点で起きるように、定義されてもよく、重複は、また、サブパケットの一部だけで起きる。
【０２９２】
６．古典的な送信と電文分割との組み合わせ
【０２９３】
送信信頼度が、低遅延メッセージで十分ではない状況では、メッセージの放射は、古典的な電文として、まず起きてもよい。次に、メッセージは、電文分割によって繰り返されてもよい。
【０２９４】
実施の形態では、データ送信機１００は、データパケット１５０を用いて、第１のクラスのデータを放射するように構成されていてもよく、及びデータ送信機１００は、複数のサブデータパケット１６２を繰り返し用いて、データを放射するように構成されていてもよく、複数のサブデータパケット１６２は、第１のホッピングパターン１６０に従って、放射される。
【０２９５】
実施の形態では、データ受信機１１０は、１つのデータパケット１５０を用いて、送信された第１のクラスのデータを受信するように構成されていてもよく、及びデータ受信機１１０は、第１のホッピングパターン１６０に従って、複数のサブデータパケット１６２を繰り返し用いて、送信された、第１のクラスのデータを受信するように構成されていてもよい。
【０２９６】
図１６は、時間、及び周波数に割り振られた、第１のホッピングパターンに従った、データパケットを用いて、及び時間、及び周波数に割り振られた、複数のサブデータパケット１６２を繰り返し用いている、第１のクラスのデータの送信での送信チャンネルの例示的な占有を、図の中に示している。換言すれば、図１６は、古典的な電文と電文分割を用いた、電文の組み合わせを示している。
【０２９７】
古典的な電文と、電文分割している電文の間の時間間隔、及び任意の周波数オフセットは、自由に選択されてもよい。この場合には、メッセージの分離した復号化だけは、もし、検出が、電文と、成功した同期の実行の両方を検出してもよい場合を除き、可能である。
【０２９８】
任意に、２つの放射の間の時間／周波数間隔は、決定されるように選択されていてもよい。この場合には、２つの放射の組み合わせは可能であり、それは、もし、２つの電文のうちの１つのみが、検出されており、及び同期のために用いることができれば、十分である。
【０２９９】
実施の形態では、データ送信機側で、放射は、古典的な送信方法（例えば、休止がないＢＰＳＫ）を用いて、最初に実行されてもよい。次に、電文分割を伴う繰り返しが続く。
【０３００】
実施の形態では、受信機は、２つの分離した処理部門を有する。１つは、古典的な送信方法の検出、及び処理のための責任があり、さらなる１つは、電文分割の処理のためである。任意に、両方の送信は、もし、２つの放射の間の時間、及び周波数が知られている、または、仮説検定が実行されれば、実行されてもよい。
【０３０１】
６．１．電文分割を伴う古典的な転送のインターリーブされた送信
【０３０２】
特定の環境下で、セクション６に従った実施の形態は、遅延が、古典的な送信の手助けを伴って、不正確な送信を強力に増加させるというデメリットがある。この問題の解決のための可能性は、例えば、電文分割を伴う送信が実行される前に、古典的な送信の手助けを伴う放射を繰り返すことだろう（例えば、２回、または、３回）。
【０３０３】
これは、送信可能性を増加させる、しかし、まだ、強力に干渉されたチャンネルを有し、古典的な送信にとっては、比較的高い破損率が存在するというデメリットがある。そのため、これらのチャンネルの中では、電文分割を用いた送信に比べて、古典的な電文は、たとえもし繰り返されたとしても、受信することはできない可能性がより高くなる。
【０３０４】
したがって、これらのチャンネルは、まだ、送信の間に、急に遅延が増加するという問題を有する。
【０３０５】
したがって、実施の形態では、データ送信機１００は、さらなるデータパケット１５１を繰り返し用いて、第１のクラスのデータをさらに放射するように構成されていてもよい。この場合には、データ送信機１００は、さらなるデータパケット１５１を用いて、及び
複数のサブデータパケット１６２を用いて、時間的にインターリーブされた方法で、第１のクラスのデータを放射するように構成されていてもよく、それによって、さらなるデータパケット１５１は、複数のサブデータパケット１６２のうちの２つの間に時間的に配置される。
【０３０６】
実施の形態では、データ受信機１１０は、さらなるデータパケット１５１をさらに繰り返し用いて、第１のクラスのデータを受信するように構成されていてもよい。この場合には、データ受信機１１０は、さらなるデータパケット１５１を用いて、及び複数のサブデータパケット１６２を用いて、時間的にインターリーブされた方法で、第１のクラスのデータを放射するように構成されていてもよく、それによって、さらなるデータパケット１５１は、複数のサブデータパケット１６２のうちの２つの間に時間的に配置される。
【０３０７】
図１７は、ホッピングパターンに従って、データパケット１５０を用いて、及びさらなるデータパケット１５１を繰り返し用いて、及び時間、及び周波数ホッピングパターンに割り振られた、複数のサブデータパケット１６２を繰り返し用いて、第１のクラスのデータの送信での送信チャンネルの占有を、図の中に示しており、さらなるデータパケット１５１、及び複数のサブデータパケット１６２は、さらなるデータパケット１５１が複数のサブデータパケット１６２のうちの２つの間に時間的に配置されるように、インターリーブされる。言い換えれば、図１７は、古典的な送信方法を用いている電文、及び電文分割を用いている電文のインターリーブされた放射を示している。
【０３０８】
図１７に見られるように、最初に述べられた問題は、電文分割された電文とともに、古典的な送信を用いている電文の送信を（数回）送信することによって回避されてもよい。
【０３０９】
実施の形態では、データ送信機側で、古典的な送信方法（休止がないＢＰＳＫ）を用いた（繰り返された）放射は、電文分割を用いている電文の送信を用いて、インターリーブされて、実行されてもよい。
【０３１０】
実施の形態では、受信機は、２つの分離した処理部門を有していてもよい。１つは、古典的な送信方法の検出、及び処理のための責任があり、さらなる１つは、電文分割を処理するための責任がある。任意に、２つの送信の組み合わせは、もし、２つの放射の間の時間、及び周波数が知られており、または、仮説検定が実行されていれば、実行されてもよい。
【０３１１】
６．２．双方向システムの受信の確認
【０３１２】
実施の形態では、データ送信機は、時間間隔内に、データ受信機１１０からの受信の確認１５４の受信が可能なほどのサイズを有することを可能にするために、データパケット１５０と、複数のサブデータパケット１６２の間の時間間隔を選択するように構成されていてもよい。
【０３１３】
実施の形態では、データ受信機１１０は、データパケット１５０の受信と、複数のサブデータパケット１５０の間の時間間隔内に、受信の確認１５４を送信するように構成されていてもよい。
【０３１４】
図１８は、データパケット１５０を用いて、及び第１のホッピングパターン１６０に従って、時間、及び周波数に割り振られた、サブデータパケット１６２を繰り返し用いて、第１のクラスのデータの送信での送信チャンネルの例示的な占有、及びデータパケット１５０と、複数のサブデータパケット１６２の間の時間間隔内の受信の確認を図の中に示している。言い換えれば、図１８は、古典的な電文、及び古典的な送信方法のための受信の確認を伴う電文分割を用いている電文を示している。
【０３１５】
図１８に見られるように、セクション６、及び６．１の２つの先の実施の形態に追加して、古典的な放射と、双方向システムでの電文分割を用いている電文の間の休止、および／または、セクション６．１に従った実施の形態の中の次のサブパケットまでの休止は、２つの放射の間のメッセージの受信機によって、逆に送信されてもよい、受信の確認ほどのサイズを有するように、選択されてもよい。
【０３１６】
もし、受信の確認が、オリジナルのメッセージの送信機によって、正確に受信されると、電文分割されている電文の放射は、受信機でメッセージの正確な受信が、もうすでに確認されているので、省略される。
【０３１７】
そうでなければ、もし、メッセージの受信の確認が受信されなければ、電文分割を用いている電文の放射は、実行されてもよい。メッセージのためのより高い優先順位が存在している場合には、古典的な電文のさらなる放射は、実行されてもよい。
【０３１８】
受信の確認は、同じ周波数帯域、または、例えば、より少ない干渉が存在する、異なる周波数帯域で実行されてもよい。
【０３１９】
実施の形態では、データ受信機側で、もし、古典的な送信方法を用いている放射が、正確に受信されると、メッセージの受信機は、送信機に、受信の確認を逆に送信してもよく、送信機側では、データ送信機は、さらなる放射が実行されるどうかを受信の確認の受信（または、受信の失敗）に依存して、決定してもよい。
【０３２０】
実施の形態では、受信機は、２つの分離した処理部門を有していてもよい。１つは、古典的な送信方法の検出、及び処理のための責任があり、さらなる１つは、電文分割のための責任がある。任意に、２つの送信の組み合わせは、もし、２つの放射の間の時間、及び周波数が知られており、または、仮説検定が実行されていれば、実行されてもよい。
【０３２１】
７．ホッピングパターンの中の情報符号化
【０３２２】
セクション１．２の中で先に記述されているように、送信されるサブパケットの数は、送信の遅延を減少させるために、減少するかもしれない。セクション２の中の最後に、サブパケットの長さは、より少ないサブパケットを用いて、同じ量のデータを送信できるようにするために、増加される。しかしながら、これは、システムの干渉ロバスト性を減少させるというデメリットを有する。
【０３２３】
最初に記述された問題を解決するために、（一部の）データの情報符号化は、ホッピングパターンに含まれてもよい。これは、用いられた、あらかじめ定義された定められたパターンは、もはや存在しないが、周波数、および／または、時間の中のサブパケットの位置は、データシンボルを定義することを意味する。
【０３２４】
実施の形態では、データ送信機１００は、したがって、第１のクラスのデータ、または、第１のクラスのデータのチャンネルで符号化されたバージョンから、第１のホッピングパターンの少なくとも一部を計算するように構成されており、それによって、第１のホッピングパターンの少なくとも一部それ自身が、第１のクラスのデータの少なくとも一部を符号化する。
【０３２５】
例えば、実施の形態では、第１のホッピングパターンの第１のグループは、明示されてもよく、データ送信機は、第１のクラスのデータ、または、第１のクラスのデータのチャンネルで符号化されたバージョンから、第１のクラスのホップの第２のグループを計算してもよく、それによって、第１のホッピングパターンのホップの第２のグループそれ自身は、第１のクラスのデータの少なくとも一部を符号化する。この場合には、データ送信機１００は、ホップの第１のグループ、及びホップの第２のグループに従って、第１の複数のサブデータパケットを送信するように構成されていてもよい。
【０３２６】
実施の形態では、データ受信機１１０は、第１のクラスのデータ、または、第１のクラスのデータのチャンネルで符号化されたバージョンの少なくとも一部を得るために、第１のホッピングパターンのホップの第２のグループのパターンを符号化するように構成されていてもよい。
【０３２７】
実施の形態では、これは、ただ、データビットの変調のために用いられてもよく（これは、全体の情報は、ホッピングパターンの中で符号化される）、サブパケットの範囲内のシンボルは、そのとき、完全に、同期シーケンスから成り、または、サブパケットは、同期シーケンスからはずれることを抑制し、さらなるデータビットは、変調ルールに従って、シンボル上にマップされる。この場合には、データ送信機は、ホッピングパターンの中の情報、及びサブパケットのシンボルの中の情報から成る。
【０３２８】
受信機では、ホッピングパターンは、仮説検定によって検出されてもよく、及びデータビットは、サブパケットの決定された周波数、及び時間から抽出されてもよい。
【０３２９】
例えば、２つのキャリア周波数（ｆｃ１、及びｆｃ２）は、定義されてもよい。もし、“１”は、データビットとして送信されることになっていれば、周波数ｆｃ１は、キャリア周波数として用いられ、これに対して、データビットとして“０”を用いて、周波数ｆｃ２は用いられる。
【０３３０】
周波数、及び時間の割り当ては、任意に、行われてもよく、しかしながら、それは、送信機、及び受信機に知られていなければならない。
【０３３１】
任意に、それぞれの周波数、および／または、時間間隔にデータビットが割り当てられる前に、データビットは、（例えば、ノイズ、または、干渉のために）送信機で、または、推定の間に受信機で発生するエラーを訂正できるようにするために、チャンネルで符号化されてもよい。
チャンネルでの符号化を通じて、それは、干渉チャンネル、または、低いＳＮＲで、この方法を用いることは可能であり、時間的な位置、および／または、周波数は、すべてのサブパケットのために、決定することはできない。
【０３３２】
実施の形態では、データ送信機側で、時間、および／または、周波数の中のサブパケットの位置は、送信される（一部の）情報に依存してもよい。
【０３３３】
実施の形態では、受信機は、そこから送信された情報を抽出するために、仮説検定（例えば、サブパケットの中の同期シーケンスを用いた相関関係）によって、サブパケットの間の時間、および／または、周波数間隔を決定してもよい。
【０３３４】
７．１．定義された参照の助けを伴う簡略化された検出
【０３３５】
特定の環境下では、セクション６に従った実施の形態は、非同期システムで、受信機が、どこから、及びいつ電文が開始したのかに関する情報を有しないというデメリットを有する。ホッピングパターン上に符号化している情報のために、サブパケットの位置は、時間、および／または、周波数で変化するので、電文検出を実行することは、もはや単純にはできない。
【０３３６】
したがって、受信機は、電文を連続してサーチしなければならず、それは、ホッピングパターンのすべての可能性を調査しなければならない。もし、限定された計算能力だけが利用可能であれば、いつも送信のすべての組み合わせを通じて、サーチすることは不可能である。
【０３３７】
実施の形態では、データ送信機１００は、したがって、データ受信機で同期するための同期信号に時間的に同期する、第１のホッピングパターン１６０に従って割り振られた、第１の複数のサブデータパケット１６２を送信するように構成されてもよい。
【０３３８】
実施の形態では、データ受信機１１０は、第１のホッピングパターン１６０に従って割り振られて転送された、第１の複数のサブデータパケット１６２を、同期信号を用いている受信データストリームの中で、検出するように構成されていてもよく、データ受信機は、第１のクラスのデータ、または、第１のクラスのデータのチャンネル符号化されたバージョンの少なくとも一部を得るために、それ自身が、第１のホッピングパターンを復号化するように構成されていてもよい。
【０３３９】
図１９は、同期信号１５８に時間的に同期する、第１のホッピングパターン１６０に従って、時間、及び周波数に割り振られた、第１の複数のサブデータパケット１６２の送信での送信チャンネルの例示的な占有を示している。例えば、同期信号１５８は、データ受信機１１０でサブデータパケット１５９の同期のための同期シーケンスを有する、２つの（または、それ以上の）サブデータパケット１５９を備え、２つの（または、それ以上の）サブデータパケット１５９は、固定された（非変化の、または、明示された）ホッピングパターンに従って送信される。換言すれば、図１９は、決定された、及び変化するホッピングパターンの組み合わせを示している。
【０３４０】
実施の形態では、実際の送信の前に、１つ／いくつかの同期バースト（これは少なくとも１つのサブパケットである）は、決定されたホッピングパターンを用いて送信されてもよい（図１１の下の図面を参照されたい）。受信機は、電文検出のために、この転送の一部を用いてもよい。
【０３４１】
実施の形態では、データ送信機１００は、第１のホッピングパターン１６０のホップの第１のグループ１６３＿１、及びホップの第２のグループ１６３＿２に従って、第１の複数のサブデータパケット１６２を交互に送信するように構成されていてもよく、ホップの第１のグループ１６３＿１は、明示されており、データ送信機１００は、第１のクラスのデータ、または、第１のクラスのデータのチャンネルで符号化されたバージョンから、ホップの第２のグループ１６３＿２を計算するように構成されており、それによって、第１のホッピングパターンのホップの第２のグループ１６３＿１それ自身が、第１のクラスのデータの少なくとも一部を符号化する。
【０３４２】
図１９ｂは、ホップの第１のグループ１６３＿１、及びホップの第２のグループ１６３＿２を用いているホッピングパターンに従って、第１の複数のサブデータパケット１６２の送信での送信チャンネルの例示的な占有を図の中に示しており、ホップの第１のグループ１６３＿１は、明示されており、ホップの第２のグループ１６３＿２は、第１のクラスのデータ、または、第１のクラスのデータのチャンネル符号化されたバージョンから計算される。換言すれば、図１９ｂは、決定された、及び可変ホッピングパターンの組み合わせを示している。
【０３４３】
実施の形態では、それは、決定されたホッピングパターンを用いている、実際のサブパケット（それらは、パイロットシーケンス、及びデータを含む）の一部分１６３＿１を送信することも可能である。
【０３４４】
決定されたホッピングパターンを用いて、先に送信された情報に続く転送の時点は、定義され、及び受信機に知られる。それは、また、前に、または、決定されたホッピングパターンの間に、可変ホッピングパターンのデータを送信することを可能にする。したがって、検出のために用いられる参照は、電文の最後、または、中間である。
【０３４５】
決定されたホッピングパターンを用いる送信の、長さ、データレート、変調方法、帯域幅、及びさらなるパラメータは、ホッピングパターンの中の情報を用いている送信から逸脱してもよい。
【０３４６】
実施の形態では、データ送信機側で、サブパケットは、サブパケットは、時間的および／または周波数的な位置が転送される情報の（一部）に依存するサブパケットの放出前に、固定されたホッピングパターンを用いて転送されてもよい。
【０３４７】
実施の形態では、受信機は、決定されたホッピングパターンを用いているサブパケットによって、送信が、起きたかどうか、及びいつ起きたかを決定してもよい。もし、送信機が検出されたら、受信機は、送信された情報を、そこから抽出できるようにするために、サブパケットの間の時間、および／または、周波数間隔をこの検出に基づいて決定する。
【０３４８】
８．それぞれのサブパケットの全体の情報
【０３４９】
実施の形態では、データ送信機１００は、エラーのない送信で、それぞれのサブデータパケット１６２が、それ自身のための、第１のクラスのデータを取得するために、受信機側で決定されてもよいように、及びエラーのある通信で、少なくとも、２つのサブデータパケット１６２の組み合わせを通じて、より高い符号化利得を達成するように、第１の複数のサブデータパケット１６２上に第１のクラスのデータを分割するように構成されていてもよい。
【０３５０】
実施の形態では、データ受信機１１０は、第１の複数のサブデータパケット１６２の少なくとも第１のサブデータパケットを受信し、及び第１のクラスのデータを得るために、第１のサブデータパケットを復号化するように構成されていてもよく、及び、もし、第１のサブデータパケットを用いている第１のクラスのデータの復号化に成功しなければ、より高い符号化利得を達成するために、複数のサブデータパケット１６２の少なくとも第２のサブデータパケットとともに、第１のサブデータパケットを組み合わせ、及び第１のクラスのデータを得るために、同じものを組み合わせるように構成されていてもよい。
【０３５１】
図２０は、第１のホッピングパターン１６２に従った、第１の複数のサブデータパケット１６２の送信での、送信チャンネルの例示的な占有を図の中に示しており、エラーのない送信で、それぞれのサブデータパケット１６２は、それ自身のために、受信機側で決定されてもよい。換言すれば、図２０は、それぞれのサブパケット上に全体の情報を有する送信機を示している。
【０３５２】
実施の形態では、いくつかのサブパケット上に、いくつかの情報を分割する代わりに、遅延を減少させるために、それぞれのサブデータパケットの中のすべての情報を送信することも可能である。したがって、干渉がないチャンネル、及び十分なＳＮＲ（ＳＮＲ＝信号対ノイズ比）を用いて、１つのサブパケットを受信した後に、情報の復号化が可能である。
【０３５３】
以下のサブパケットの送信は、それぞれのサブパケットが、すべての情報を運ぶように、サブパケットを用いて、受信、または、いっしょに符号化されてもよいかのいずか一方でもよい。これは、それぞれのサブパケットは、少なくとも、１つの符号化レートを有するとを意味する。例えば、もし、３つのサブパケットが送信されると、符号化のレートの１／３が用いられる。
【０３５４】
任意に、符号化レートをさらに増加させることも可能であり、例えば、３つのサブパケットを用いて、符号化のレートの１／４を用いることができる。この場合には、サブパケットは符号化レート３／４を有し、それぞれのサブパケットは、“小さな”干渉の場合に次のサブパケットを、いつも、待たなくてもよいというメリットを有する。
【０３５５】
実施の形態では、データ送信機側で、それぞれのサブパケットは、電文のすべての情報を含んでいてもよい。
【０３５６】
実施の形態では、受信機は、第１のサブパケットを受信した後に、すでに、メッセージの復号化を試みてもよい。
【０３５７】
９．可能な限り早く符号化するための特別なインターリーブ
【０３５８】
実施の形態では、データ送信機１００は、第１のクラスのデータをチャンネル符号化し、及び第１のホッピングパターン１６０を用いて、同じものを送信するように構成されていてもよく、データ送信機は、エラーのない通信で、サブデータパケット１６２の第１のグループ１６３＿１のみが第１のクラスのデータの成功した復号化のために必要とされるように、及びエラーのある通信で、より高い符号化利得が、サブデータパケット１６２の第１のグループ１６３＿１と、サブデータパケット１６２の第２のグループ１６３＿２（及び、任意に、サブデータパケット１６２の第３のグループ１６３＿３）の組み合わせを通じて達成されるように、第１の複数のサブデータパケット１６２上に、第１のクラスのチャンネル符号化されたデータを割り振るように構成されていてもよく、サブデータパケット１６２の第１のグループ１６３＿１は、サブデータパケット１６２の第２のグループ１６３＿２（及び、サブデータパケット１６２の第３のグループ１６３＿３）よりも時間的に前に送信される。
【０３５９】
実施の形態では、データ受信機は、第１のクラスのデータを得るために、サブデータパケット１６２の第１のグループ１６３＿１とともに受信されたチャンネル符号化されたデータの第１の部分を復号化し、及びもし第１のクラスのデータを復号化することに成功しなければ、より高い符号化利得を得るために、サブデータパケット１６２の少なくとも第２のグループ１６３＿２とともに受信された、チャンネル符号化されたデータの少なくとも第２の部分を、チャンネル符号化されたデータの第１の部分と組み合わせ、及び第１のクラスのデータを得るために、同じものを復号化するように構成されていてもよい。
【０３６０】
図２１は、第１のホッピングパターン１６０に従って、時間、及び周波数に割り振られた、第１の複数のサブデータパケット１６２の送信での送信チャンネルの例示的な占有を図の中に示しており、第１のクラスのチャンネル符号化されたデータは、エラーのない送信で、サブデータパケット１６２のそれぞれのグループ１６３＿１から１６３＿３が、第１のクラスのデータを得るために、それ自身のために取得されて復号化されるように、第１の複数のサブデータパケット１６２上に割り振られる。換言すれば、図２１は、できるだけ早期の復号化を可能にするために、電文分割で、チャンネル符号化されたデータのサブパケット上への特別な分割を示している。
【０３６１】
したがって、セクション１の休止の減少、またはセクション３の電文受信の代わりに（または、組み合わせの中で）特別なインターリーバ構造は、送信機で遅延時間を減少させるために、選択されてもよい。できるだけ知的に、データの分割を実行することを目的とし、それによって、データの復号化の第１の試みは、時間内に、できるだけ早く起きてもよい。
【０３６２】
これを通じて、情報は、複数回送信されなくてもよく、及び電文分割を用いている既知の送信機とは対称的に、システムの性能に違いはない（すべての送信を考慮したときには）。
【０３６３】
以下では、この目的は、符号化レート１／３を用いている従来の符号化の例を用いて、さらなる詳細を記述することであり、しかしながら、それは、また、類似的に、他のチャンネル符号化に適用される。
【０３６４】
符号化レート１／３（パンクチャリングなしに）の畳み込み符号では、３つの多項式が、符号化で用いられる。これらの３つの多項式の出力は、以下のように、サブパケット上に符号化された後に、割り振られる。第１の多項式のビットは、最初のサブデータパケット（サブデータパケットの第１のグループ１６３＿１）上にマップされるのに対して、第２の多項式のビットは、中央のサブデータパケット（サブデータパケットの第２のグループ１６３＿２）上にマップされるのに対して、第３の多項式のビットは、最後のサブデータパケット（サブデータパケットの第３のグループ１６３＿３）上にマップされる。
【０３６５】
この特別な分割を通じて、受信機のために、例に従って、サブパケットの１／３の受信の後に、復号化の試みを開始することは、もうすでに、可能である。もし、この試みが失敗すれば、さらなるデータを受信し、及びそれに応じて、新しい復号化の試みを開始してもよい。
【０３６６】
実施の形態では、受信機側で、インターリーバは、復号化の試みのために最小限必要とされる情報が、パケットの中にできるだけ早く導入され、及び転送されてもよいように、設計されてもよい。
【０３６７】
実施の形態では、受信機は、多項式０のすべてのデータを受信した後に、もうすでに、メッセージの復号化を試みてもよい。もしこれが機能しなければ、さらなる情報が受信される。もし、受信機が、受信パラメータの推定を有していれば、それは、代わりに、復号化が合理的であると予想される開始時点を計算してもよい。
【０３６８】
９．１．多項式の組み合わせ
【０３６９】
例えば、セクション９に従った実施の形態では、もし、多項式１の受信は、いつも不可能である後に、多項式０の第１のサブパケット、及び多項式１の第１のサブパケットが、電文の早期の復合化を伴って、干渉されていれば、多項式２が、同様に受信されなければならない。遅延を改善するために、セクション９の例の第２の、及び第３の多項式は、インターリーブされてもよい。このような構造は、図２２に見られる。
【０３７０】
詳細には、図２２は、第１のホッピングパターン１６０に従って、時間、及び周波数に割り振られた、第１の複数のサブデータパケット１６２の送信での送信チャンネルの例示的な占有を図の中に示しており、第１のクラスのチャンネル符号化されたデータは、サブデータパケット１６２の第１のグループ１６３＿１が、第１の符号化多項式（多項式０）に従って、チャンネル符号化されたデータと、を備えるように、及びサブデータパケット１６２の第２のグループ１６３＿２が、複数の符号化多項式（多項式１、及び多項式２）に従って、チャンネルで符号化されたデータを備えるように、第１の複数のサブデータパケット１６２上に割り振られる。換言すれば、図２２は、できるだけ早く、復号化を可能にするために、電文分割で、サブパケット上に、チャンネル符号化されたデータの特別な分割を示しており、第１の多項式は、最初に用いられ、及び２つのさらなる多項式が、インターリーブされた形で続く。
【０３７１】
多項式０は、もうすでに、第１のサブパケットに完全に導入されているという事実により、最小の遅延がもうすでに与えられている、しかしながら、導入された例のような干渉の場合には、２つの残りの多項式のサブパケットの半分（または、さらにより少ない）を受信するのみで十分である。
【０３７２】
実施の形態では、データ送信機側で、インターリーバは、復号化の試みのための最小限必要な情報が、できるだけ早く、パケットの中に導入され、残りはインターリーブされるように設計されてもよい。
【０３７３】
実施の形態では、受信機は、多項式０のすべてのデータを受信した後に、もうすでに、メッセージの復号化を試みてもよい。もしこれが機能しなければ、さらなる情報が受信される。
【０３７４】
９．２．相互の情報の支援を伴う復号化の試みの決定
【０３７５】
セクション９、及び９．１に従った２つの先の実施の形態では、符号化の試みは、チャンネル特性にかかわらず、実行された。これは、チャンネル特性が悪い場合でも、復号化の試みは、多項式０の受信の後に開始されることを意味し、それはいつも不成功である。
【０３７６】
実施の形態では、データ受信機１１０は、サブデータパケット１６２の第１のグループ１６３＿１が、第１のクラスのデータの成功した復号化のために十分であるかどうか、または、サブデータパケットの第１のグループ１６３＿１及びサブデータパケット１６２の第２のグループ１６３＿２の組み合わせが、第１のクラスのデータの成功した復号化のために必要とされるかどうかに関する相互の情報の推定に基づいて、決定するように構成されていてもよく、データ受信機は、もし、サブデータパケット１６２の第１のグループ１６３＿１を示す相互の情報の推定が、第１のクラスのデータの成功した復号化のために十分であれば、第１のクラスのデータを得るために、サブデータパケット１６２の第１のグループ１６３＿１を復号化するように構成されていてもよく、データ受信機１１０は、サブデータパケット１６２の第１のグループ１６３＿１と、サブデータパケット１６２の第２のグループ１６３＿２の組み合わせを示す相互の情報の推定が、第１のクラスのデータ成功した復号化のために必要であれば、サブデータパケット１６２の第１のグループ１６３＿１と、サブデータパケット１６２の第２のグループ１６３＿２を組み合わせ、及び同じものを復合化するように構成されていてもよい。
【０３７７】
実施の形態では、ＬＬＲ（例えば、ＳＮＲから）の相互の情報を推定するための方法を備えるという条件で、データ受信機１１０は、可能な正確な復号化の時点を計算してもよい。
【０３７８】
このため、データが正確に復号化されるまで無思慮に実行している復号化の試みは、もはや必要とはされず、受信機での計算能力は、したがって、減少してもよい。
【０３７９】
実施の形態では、受信機は、電文の復号化が合理的であることが分かる時点の相互の情報の支援を用いて計算してもよい。
【０３８０】
１０．遅延の少ないショートメッセージとその後の詳細
【０３８１】
実施の形態では、データ送信機１００は、サブデータパケット１６２の第１のグループ１６３＿１が、第１のクラスのデータのコア情報を備え、及びサブデータパケット１６２の第２のグループ１６３＿２が、第１のクラスのデータの拡張情報を備えるように、第１の複数のサブデータパケット１６２上に、第１のクラスのデータを分割するように構成されていてもよく、サブデータパケット１６２の第１のグループ１６３＿１は、サブデータパケット１６２の第２のグループ１６３＿２よりも時間的に前に送信される。
【０３８２】
実施の形態では、データ受信機１１０は、拡張情報よりも前に、コア情報を得るために、サブデータパケット１６２の第１のグループ１６３＿１を最初に受信し、及びその次に、サブデータパケット１６２の第２のグループ１６３＿２を受信するように構成されていてもよい。
【０３８３】
図２３は、第１のホッピングパターン１６０に従って、時間、及び周波数に割り振られた、第１の複数のサブデータパケット１６２の送信での送信チャンネルの例示的な占有を図の中に示しており、サブデータパケット１６２の第１のグループ１６３＿１が、コア情報を備え、及びサブデータパケット１６２の第２のグループ１６３＿２が、拡張情報を備え、サブデータパケット１６２の第１のグループ１６３＿１は、サブデータパケット１６２の第２のグループ１６３＿２よりも時間的に前に送信される。換言すれば、図２３は、情報の一部のみが最初に必要とされるので、早期の警報は可能であることを示している。
【０３８４】
実施の形態では、多くのアプリケーションは、最初は、イベントが存在する情報、及び装置が送信したイベントに関する情報のみを必要とする。イベントに関するさらなる情報（例えば、工場の中の温度超過、または、引き起こされた警報の原因）は、後ほどにのみ必要とされる。例えば、人員は、多くのケースで、正確な原因を知ることなしに、イベントの範囲に移動することを開始する。正確な原因は、行程の間に提供されてもよい。
【０３８５】
これは、あらかじめ、小さな遅延を伴う、イベントについての最も重要な情報（イベント＋ＩＤ）のみを送信することを可能にするという結果を生じさせる。送信すべきデータの数が減少するために、サブパケットの間の休止は、従来の継続時間の領域の中にあってもよいという結果から、比較的少数のサブパケットが必要とされる。これは、より多くの情報を有する通常の電文の限りにおいては、高い優先順位を有する送信のために、ほぼ同じ干渉ロバスト性（低遅延で）を達成する。これを通じて、望ましい干渉ロバスト性を達成するために、いつも、さらなる電文を受信する必要はない。
【０３８６】
実施の形態では、データ送信機側で、電文は、イベントの報告のために必要とされる情報のみが、メッセージの前部で導入されるように、構築されてもよい。イベントに関する追加的な情報が、後部に続く。
【０３８７】
実施の形態では、データ受信機側で、イベントとその必要な情報を部分的に復号化した後に、イベントは、もうすでに、転送されており、及び遅延は、したがって、減少するかもしれない。もし、完全な電文が受信できれば、さらなるデータは、また、利用可能になる。
【０３８８】
１０．１．ホッピングパターンの割り当て
【０３８９】
実施の形態では、データ送信機１００は、第１のホッピングパターン１６２自体がデータ送信機を識別するように、データ送信機１００のアドレス情報またはそこから導出された情報を使用して、第１のホッピングパターン１６２の少なくとも第１のグループのホップを計算するように構成されてもよい。サブデータパケット１６２のホップの第２のグループ１６３＿２が、指定されてもよい。
【０３９０】
実施の形態では、データ送信機１００は、さらに、データ受信機１１０に符号化された、または、暗号化された、第１のホッピングパターンに関する情報をあらかじめ送信するように構成されていてもよい。
【０３９１】
実施の形態では、データ受信機１１０は、例えば、先に受信された、符号化された、または、暗号化された、第１のホッピングパターンに関する情報を用いる第１のホッピングパターン１６０に基づいて、データ送信機を識別するように構成されていてもよい。
【０３９２】
図２４は、第１のホッピングパターン１６０に従って、時間、及び周波数に割り振られた、第１の複数のサブデータパケット１６２の転送での転送チャンネルの例示的な占有を図の中に示しており、ここで、ホッピングパターン１６２のホップの第１のグループ１６３＿１は、データ送信機を識別する。
【０３９３】
情報をサブパケットへすべて符号化する代わりに、高い優先順位を有するメッセージの一部は、実施の形態では、ホッピングパターンの中に導入されてもよい。センサノードのＩＤの使用は、それはいくつかの送信のために一定であり、基地局は、したがって、このパターンを探さなければならないだけであるので、ここで、最も合理的なアプローチである。
【０３９４】
このように、異なるセンサノードのために、高い優先順位を有するメッセージを送信しているときには、基地局に知られていなければならない、異なるホッピングパターンが存在する。この事実のために、高い優先順位を有するメッセージを送信しているときには、センサノードのＩＤは、ホッピングパターンの中に符号化され、そして、明示的に転送される必要はない。
【０３９５】
システムへの攻撃を避けるために、もし、ノードと、基地局との間のホッピングパターンが秘密にされていれば、合理的である。ホッピングパターンが不明であるので、それは、したがって、見知らぬ人のために、誤警報が引き起こされる可能性はない。
【０３９６】
基地局にホッピングパターンを開示するために、ホッピングパターンのためのいわゆる識別子は、あらかじめ、通常のメッセージの中で（暗号化をともなって）送信されてもよい。使用されるホッピングパターンは、この識別子から計算されてもよい。
【０３９７】
セキュリティを維持するために、リプレイ攻撃を避けるために、時間から時間までのホッピングパターンを適宜適用することもさらに可能である。
【０３９８】
高い優先順位を有するメッセージの転送で、低遅延を得るために、高い優先順位を有するメッセージの報告のためのホッピングパターンは、通常の電文よりもホップ数が少ない。
【０３９９】
実施の形態では、センサノードは、センサノードが、高い優先順位を有するメッセージのための合図として用いるだけの識別子によって、基地局にホッピングパターンを通信してもよい。したがって、ＩＤのための明示的な転送は、実行されなくてもよい。
【０４００】
実施の形態では、通常のホッピングパターンに加えて、受信機は、それが知っている、高い優先順位を有するメッセージのための、センサノード・ホッピングパターンの検出を実行してもよい。もし、そのようなパターンが検出されると、実際のＩＤは、ホッピングパターンとリンクされてもよい。
【０４０１】
１０．２．短いＩＤの割り当て
【０４０２】
実施の形態では、データ送信機１００は、通信ネットワークの基地局から、通信ネットワーク内のデータ送信機１００を明確に識別しているアドレス情報よりも短い、短いアドレス情報を得て、及び第１のホッピングパターンを用いて放射しているときには、同じものを用いるように構成されていてもよい。例えば、データ送信機１００は、短いアドレス情報から、少なくとも第１のホッピングパターン１６２のホップのグループを計算するように構成されていてもよく、それによって、第１のホッピングパターン１６２それ自身は、データ送信機を識別する。
【０４０３】
実施の形態では、データ受信機１１０は、短いアドレス情報に基づいて、データ送信機１００を識別するように構成されていてもよい。例えば、データ受信機１１０は、短いアドレス情報から少なくとも部分的に計算されてもよい、第１のホッピングパターンに基づいて、データ送信機１００を識別するように構成されていてもよい。+
【０４０４】
実施の形態では、データ受信機（例えば、基地局）は、データ送信機１００に、通信ネットワークの範囲内で、データ送信機を明確に認識するアドレス情報よりも短い、短いアドレス情報を割り当てるように構成されていてもよい。
【０４０５】
センサネットワークでは、典型的に、いくつかの基地局によってサービスされなければならない、数１００万までのセンサノードが存在する。このような多数の装置のために、一定の長さが、ＩＤ（例えば、ＩＰ−ｖ６）によって、装置を明確に割り当てるために、必要とされる。
【０４０６】
しかしながら、これらの比較的長いＩＤは、セクション１０のコンセプトと組み合わせることが困難である。
【０４０７】
しかしながら、基地局ごとのセンサノードの数は、より少なく、及びすべての装置が、高い優先順位を有するメッセージを送信しなくてもよいので、これらの装置には基地局によって、短いＩＤが、提供されてもよい。
【０４０８】
この短いＩＤは、そのとき、高い優先順位を有するメッセージの送信の中で用いられる。基地局では、実際のＩＤは、短いＩＤから再マッピングされる。
【０４０９】
短いＩＤは、センサネットワークの中で、繰り返されてもよいが、基地局内のすべてのセンサノードが明確な短いＩＤを有することが、重要である。
【０４１０】
実施の形態では、送信機側で、短いＩＤは、高い優先順位を有するメッセージの送信のために用いられてもよく、例えば、基地局は、短いＩＤを、接続された装置に割り当てる。
【０４１１】
実施の形態では、受信機は、オリジナルのＩＤ上に、短いＩＤを再マッピングしてもよい。
【０４１２】
１０．３．グループへの短いＩＤの割り当て
【０４１３】
実施の形態では、短いアドレス情報は、データ送信機１００のグループに割り当てられてもよく、データ送信機のグループは、空間的に関連した領域に配置されてもよい。
【０４１４】
例えば、データ受信機１１０は、短いアドレス情報を、データ送信機１１０のグループに割り当てるように構成されていてもよく、データ送信機のグループは、空間的に関連した領域に配置される。
【０４１５】
いくつかのイベント発生器が一緒に近くに設置されることは、しばしばある（例えば、ビルの中に）。この場合には、対抗策を計画するために、正確なイベント発生器を、すぐに知る必要はない。人員を危険な領域に派遣するために、ビルを知っておくことは、重要であることが多い。
【０４１６】
このような理由のために、いわゆるグループショートＩＤを割り当てることも可能である。すなわち、基地局内の複数の送信機は、同じ短いＩＤを提供される。これにより、最初に、短いＩＤを基地局内の元のＩＤに、正確に割り当てることは不可能である。
【０４１７】
例えば、完全なＩＤは、メッセージの後ろの部分の中に導入されることができる、または、分離したメッセージとして送信されることができる。
【０４１８】
実施の形態では、データ送信機側で、短いＩＤは、高い優先順位を有するメッセージの送信のために用いられてもよく、基地局は、接続されたセンサノードに、短いＩＤを割り当ててもよく、ＩＤは、センサノードの所属に従って、複数回、割り当てられてもよい。
【０４１９】
実施の形態では、短いＩＤを受信したときに、受信機は、最初に、短いＩＤの所属のみを転送してもよい。すべてのＩＤを受信した後に、同じものを、出力してもよい。
【０４２０】
１０．４．優先度の高いメッセージのための短縮
【０４２１】
実施の形態では、第１のクラスのデータは、センサ値から導出された短い情報であって、及びセンサ値よりも短くされていてもよい。
【０４２２】
実施の形態では、データ受信機１１０は、短い情報を備える第１のクラスのデータを受信したときに、短い情報を既知のセンサ値と関連付けるように構成されていてもよい。
【０４２３】
高い優先順位を有するメッセージでは、情報は、大部分が、いくつかの可能性のある事象に限定されることがある。例えば、警報は、警報の可能性はとても少ない数しかない。
【０４２４】
例えば、それは、したがって、警報のための煙検出器の全体のセンサ値を送信する必要はなく、それは、煙検出器が作動した旨の警報通知を送信すれば十分である。
【０４２５】
一般的に、すべての基地局は、すべての種類のセンサノードが、個々の基地局と通信するわけではないので、高い優先順位（イベント）を有する異なるメッセージのすべての種類を処理しないといけないわけではない。
【０４２６】
ここで、受信しなければならない高い優先順位を有する異なる種類のメッセージを知ることは、基地局にとって有益である。
【０４２７】
このメッセージの種類の設定から、基地局は、それぞれのイベントに、略語（短いＩＤに類似した）を割り当ててもよいが、ＩＤではなく、メッセージ内容を割り当て、及び対応するセンサノードに同じものを送信する。
【０４２８】
短いメッセージ、及び対応するメッセージ・タイプの組み合わせは、基地局の間で異なっていてもよく、換言すれば、短いメッセージは、異なる基地局では、異なる意味を有していてもよい。
【０４２９】
これは、高い優先順位を有するイベントの中で送信されるデータ量を大幅に減少でき、及びしたがって、送信されるサブパケットの数を減少でき、結果として転送の待ち時間を低減できる。
【０４３０】
もし、さらなる情報が、遅い時点で、メッセージ・タイプに加えて必要とされると、それは、セクション１０に従って添付されることもでき、または、追加の電文で送信できる。
【０４３１】
実施の形態では、高い優先順位を有する異なるメッセージ・タイプのクラスは、それぞれの基地局のために、定義されてもよい。対応するセンサノードに通信される短いメッセージは、このクラスの範囲内で異なるイベントに割り当てられてもよい。
【０４３２】
実施の形態では、短いメッセージを受信すると、受信機は、定義されたクラスの支援を用いて、短いメッセージのタイプを決定し、及び同じものを転送してもよい。
【０４３３】
１０．５．頻繁に送信されるメッセージ部分の省略
【０４３４】
実施の形態では、第１のクラスのデータは、センサ値から導出された短い情報であってセンサ値よりも短い情報であってもよく、データ送信機は、データ受信機に、あらかじめ、短い情報、及び短い情報に関連付けられたセンサ値、または、短い情報に関連付けられたセンサ値のグループを送信するように構成されていてもよい。
【０４３５】
実施の形態では、データ受信機１１０は、データ送信機から、あらかじめ、短い情報、及び短い情報に関連付けられたセンサ値、または、短い情報に関連付けられたセンサ値のグループを受信するように構成されていてもよく、データ受信機１１０は、短い情報を備える第１のクラスのデータを受信したときに、既知のセンサ値、または、センサ値のグループを有する短い情報を関連付けるように構成されていてもよい。
【０４３６】
換言すれば、セクション９．３に類似して、繰り返し、または、頻繁に送信されたメッセージ部分の省略形は、また、高い優先順位のないメッセージで、または、高い優先順位を有するメッセージに続く詳細の中で用いられてもよい。
【０４３７】
この最後に、基地局は、あらかじめ、どのメッセージ部分が、さらに連続して繰り返し起きるのかに関する情報が提供されていなければならない。例えば、これらは、センサからのセンサ値であってもよく、より低い４バイトＡＤＣ値のみが、データのディジタル化の後に変調される。したがって、この例では、繰り返し起きるメッセージは、いつも０であるセンサ値のＭＳＢ（最上位バイト）であろう。
【０４３８】
もし、基地局が、それに接続されたセンサノードの繰り返されるメッセージ部分についての先の知識を有していなければ、繰り返される部分の検出のために、受信データの測定、及び分析が実行されてもよい。
【０４３９】
さらに繰り返し起きるメッセージ部分が検出された場合には、テーブル、または、算術符号化、または、ハフマン符号により、より短いメッセージに変換されてもよいし、メッセージの数を減少させるために他の方法が用いられてもよい。
【０４４０】
実施の形態では、異なる繰り返されるメッセージ部分のクラスは、それぞれの基地局のために（または、グローバルにさえ）定義されてもよい。このクラスの範囲内の異なるイベントは、対応するセンサノードに伝えられる、短いメッセージを用いて割り当てられる（表、または、符号化によって）。
【０４４１】
実施の形態では、短いメッセージを受信すると、受信機は、定義されたクラスの支援を用いて、実際のメッセージに、短いメッセージを変換し、及び同じものを転送してもよい。
【０４４２】
１１．特定のホッピングパターン、または、パイロットシーケンス
【０４４３】
１１．１．優先メッセージのための特定のホッピングパターン
【０４４４】
実施の形態では、第１のホッピングパターンは、使用の周波数、および／または、優先順位に従って、データ受信機（例えば、基地局）１１０によって、データ送信機に割り当てられてもよい。
【０４４５】
センサネットワークの中の非常に多数のセンサノード（数千のセンサノード）のために、干渉は、主に／頻繁に、センサノードの間で、自己干渉を導く。
【０４４６】
電文分割では、もし、２つの送信機が、サブパケットの継続時間の範囲内に、同じホッピングパターンを用いて、送信を開始すると、サブパケットが全体的にオーバーラップする結果となるため、自己干渉が問題になる。
【０４４７】
もし、メッセージが低遅延、及び高い優先順位を伴って送信されると、通常の送信のためよりも、このために異なったホッピングパターンを用いることは、最良である。
【０４４８】
しかしながら、通常は、特定の数のパターンのみが、受信機で検出されるので、警報のための、それ自身が有するホッピングパターンを用いている、それぞれのセンサノードを提供することは不可能である。したがって、いくつかのノードは、特定のホッピングパターンを共有しなければならない。
【０４４９】
通常、基地局は、どのようなノードがそれと通信するのか、及びどれくらいのノードが高い優先順位を伴うメッセージを送信するのかを知っている。したがって、もし、基地局が、使用の優先順位、及び周波数に依存して、対応するセンサノードに高い優先順位を有するメッセージのための利用可能なホッピングパターンを割り当てることは、有益である。
【０４５０】
実施の形態では、基地局は、センサノードに、高い優先順位を伴うメッセージのために用いられてもよい、特定のホッピングパターンを割り当ててもよい。
【０４５１】
１１．２．優先メッセージのための階段ホッピングパターン
【０４５２】
セクション１１．１の中のさらなるホッピングパターンの定義を通じて、受信機は、同様に、これらのホッピングパターンのための検出を実行しなければならない。もし、受信機の計算能力は、通常のホッピングパターンが、受信機のすべての計算能力をほとんど必要とするように構成されていれば、高い優先順位を有するメッセージのためのホッピングパターンは、通常モードのすべてのホッピングパターンがもはや支援されない限り、加えられることはできない。しかしながら、この実行の結果、通常の電文のための性能が低下する。
【０４５３】
この問題を解決するために、非常に低い計算量で検出される可能性のあるホッピングパターンが、高い優先順位を有するメッセージのために用いられてもよい。
【０４５４】
実施の形態では、第１のホッピングパターン１６０は、図２５に示すように、第１のホッピングパターン１６０に従って送信されたサブデータパケット１６２が、互いに関して、同じ時間間隔、及び周波数間隔と、を備えるように、生成されてもよい。
【０４５５】
詳細には、図２５は、第１のホッピングパターン１６０に従って送信されたサブデータパケット１６２が、互いに関して、同じ時間間隔、及び周波数間隔と、を備えるように、第１のホッピングパターン１６０に従って、時間、及び周波数に割り振られた、第１の複数のサブデータパケット１６２の送信での送信チャンネルの例示的な占有を図の中に示している。換言すれば、図２５は、階段ホッピングパターンを用いている、電文の放射を示している。
【０４５６】
図２５に見られるように、とても低い計算努力を用いて検出されてもよい、いわゆる階段ホッピングパターンは有益である。階段ホッピングパターンでは、連続するサブパケットの周波数は、２つのサブデータパケットの間の相違は、いつも同じであるように、選択される。サブパケットの間の休止は、任意に（さらなる計算努力を減少させるために）、等距離である（すなわち、すべての休止は、同じ長さである）。
【０４５７】
受信機では、電文のように（ちょうど、通常の電文を有するように）、水晶許容誤差によって引き起こされた周波数オフセットを持って到達する。通常のホッピングパターンを用いて、電文を検出するときには、サブパケットの間の周波数間隔が、同じではないので、検出は、すべての可能な周波数偏移にわたって実行されなければならない。
【０４５８】
階段ホッピングパターンの場合には、すべての電文は、周波数シフトを通じて、シフトされ、及びサブパケットの間の相対的な周波数間隔は、まだ一定なので、小さな範囲を通じて、サーチすれば十分である。図２６は、受信機での電文を示しており、前記テレグラムは、周波数オフセットなしに受信されており、それは、完全に検出範囲にある。これに加えて、図２７は、さらに、それぞれ、正、及び負の周波数オフセットを有する、受信機に到達した２つの電文を示している。電文は、いまや、部分的にのみ、検出範囲の中にある。
【０４５９】
検出のために、相関させることが、検出範囲内のすべての可能な周波数で、個々のサブパケット（または、相関性の種類）の全体で、最初に実行される。この部分的な相関の結果は、そのとき、電文のホッピングパターンに従って、加えられる。
【０４６０】
サブパケットの間の周波数間隔は、等距離なので、これは、正確に、階段ホッピングパターンのメリットが、明確になる。周波数オフセットが発生した場合には、電文の検出は、検出範囲内の、残りのサブパケットで実行される。
【０４６１】
しかしながら、これは、受信機が、もはや、必ずしも電文の開始を検出するのではなく、周波数オフセットに依存する電報内の任意の位置を検出することになる事実が結果として生じる。
【０４６２】
したがって、電文を検出しているときには、電文の開始時間のさらなる決定は、その後に実行されるべきである。
【０４６３】
階段関数としてのホッピングパターンを選択するさらなるメリットは、それぞれの周波数が、一度、占有されるだけでよく、及び信号の帯域幅が最大化されることである。これは、他のシステムからの外部干渉に対して、より良い干渉ロバスト性を生じさせる結果になる。
【０４６４】
しかしながら、このアプローチは、自己干渉ロバスト性が減少するので、システムの能力が減少するというデメリットも有する。しかしながら、これは、もし、通常のメッセージと高い優先順位を有する低遅延メッセージが、異なるホッピングパターンを用いれば、問題ではない。
【０４６５】
実施の形態では、（データ送信側で）、ホッピングパターン１６２は、２つのサブパケットの間のすべての周波数間隔が、等距離になるように、及び休止が任意に、同じ長さにもなるようにも、選択されてもよい。
【０４６６】
実施の形態では、（受信機側で）、階段ホッピングパターンのための検出範囲は、通常のホッピングパターンよりも小さくてもよい。階段ホッピングパターンの検出の後に、正確な開始時間のさらなる分析が実行される。
【０４６７】
１１．３．優先メッセージのための特定のパイロットシーケンス
【０４６８】
データの量を減少することによって、低遅延を伴う、高い優先順位を有するメッセージの送信が可能になるいわゆるショートＩＤは、セクション１０．２において定義された。
【０４６９】
データの量を減少させるためのさらなるアプローチは、短いＩＤ、または、すべてのＩＤの一部分、または、パイロットシーケンスの中へのメッセージのどのような部分でも符号化すべきことである。もし、少ない可能性（高い優先順位を有する異なるメッセージの種類のためのような）のみが格納されていれば、受信機で、シーケンスの検索を実行すること、及びしたがって、仮説検定によって、パイロットシーケンスの中で送信された情報を抽出することは可能である。
【０４７０】
実施の形態では、データ送信機１００は、第１のクラスのデータの少なくとも一部、第１のクラス、データ送信機１００のアドレス情報、または、データ送信機１００の短いアドレス情報から、データ受信機１１０の中の第１の複数のサブデータパケット１６２の同期のための同期シーケンスの少なくとも一部を計算するように構成されていてもよい。
【０４７１】
例えば、短いＩＤは、４つの異なった優先タイプを明示してもよい、２ビットの長さを有していてもよい。パイロットシーケンスにこれら４つの異なるタイプを変調するために、４つの異なるシーケンスが存在しないといけないのかもしれない。
【０４７２】
可能な限り直交し、及び受信機によって検出され、または、認識される、４つのシーケンスを開発することは可能である。しかしながら、これは、４つのパイロットシーケンスの並行な検出を含む。
【０４７３】
もし、パイロットシーケンスがいくつかの部分（例えば、少なくとも４つ）に分割され、及び追加がパイロットシーケンスの一部の間で矛盾して実行されると（ＷＯ ２０１７/１６７３６６を参照されたい）、シンボルの位相オフセットが、パイロットシーケンスの中の情報を明示するために、できる限り直交した、いくつかのシーケンスを用いる代わりに、用いられてもよい。この場合には、４つのシーケンスの検出は、一緒に実行されるが、パイロットシーケンス部分の位相情報（または、パイロットシーケンス部分の間の位相情報）の分析は、復号器で実行されなければならない。
【０４７４】
セクション７．１に類似して、すべての同期シーケンスを変更しないで、及び同期のために（まだ一定の）同期シーケンスの残りの部分を用いることは可能である。
【０４７５】
実施の形態では、データ送信機側で、パイロットシーケンスは、メッセージ・タイプ、または、高い優先順位を有するメッセージのデータの一部分に依存してもよい。
【０４７６】
実施の形態では、受信機は、仮説検定によって、送信されたパイロットシーケンスを決定してもよく、及び高い優先順位を有するメッセージのデータのタイプ、または、データの一部分を抽出するために、これを用いてもよい。
【０４７７】
１２．電文におけるデータレートの適用
【０４７８】
１２．１．データレートの急激な適用
【０４７９】
実施の形態では、データ送信機１００は、第１のクラスのデータをチャンネル符号化し、及び第１のホッピングパターン１６０を用いて、同じものを送信するように構成されていてもよく、データ送信機１００は、エラーのない送信で、サブデータパケットの第１のグループのみが、第１のクラスのデータの成功した復号化のために必要とされるように、及びエラーのない送信で、より高い符号化利得が、サブデータパケットの第１のグループと、サブデータパケットの第２のグループの組み合わせを通じて、達成されるように、第１の複数のサブデータパケット１６２上にチャンネル符号化された第１のクラスのデータを割り振るように構成されていてもよく、データ送信機１００は、サブデータパケットの第２のグループとは異なったデータレートを用いて、サブデータパケットの第１のグループを送信するように構成されていてもよい。
【０４８０】
実施の形態では、データ受信機１１０は、第１のクラスのデータを得るために、サブデータパケット１６２の第１のグループとともに受信された、チャンネル符号化されたデータの第１の部分を復号化し、もし、第１のクラスのデータの復号化が成功しなければ、より高い符号化利得を達成するために、サブデータパケット１６２の少なくとも第２の部分とともに受信された、チャンネル符号化されたデータの少なくとも第２の部分を、チャンネルで符号化されたデータの第１の部分と組み合わせ、及び第１のクラスのデータを得るために、同じものを復号化するように構成されていてもよい。
【０４８１】
実施の形態では、データレートの適用、または、セクション１．４のすべての電文の変調方法の代わりに、電文の間に、データレートを適用することも可能である。すなわち、より高いデータレートは、早期の復号化のために最小限必要な情報をできるだけ早く送信できるようにするために、いつも、メッセージの始めに選択される。この最小限必要な情報が送信された後に、データレートは減少し、したがって、すべてのさらなるサブデータパケットは、より長い送信継続時間、及びしたがって、高い遅延を有する。
【０４８２】
任意に、データレートの変化の前に、少数の追加の冗長サブデータパケットが添付されてもよく、これは干渉の場合に、受信機によって用いられてもよい。
【０４８３】
したがって、サブデータパケットで試みられる復号化は、また、もし、少数のサブパケットが、干渉のために、使用できなければ、より高いデータレートを用いて、成功するかもしれない。
【０４８４】
セクション１．４に対して、このアプローチは、送信のリンク・バジェットは、データレートの減少を促進することを伴う遅延の増加に伴って増加する。したがって、限定された範囲でのＳＮＲを有する受信機に到達している送信機は、セクション１．４でのアプローチを用いて、受信されることはできないが、データレートを適用しているときには、受信されることができる（しかしながら、高遅延を受け入れなければならない）。
【０４８５】
いくつかの場合には、高いデータレートを用いる送信の検出は、可能ではないか、または、失敗するかもしれない（例えば、干渉、または、ノイズのために）。この場合には、検出は、より低いデータレートを用いるサブパケットの送信のみで起きる。したがって、２つの部分のそれぞれが、それ自身のために復号化されてもよいように、符号化、及びインターリーブを選択することは有益である、しかしながら、２つの組み合わせは、復号化のために用いられてもよい。
【０４８６】
任意に、データレートの変化の後に、いくつかの追加の冗長サブパケットが、添付されてもよく、これは干渉の場合に、受信機によって用いられてもよい。
【０４８７】
実施の形態では、（データ送信機側で）データレートは、電文の範囲内で変化するかもしれない。この場合には、変化は、より高いデータレートで受信されたすべて、または、一部のサブパケットを、できるだけ早く、早い復号化を可能にするように選択される。
【０４８８】
実施の形態では、受信機は、より高いデータレートを用いる、サブパケットの全部、または、一部の受信の後に、電文の復号化を試みてもよい。もしこれが失敗すれば、さらなるデータパケットが、より低いデータレートを用いて受信される。
【０４８９】
１２．２．データレートの逐次適用
【０４９０】
実施の形態では、データ送信機１００は、第１のクラスのデータをチャンネルで符号化し、及び同じものを複数のサブデータパケット１６２上に分割するように構成されていてもよく、データ送信機１００は、送信されたサブデータパケット１６２を用いて、データレートを連続して、増加、または、減少するように構成されていてもよい。
【０４９１】
実施の形態では、データレートの突然の適応の代わりに、データレートは、テレグラムの範囲内で、連続して適応される（直線的に増加される）。すなわち、データレートは、送信されたサブパケットの数の増加に伴って、減少する（または、増加する）。
【０４９２】
セクション２．２に類似して、これは、復号化が合理的であると分かるときに関しては、受信機１００は、受信パラメータに基づいて、決定してもよい。原則として、これは、先のアプローチでも可能であり、しかしながら、遅延はこの状況に関しては最適化されない。
【０４９３】
例えば、セクション１２．１の実施の形態では、もし、１つ以上のサブパケットが、より高いデータレートを用いて放射されたサブパケットよりも必要とされれば、より低いデータレートを用いて、現在、後に続くサブパケットは、より長い送信継続時間を有しているので、遅延は増加する。
【０４９４】
もし、データレートが、連続して増加すれば、上記の例の中で、遅延は、また、増加し、しかしながら、データレートの突然の適応を用いることは、多くはない。
【０４９５】
実施の形態では、データ送信機側で、データレートは、テレグラムの範囲内で変化してもよく、テレグラムの範囲内で、いくつかの異なるデータレートが存在する。例えば、データレートは、直線的に増加するように、選択されてもよい。
【０４９６】
実施の形態では、受信機は、受信パラメータ（ＳＮＲ、干渉）に基づいて、どれくらいの数のサブパケットが、早期の復号化、及びサブパケットの数に従った受信のために必要なのかを決定してもよい。この場合には、データレートは、送信機で選択された方法に従って、連続して適用される。
【０４９７】
１３．サブパケット長さの連続した適応
【０４９８】
実施の形態では、第１の複数のサブデータパケット１６２のサブデータパケットの長さは、送信されたサブデータパケットの数の増加とともに、減少、または、増加してもよい。
【０４９９】
図２８は、第１のホッピングパターン１６０に従って、時間、及び周波数に割り振られた、第１の複数のサブデータパケット１６２の送信での送信チャンネルの例示的な占有を、図の中に示しており、サブデータパケットの長さは、送信されたサブデータパケットの数の増加とともに、減少してもよい。
【０５００】
言い換えれば、連続して変化しているデータレート（セクション１２．２を参照されたい）に類似して、サブパケットの長さは、送信されたサブパケットの数を用いて変化してもよい。つまり、サブパケットの長さは、送信されたサブデータパケットの数の増加とともに、減少、または、増加してもよい。
【０５０１】
送信されるデータの大部分（または、情報のすべて）は、もうすでに、第１のサブパケットに（または、第１の、２、３、４・・・の中に）導入されている。したがって、第２の、または、第３のサブパケットからの開始は、冗長的に起きる。
【０５０２】
これに応じて、受信機は、第２の、または、第３の受信されたサブデータパケットの後に、復号化の試みを開始してもよく、及び第１の復号化の試みが合理的であると考えられるときに関しては、受信パラメータ（ＳＮＲ、干渉のレベル）に基づいて、決定されてもよい。
【０５０３】
このアプローチを通じて、セクション２に類似して、遅延は、受信パラメータに依存する。したがって、より良い受信パラメータを有するノードは、不十分な受信パラメータを有するノードよりも、より低い遅延を有する。
【０５０４】
実施の形態では、データ送信機側で、サブデータパケットの長さは、電文の範囲内で変化してもよく、長さは、もうすでに送信されたサブパケットの数に依存する。
【０５０５】
実施の形態では、受信機は、すべての必要な情報が受信されると、すぐに、復号化の試みを開始し、及び、そうでなければ、どれくらいの数のサブデータパケットが早い復号化、及びこのサブパケットの数の受信のために、必要とされるのかに関して、受信パラメータ（ＳＮＲ、干渉）に基づいて、決定してもよい。
【０５０６】
１４．送信能力の適応
【０５０７】
特定の環境では、上述の実施の形態は、もし、電文の受信パラメータ（ＳＢＲ、干渉のレベル）が良好であれば、遅延の減少は、いつも達成されるのみであるというデメリットを有する。
【０５０８】
しかしながら、一般的な、電文ネットワークは、受信が制限される（不十分なＳＮＲ、および／または、強い干渉）センサノードがいつも存在するように構成される。遅延の減少は、先のコンセプトを有するこれらのノードのためには可能である、しかしながら、同じ範囲にはない、良好な受信パラメータを有する送信機のためには可能ではない。
【０５０９】
この問題を解解決するために、基地局は、センサノードに、受信パラメータに基づいて、すべての放射のために用いられる、または、高い優先順位を有する電文のためのみに適用されるかのいずれか一方で、異なる送信電力を割り当ててもよい。したがって、それは、もし、必要であれば、低遅延を伴うメッセージの送信のために、不十分な受信パラメータを有するセンサノードのために、可能でもある。
【０５１０】
実施の形態では、個々のノードの送信電力は、基地局によって明示されてもよく、及び受信パラメータに基づいて決定されたものが存在してもよい。
【０５１１】
１５．ホッピングパターンの生成
【０５１２】
以下では、ホッピングパターンを生成するための方法の実施の形態が、さらに詳細に記述される。詳しくは、図２９は、ホッピングパターンによって、単一（例えば、１回）のデータの転送のためのホッピングパターンを生成する方法を示しており、これに対して、図３０は、２つのホッピングパターンによって、データを繰り返し転送するためのホッピングパターンを生成する方法を示している。
【０５１３】
図２９は、実施の形態に従った、ホッピングパターンの設定を生成するための方法２００のフロー図を示している。方法２００は、複数のホッピングパターンをランダムに生成しているステップ２０２を含み、ホッピングパターンは、時間、及び周波数に割り振られた、少なくとも２つのホップを備える。方法２００は、さらに、複数のホッピングパターンから自己相関関数は、特定された自己相関特性を得るために、特定された自己相関特性を備えるホッピングパターンを選択するステップ２０４を含む。
【０５１４】
実施の形態では、自己相関関数側の最大値が特定された最小限の振幅閾値を超えないホッピングパターンは、特定された自己相関特性を満たすかもしれない。例えば、振幅閾値は、ホッピングパターンが再分割される複数のクラスターの、クラスターのホップの数に等しくてもよい。例えば、クラスターは、互いに関して、同じ時間間隔、および／または、周波数間隔を備えたホップの数であってもよい。
【０５１５】
実施の形態では、それぞれの自己相関関数の最大振幅値の特定された数の全体で形成された小計が特定された閾値よりも小さいホッピングパターンは、特定された自己相関特性を満たしているかもしれない。ここで、閾値は、少なくとも、２つのホッピングパターン（または、特定された数のホッピングパターン）が、特定された自己相関特性を満たすように、選択されてもよい。
【０５１６】
図２９に見られるように、方法２００は、さらに、特定された自己相関特性を有するホッピングパターンの間の相互相関関数を計算するステップ２０６を備える。さらに、方法２００は、特定された自己相関特性を有するホッピングパターンから、ホッピングパターンを選択するステップ２０８を備え、ホッピングパターンの相互相関関数は、特定された自己相関特性、及び特定された相互相関特性を有するホッピングパターンを得るために、特定された相互相関特性を備える。
【０５１７】
実施の形態では、最も小さい小計がそれぞれの相互相関関数の最大振幅値の特定された数の全体で形成された、ホッピングパターンは、特定された相関関数特性を満たしていてもよい。
【０５１８】
図３０は、ホッピングパターンの第１の設定、及び第２の設定を生成するための方法２１０のフロー図を示している。方法２１０は、ホッピングパターンの第１の設定のための複数のホッピングパターン、及びホッピングパターンの第２の設定のための複数のホッピングパターンのランダムな生成２１２を含み、ホッピングパターンは、周波数、及び時間に割り振られた、少なくとも２つのホップと、を備え、ホッピングパターンの第１の設定のための複数のホッピングパターン、及びホッピングパターンの第２の設定のための複数のホッピングパターンは、異なる。これに加えて、方法２１０は、ホッピングパターンの第１の設定のための複数のホッピングパターンから、選択すること２１４を含み、ホッピングパターンの自己相関関数は、ホッピングパターンの第１の設定のためのあらかじめ設定された自己相関特性を有するホッピングパターンを得て、及びホッピングパターンの第２の設定のための複数のホッピングパターンから、選択するために、あらかじめ設定された自己相関特性と、を備え、ホッピングパターンの自己相関関数は、ホッピングパターンの第２の設定のためのあらかじめ設定された自己相関特性を有するホッピングパターンを得るために、あらかじめ設定された自己相関特性と、を備える。
【０５１９】
実施の形態では、ホッピングパターンの第２の設定のためのホッピングパターンのホップの時間間隔は、ホッピングパターンの第１の設定のためのホッピングパターンのホップのうちの１つの時間的な長さと少なくとも同じぐらいの大きさであってもよい。
【０５２０】
2021510016.tif 000011
【０５２１】
実施の形態では、あらかじめ設定された自己相関特性は、ホッピングパターンの自己相関関数の第２の最大値があらかじめ設定された最小の振幅閾値を超えないことによって、満たされてもよい。例えば、振幅閾値は、ホッピングパターンに分割された、複数のクラスターの、クラスターのホップの数に等しくてもよい。例えば、クラスターは、互いに関して、同じ時間、及び周波数間隔を有しているホップの数であってもよい。
【０５２２】
実施の形態では、あらかじめ設定された自己相関特性は、それぞれの自己相関関数の最大振幅値のあらかじめ設定された数の全体で形成された小計が、あらかじめ設定された閾値よりも小さいホッピングパターンによって、満たされてもよい。ここで、閾値は、少なくとも２つのホッピングパターン（または、ホッピングパターンのあらかじめ設定された数）が、あらかじめ設定された自己相関特性を満たすように、選択されてもよい。
【０５２３】
図３０に見られるように、方法２１０は、ホッピングパターンの第１の設定のためのあらかじめ設定された自己相関特性を有するホッピングパターンの間の相互相関関数、及びホッピングパターンの第２の設定のためのあらかじめ設定された自己相関特性を有するホッピングパターンの間の相互相関関数を計算すること２１６と、を備える。さらに、方法は、ホッピングパターンの第１の設定のためのあらかじめ設定された自己相関特性を有するホッピングパターンから、選択すること２１８と、を備え、ホッピングパターンの相互相関関数は、ホッピングパターンの第２の設定のためのあらかじめ設定された自己相関特性を有するホッピングパターンから、あらかじめ設定された相互相関特性を有するホッピングパターン、及びあらかじめ設定された相互相関特性を得るために、あらかじめ設定された相互相関特性と、を備え、ホッピングパターンの自己相関関数は、ホッピングパターンの第２の設定のためのあらかじめ設定された自己相関特性、及びあらかじめ設定された相互相関特性を有するホッピングパターンを得るために、あらかじめ設定された自己相関特性と、を備える。
【０５２４】
実施の形態では、あらかじめ設定された相互相関特性は、それぞれの相互相関関数のあらかじめ設定された、最大振幅値の全体で形成された、ホッピングパターンの最も小さい小計によって満たされてもよい。
【０５２５】
１５．１．ＴＳＭＡのためのホッピングパターンの生成
【０５２６】
例えば、図２９、または、図３０に示された方法を用いて生成されたホッピングパターンは、いわゆる“電文分割多重アクセス（ＴＳＭＡ）”方法を用いて、多くのセンサノードから基地局への、一方向性の、または、双方向性のデータ送信のためのシステムに用いられてもよい。
【０５２７】
ＴＳＭＡでは、メッセージの送信は、互いに異なる長さの送信が存在しない時間間隔の間に、複数の短いバースト（＝ホップ、または、サブデータパケット）１４２に再分割される。ここで、バースト１４２は、実、及び疑似乱数原理に従って、全体の時間、及び全体の利用可能な周波数にわたって分割されてもよい。
【０５２８】
電文分割のこのアプローチは、それらが、それら自身から、または、外部システムから来たかどうかに係わらず、他のセンサノードの干渉に対する、特に大きなロバスト性を提供する。特に、センサノードそれ自身の中の干渉ロバスト性は、時間領域、及び周波数領域でも、できるだけ均等に、さまざまなユーザの信号バーストに割り振ることによって達成される。
【０５２９】
このランダムのような分配は、さまざまな手段、例えば、（１）周波数に関する、水晶基準発振器の避けられない許容範囲の偏差によって、（２）ランダムな非同期チャンネルアクセスによる時間領域の中の任意の精度、（３）異なるホッピングパターンへの異なるセンサノードの異なるバーストの配置によって、達成されてもよい。
【０５３０】
データ送信機で失敗の可能性のさらなる増加を達成するために、ペイロードデータを送信するときには、時間／周波数ダイバーシティは用いられてもよい。サブデータパケット（バースト）は、時間オフセット方法で、少なくとも２回、例えば、できるだけ異なるホッピングパターン、及び例えば、できるだけ異なる周波数帯域で送信されてもよい。センサノードの１回だけの送信は、信号の送信のために可能なので、ホッピングパターンの間に配置された時間的なバーストに関する特定の制限は、インターリーブを繰り返す結果を生じさせる。繰り返される場合の中での第１の、及び第２の送信のインターリーブされた配置は、以下でさらに詳細に説明される。
【０５３１】
多様性冗長信号は、すべての可能な方法、例えば、最大比合成（ＭＲＣ）、等利得合成、スキャニング／スイッチング合成、あるいは選択合成で、受信機側で組み合わされてもよい。しかしながら、そのような多様性冗長ホッピングパターンのように設計するときは、結合器が、できるだけ単純な方法で、第１の送信の代わりに送信された繰り返しを検出すべきである。
【０５３２】
そのようなホッピングパターンの設計、及び最適化は、以下に詳細に記述される。
【０５３３】
送信方法ＴＳＭＡでは、図３１ａａに記述されたように、データパケット１２０の個々のバースト（以下で、フレームとしても参照される）は、時間の全体、及び周波数の全体にも割り振られる。
【０５３４】
詳細には、図３１ａは、ＴＳＭＡホッピングパターン１４０を有するフレーム１２０の構造を図の中に示している。この場合には、縦座標は、周波数、または、チャンネル（周波数チャンネル）を記述しており、横座標は、時間を記述している。
【０５３５】
2021510016.tif 000012
【０５３６】
2021510016.tif 000013
【０５３７】
2021510016.tif 000014
【０５３８】
以下のシステムの想定、及び限界は、１つ以上のＴＳＭＡパターンの設計に関して考慮されてもよい。
【０５３９】
2021510016.tif 000015
【０５４０】
上述のポイント１）から３）は、１回（一度、または、繰り返されない）で送信されたデータ（ペイロードデータ）のためのホッピングパターンの設計のための基本として用いられてもよい。
【０５４１】
データ送信機で、失敗の可能性をさらに増加させるために、インターリーブされた繰り返しの形式での時間／周波数ダイバーシティは、ペイロードデータを送信するときに、任意に、用いられてもよい。この場合には、繰り返されるべき、２つのホッピングパターンのバースト（＝ホップ、または、サブデータパケット）１４２は、例えば、図３１に示されるように、フレームからフレームに、時間的にインターリーブされてもよい。２つの繰り返しのために必要とされる送信時間をできるだけ短く維持するために、交互のインターリーブされた配置は、第１／第２のバーストの交互の送信に、用いられてもよい。
【０５４２】
以下では、最近設計されたホッピングパターンのために存在するどのようなさらなる条件が必要かが記述される。繰り返しデータを送信するための新しいホッピングパターンは、一度送信されたホッピングパターンと、任意に、一致してもよく、換言すれば、可能な限り低い相互相関を有してもよい。
【０５４３】
（４）周波数ホッピングパターンの選択。ＴＳＭＡホッピングパターンは、ａ）他のシステム（帯域幅も干渉の継続時間も、ここでわかっていない）からの外部干渉に対して、及びｂ）それ自らのシステムからの干渉に対して、強固であるべきである。任意に、それは、ｃ）受信機のために、特に、最大比合成を用いるときに、送信の間の識別のために、及び繰り返すことなく、できるだけ簡単にされる。実施例ａ）、及びｃ）は、設計過程に依存しておらず、及びあらかじめ決定されてもよい。例えば、外部インターフェースに対する、改良された、または、同等の最大の干渉ロバスト性は、２つの異なる周波数帯域の中に、繰り返される２つのフレームを置くことによって達成されてもよい（それらのそれぞれのＬ周波数チャンネルを用いて）。より長い周波数距離（図３１ｂを参照されたい）、より低いより低い外部干渉の可能性は、同時に、両方のフレームを用いて、干渉することができる。詳細には、図３１ｂは、第１のホッピングパターン１４０＿１、及び第２のホッピングパターン１４０＿２によって、繰り返されたデータの送信での、２つ周波数チャンネル１５０＿１、及び１５０＿２の占有を図の中に示している。ここで、縦座標は、周波数を記述しており、横座標は、時間を記述している。換言すれば、図３１ｂは、２つの異なる周波数帯域を用いているときの、繰り返しを伴う、インターリーブされたフレーム送信を示している。
【０５４４】
例えば、受信機(データ受信機)は、もし、異なるホッピングパターンが２つの送信タイプに用いられると、送信の間で区別されてもよく、及びホッピングパターンに基づいて繰り返されなくてもよい。一般的な適用可能性の制限なしに、セクション３．２に示されたホッピングパターンは、繰り返しなしに送信するために用いられてもよく、及びセクション３．３に示されたホッピングパターンは、繰り返しを用いる送信で用いられてもよく、例えば、原則として、異なる(新しい) ホッピングパターンは、第２の送信に匹敵する、繰り返しモードの中の第１の送信で用いられてもよい。しかしながら、単独のホッピングパターンの使用は、対応する以下に述べる方法を用いているときには、繰り返しモードの中で、すべての送信のために十分である。これに加えて、この方法は、また、受信機のために、繰り返しモードの中の、同じパターンの中で、同時に個々のバーストを検出することえを容易にする。
【０５４５】
2021510016.tif 000016
【０５４６】
2021510016.tif 000017
【０５４７】
上述の制限を考慮すると、図３２に示すＴＳＭＡパターン１４０の構造が発生する。
【０５４８】
詳細には、図３２は、ＴＳＭＡホッピングパターン１４０の構造の概略図を図の中に示している。この場合には、縦軸は、周波数チャンネルの周波数を記述しており、横軸は、時間を示している。換言すれば、図９は、クラスター配置、及び周波数占有を伴うＴＳＭＡホッピングパターンの構造を示している。
【０５４９】
2021510016.tif 000018
【０５５０】
これは、以下の周波数チャンネル占有に関する自由度を生じさせる結果になる。８つのクラスターの中の３つのバーストは、それぞれ、互いに関する同じ周波数間隔を有し、少なくとも８のさらなる周波数帯域は、３つのバーストの基本的な割り当てのための２８の周波数帯域の最大のゆれを残して、予約されてもよい。例えば、３つの異なる周波数帯域を用いて、どのような相関的な配置も実行されてもよい。基本配置（１，２８，１４）、または、（１，２４，１２）の場合のように、例えば、近隣のバーストでの最も長い可能な周波数ゆれは、最も遅い最適化に関連したメリットがあることを証明する。互いに関する個々のクラスターの配置は、ランダムに起きてもよい。例えば、基本配置（１，２８，１４）で、数字の順序｛１，２，３，４，５，６，７，８｝は、互いに関して、任意に変更されてもよく（Ｍａｔｌａｂ  コマンド：  ｒａｎｄｐｅｒｍ（８））、及びこれら８つの異なるそれぞれの値は、８つのクラスターの中のバーストの周波数配置を得るために、基本配置に加えられてもよい。基本配置（１，２４，１２）において、１２の開始値（Ｍａｔｌａｂ  コマンド：ｒａｎｄｐｅｒｍ（１２））の並べ替えですら可能である。そして、最初の８つの値は、対応する基本配置（１，２４，１２）に再び加えられてもよい。もし、ホッピングパターンの２つのグループは、例えば、８つのホッピングパターンの２つのグループが繰り返しを有し、及び繰り返さないように、設計され、異なる周波数を一掃することを伴う２つの基本配置を用いることが推奨される。この場合には、完全なクラスターは、グループの間で衝突しないかもしれない。
【０５５１】
2021510016.tif 000019
【０５５２】
“電文分割多重アクセス（ＴＳＭＡ）”方法では、メッセージは、ホッピングパターン１４０に従った、時間方向、及び周波数方向の中の両方で、多くの小さなバースト１４２に分割される。個々のセンサノード１００の非同期送信、及び異なる周波数の偏差のために、バースト１４２は、時間の全体、及び利用可能な周波数スペクトラムの全体にも塗り付けられる。もし、すべてのセンサノード１００が、同じホッピングパターンを有していれば、参加者の数の増加に伴って、異なる参加者のバースト（完全に最悪の場合に）はさらに時間、及びさらに周波数で重複し、そして、したがって、互いに干渉する。フレーム１２０の範囲内のさらなるバースト１４２は、他の参加者のバーストによって、割り振られ、受信機側が、エラー訂正を失敗し、及び送信エラーが起きる可能性をより高める。
【０５５３】
2021510016.tif 000020
【０５５４】
適切なホッピングパターン１４０を創造するために、理想的には、期待されたパケットエラーレートに正確に単調に関連し、換言すれば、最小化はパケットエラーレートも理想的に最小化する行列が必要とされる。実施の形態では、ホッピングパターンの２次元（２Ｄ）の自己相関、および／または、相互相関は、設計基準として考慮されてもよい。
【０５５５】
2021510016.tif 000021
【０５５６】
2021510016.tif 000022
【０５５７】
2021510016.tif 000023
【０５５８】
2021510016.tif 000024
【０５５９】
以下では、個々の設計ステップが詳細に記述される。
【０５６０】
2021510016.tif 000025
【０５６１】
2021510016.tif 000026
【０５６２】
もし、ホッピングパターン１４０の異なる設定が、第１の設計ステップのために、サーチされると、第１の設計ステップは、新しいパラメータの設定を用いて、繰り返されてもよい。例えば、異なる発振器偏差を伴うホッピングパターンのいくつかの設定を生成し、及びそれらをいっしょに最適化することが、望まれるかもしれない。異なる発振器偏移は、異なる安全帯Ｓをもたらすかもしれず、可能なバースト占有の自由度を変化させる結果を生じる。この点で、ＡＣＦ計算の範囲内のいくつかのパラメータも、また、変化する。あるいは、多段時間オフセットＴWを用いて、複数の繰り返しを可能にする、新しいホッピングパターンのセットが、生成されるべきである。ここで、必要条件は、時間動作に関連して変化する。もし、バーストごとに交互に生じるホッピングパターンのインターリーブされた配置が意図されるのであれば、 ホッピングパターンの２つのオリジナルのバーストの間の最も短い距離は、決定され、及び明示されてもよく、そのとき、時間オフセットＴWが設定される。この場合には、時間オフセットＴWは、最小時間 ＴA#minよりも十分に長くなるように選択されるべきである。
【０５６３】
2021510016.tif 000027
【０５６４】
2021510016.tif 000028
【０５６５】
2021510016.tif 000029
【０５６６】
2021510016.tif 000030
【０５６７】
2021510016.tif 000031
【０５６８】
2021510016.tif 000032
【０５６９】
ホッピングパターンを決定するときの、すべての設計過程、及び自由度が、図３５に再び記述されている。ホッピングパターンのいくつかの設定を同時に最適化する可能性は、
考慮されてもよいが、示されるだけである。
【０５７０】
詳細には、図３５は、実施の形態に従ったホッピングパターンを生成するための方法２６０のフロー図を示している。
【０５７１】
第１のステップ２６２の中で、方法２６０は開始する。
【０５７２】
第２のステップ２６４の中で、ｎは１に等しく設定され、ｎは動作変数である。
【０５７３】
第３のステップ２６６では、ホッピングパターンは、ランダムに生成されてもよい。ここで、上述の周波数チャンネル占有に関する自由度は、例えば、クラスターの範囲内のバーストの基本的な割り当てを有する、バーストの周波数チャンネル割り当て、及びそれぞれに関するクラスターの割り当てで考慮されてもよい。さらに、上述の時間間隔に関する自由度、例えば、クラスターの範囲内、及びクラスターの間の時間間隔の決定で考慮されてもよい。
【０５７４】
2021510016.tif 000033
【０５７５】
2021510016.tif 000034
【０５７６】
もし、ホッピングパターンが明示された自己相関特性、を備えていなければ、第３のステップは、繰り返される。もし、ホッピングパターンが明示された自己相関特性、を備えていれば、方法は継続される。
【０５７７】
2021510016.tif 000035
【０５７８】
2021510016.tif 000036
【０５７９】
2021510016.tif 000037
【０５８０】
第８のステップ２７６では、ホッピングパターンの新しい設定が生成されるかどうかが、判断される。もしそうであれば、第２のステップ２６４は、繰り返される。もしそうでなければ、方法は継続される。さらに、別のパラメータ設定、例えば、別の発振器オフセット、または、変化した時間間隔、または、周波数ホップを有する別のクラスター設計のために任意に生成されるべきいホッピングパターンのさらなる設定が決定されてもよい。
【０５８１】
2021510016.tif 000038
【０５８２】
2021510016.tif 000039
【０５８３】
2021510016.tif 000040
【０５８４】
2021510016.tif 000041
【０５８５】
第１３のステップ２８６では、選択されたホッピングパターンは、格納されてもよい。
【０５８６】
2021510016.tif 000042
【０５８７】
１５．２．低遅延ＴＳＭＡのためのホッピングパターンの生成
【０５８８】
2021510016.tif 000043
【０５８９】
2021510016.tif 000044
【０５９０】
2021510016.tif 000045
【０５９１】
2021510016.tif 000046
【０５９２】
2021510016.tif 000047
【０５９３】
基本クラスターを維持することによって、バースト、及び同じデータレートで、同じ同期シーケンスを選択するときには、部分的に、共通の検出は、両方のモードのために実行されてもよい。受信機は、バースト相関、及びクラスター相関とともに、シンボル回復時間を実行する。電文相関だけが、インターリーブのために、分離して実行されなければならない。これは、両方のモードの検出のための計算能力に関して、十分な節約が生じる結果になる。
【０５９４】
図３６は、第１のホッピングパターン１６０に従って、周波数、及び時間に割り振られた、第１の複数のサブデータパケット１６２の送信での送信チャンネルの例示的な占有を図中に示している。換言すれば、図３６は、低遅延パターンのような、インターリーブしている実施の形態を示している。
【０５９５】
図３６に見られるように、第１のホッピングパターン１６２は、互いの時間シフトされた、および／または、周波数シフトされたバージョンである、複数のサブホッピングパターン（クラスター）１６５1から１６５4と、を備えていてもよく、複数のサブホッピングパターン（クラスター）１６５1から１６５4は、異なるサブホッピングパターン（クラスター）１６５1から１６５4に割り当てられた、サブデータパケット１６２が、交互に送信されるように、互いにインターリーブされている。
【０５９６】
例えば、サブデータパケット１６２1、１６２5、及び１６２9は、第１のサブホッピングパターン（クラスター）１６５1に従って、時間、及び周波数に割り振られて、送信されてもよく、これに対して、サブデータパケット１６２2、１６２6、及び１６２10は、第２のサブホッピングパターン（クラスター）１６５2に従って、時間、及び周波数に割り振られて、送信されてもよく、これに対して、サブデータパケット１６２3、１６２7、及び１６２11は、第３のサブホッピングパターン（クラスター）１６５3に従って、時間、及び周波数に割り振られて、送信されてもよく、これに対して、サブデータパケット１６２4、１６２8、及び１６２12は、第４のサブホッピングパターン（クラスター）１６５4に従って、時間、及び周波数に割り振られて、送信されてもよい。
【０５９７】
実施の形態では、（データ送信機側で）基本クラスターは、互いにインターリーブされてもよい。
【０５９８】
実施の形態では、データ受信機側で、通常の、及び低遅延モードの検出は、クラスター相関までいっしょに実行されてもよい。
【０５９９】
１５．３．低遅延ＴＳＭＡのためのホッピングパターン
【０６００】
以下では、特定の第２のホッピングパターン１６０（低遅延ホッピングパターン）が、例えば、第１のクラスのデータ（最大送信間隔に関する高い優先順位、および／または、より高い必要性を有するデータ）の送信のために用いられてもよいように、代表的に定義される。
【０６０１】
実施の形態では、時間ホッピングパターン、周波数ホッピングパターン、及び時間ホッピングパターン、及び周波数ホッピングパターンの組み合わせは、ホッピングパターンによって、データの単独の送信のために用いられてもよい。
【０６０２】
周波数ホッピングパターンは、図３７の中の表に示された、２４ホップを有する、周波数ホッピングパターンであってもよく、表の中の行は、周波数ホッピングパターンで、表の中の各列は、周波数ホッピングパターンのホップであり、表の中の各セルは、ＵＣＧ＿Ｃ０からＵＣＧ＿Ｃ２３のキャリアでのホッピングパターンのそれぞれのホップの送信周波数を示している。
【０６０３】
換言すれば、図３７は、＋／−２０ｐｐｍの水晶許容誤差（発振器許容誤差）のための低遅延周波数ホッピングパターン（ＵＣＧ＿Ｃ０からＵＣＧ＿Ｃ２３のキャリアの値）の定義を表の中に示している。
【０６０４】
時間ホッピングパターンは、図３８の中の表に示された、２４ホップを有する、時間ホッピングパターンであってもよく、図３８の中の表において、行は、時間ホッピングパターンで、表の中の互いの列は、第２のホップから開始している、時間ホッピングパターンのホップであり、それによって、それぞれの時間ホッピングパターンは、２４ホップを備え、表の中のそれぞれのセルは、―好ましくは、複数の―シンボル継続期間―の中の、すぐ次のホップの同じ参照ポイントに至るまでの、それぞれのホップの参照ポイントの時間間隔を示している。
【０６０５】
換言すれば、図３８は、＋／−２０ｐｐｍの水晶許容誤差（発振器許容誤差）のための低遅延時間ホッピングパターン（複数のシンボル継続時間の中の値）の定義を表中に示している。２４サブデータパケットの長さは変化してもよいという事実のために、時間ホッピングパターンは、２４サブデータパケットの中央の間で定義される。
【０６０６】
時間ホッピングパターン、及び周波数ホッピングパターンから作られたホッピングパターンの組み合わせで、それぞれの時間ホッピングパターン、及び周波数ホッピングパターンは、それぞれの表で、同じ列番号を有してもよい。
【０６０７】
いくつかの実施例は、装置の文脈で記述されているが、前記態様は、また、対応する方法の記述として表されていることが理解できて、それによって、装置のブロック、または、構造構成要素は、対応する方法のステップ、または、方法のステップの特徴として理解できる。類似的に、それとともに、方法ステップの、または、方法ステップとしての文脈で記述された態様は、また、対応する装置の対応するブロック、または、詳細、または、特徴の記述としても表されている。いくつかの、または、すべての方法ステップは、例えば、マイクロプロセッサ、プログラム可能なコンピュータ、または、電子回路のような、ハードウエア装置を用いている間に、実行できる。いくつかの実施の形態では、１つ以上の最も重要な方法ステップは、そのような装置によって実行されてもよい。
【０６０８】
音声信号、ビデオ信号、または、送信ストリーム信号のような、本願発明に従って符号化された信号は、ディジタル記憶媒体に格納されてもよく、または、無線送信媒体、または、例えば、インターネットのような、有線送信媒体のような、送信媒体で送信されてもよい。
【０６０９】
本願発明の符号化された音声信号は、ディジタル記憶媒体に格納されてもよく、または、無線送信媒体、または、例えば、インターネットのような、有線送信媒体、のような送信媒体で送信されてもよい。
【０６１０】
特定の実施の必要要件に依存している、本願発明の実施の形態は、ハードウエア、または、ソフトウェアで実施することができる。
実施は、ディジタル記憶媒体、例えば、それぞれの方法が実行されるように、協働し、または、プログラム可能なコンピュータシステムと協働できる、それに格納された、電気的に読み取り可能な制御信号を有する、フロッピーディスク（フロッピーは登録商標）、ＤＶＤ、ブルーレイディスク、ＣＤ、ＲＯＭ、ＰＲＯＭ、ＥＰＲＯＭ、ＥＥＰＲＯＭ、または、ＦＬＡＳＨメモリ、ハードディスク、その他の磁気的、または、光学的なメモリを用いている間に、有効であるかもしれない。このような理由で、ディジタル記憶媒体は、コンピュータで読み取り可能であってもよい。
【０６１１】
本願発明に従った、いくつかの実施の形態は、本明細書に述べられた方法のうちのいずれか１つを実行するような、プログラム可能なコンピュータシステムと協働することができる、電気的に読み取り可能な制御信号、を含む、データ担体、を備える。
【０６１２】
一般的に、本願発明の実施の形態は、プログラムコードを有するコンピュータプログラム製品として実施されてもよく、プログラムコードはコンピュータプログラム製品がコンピュータで動作しているときに、任意の方法を実行するために動作するうえで有効である。
【０６１３】
プログラムコードは、例えば、機械的に読み取り可能な担体に格納されていてもよい。
【０６１４】
他の実施の形態は、本明細書に述べられた方法のうちのいずれか１つを実行するためのコンピュータプログラムを含み、前記コンピュータプログラムは、機械で読み取り可能な担体に格納される。
【０６１５】
換言すれば、本願発明の方法の実施の形態は、したがって、コンピュータプログラムが、コンピュータで動作しているときに、本明細書に述べられた任意の方法を実行するためのプログラムコードを有する、コンピュータプログラムである。
【０６１６】
本願発明の方法のさらなる実施の形態は、したがって、本明細書に述べられた任意の方法を実行するためのコンピュータプログラムが記録された、データ担体（または、ディジタル記憶媒体、または、コンピュータ読み取り可能な媒体）である。データ担体、または、ディジタル記憶媒体、または、記録媒体は、一般的に、有形、および／または、非一過性である。
【０６１７】
本願発明の方法のさらなる実施の形態は、したがって、本明細書に述べられた方法のうちのいずれか１つを実行するためのコンピュータプログラムを表現しているデータストリーム、または、信号のシーケンスである。データストリーム、または、信号のシーケンスは、例えば、インターネットのような、データ通信リンクを経由して送信されるように構成されていてもよい。
【０６１８】
さらなる実施の形態は、本明細書に述べられた任意の方法を実行するように構成された、または、適用される、処理装置、例えば、コンピュータ、または、プログラム可能な論理装置、を含む。
【０６１９】
さらなる実施の形態は、本明細書に述べられた方法のうちの１つを実行するためのコンピュータプログラムがインストールされた、コンピュータ、を含む。
【０６２０】
本願発明に従ったさらなる実施の形態は、本明細書に述べられた方法のうちの少なくとも１つを実行するためのコンピュータプログラムをレシーバに送信するように構成された、装置、または、システムを含む。送信は、例えば、電気的、または、光学的であってもよい。レシーバは、例えば、コンピュータ、モバイル機器、メモリ装置、または、そのようなものであってもよい。装置、または、システムは、例えば、コンピュータプログラムをレシーバに送信するためのファイルサーバ、を含んでいてもよい。
【０６２１】
いくつかの実施の形態では、プログラム可能な論理装置（例えば、フィールドプログラマブルゲートアレイ、ＦＰＧＡ）は、本明細書に述べられた方法の機能のうちのいくつか、または、すべてを実行するために用いられてもよい。いくつかの実施の形態では、フィールドプログラマブルゲートアレイは、本明細書に述べられた方法のうちのいずれか１つを実行するために、マイクロプロセッサと協働してもよい。一般的には、方法は、いくつかの実施の形態の中で、任意のハードウエア装置によって、実行されてもよい。前記ハードウエア装置は、コンピュータプロセッサ（ＣＰＵ）のような、普遍的に適用可能なハードウエアであってもよく、または、ＡＳＩＣのような、方法用途向けのハードウェアであってもよい。
【０６２２】
例えば、本明細書に述べられた装置は、ハードウエア装置を用いて、または、コンピュータを用いて、または、ハードウエア装置と、コンピュータとの組み合わせを用いて、実施されてもよい。
【０６２３】
本明細書に述べられた装置、または、本明細書に述べられた装置の任意の構成要素は、少なくとも、部分的に、ハードウエア、および／または、ソフトウェア（コンピュータプログラム）で実施されてもよい。
【０６２４】
例えば、本明細書に述べられた方法は、ハードウエア装置を用いて、または、コンピュータを用いて、または、ハードウエア装置と、コンピュータの組み合わせを用いて、実施されてもよい。
【０６２５】
本明細書に述べられた方法、または、本明細書に述べられた方法の任意の構成要素は、少なくとも、部分的に、実行され、および／または、ソフトウェア（コンピュータプログラム）で実施されてもよい。
【０６２６】
上述の実施の形態は、主に、本願発明の原理を説明したものにすぎない。本明細書に述べられた、配置、及び詳細の修正、及び変更は、他の当業者が理解するであろうと理解される。このような理由から、この実施の形態の説明、及び議論の方法によって表された、特定の詳細によってよりも、次の特許請求の範囲の範囲によってのみ限定されることが意図される。
【図１】
2021510016.tif 000056
【図２】
2021510016.tif 000057
【図３ａ】
2021510016.tif 000058
【図３ｂ】
2021510016.tif 000059
【図４ａ】
2021510016.tif 000060
【図４ｂ】
2021510016.tif 000061
【図５】
2021510016.tif 000062
【図６】
2021510016.tif 000063
【図７】
2021510016.tif 000064
【図８】
2021510016.tif 000065
【図９】
2021510016.tif 000066
【図１０】
2021510016.tif 000067
【図１１】
2021510016.tif 000068
【図１２】
2021510016.tif 000069
【図１３】
2021510016.tif 000070
【図１４】
2021510016.tif 000071
【図１５】
2021510016.tif 000072
【図１６】
2021510016.tif 000073
【図１７】
2021510016.tif 000074
【図１８】
2021510016.tif 000075
【図１９ａ】
2021510016.tif 000076
【図１９ｂ】
2021510016.tif 000077
【図２０】
2021510016.tif 000078
【図２１】
2021510016.tif 000079
【図２２】
2021510016.tif 000080
【図２３】
2021510016.tif 000081
【図２４】
2021510016.tif 000082
【図２５】
2021510016.tif 000083
【図２６】
2021510016.tif 000084
【図２７】
2021510016.tif 000085
【図２８】
2021510016.tif 000086
【図２９】
2021510016.tif 000087
【図３０】
2021510016.tif 000088
【図３１ａ】
2021510016.tif 000089
【図３１ｂ】
2021510016.tif 000090
【図３２】
2021510016.tif 000091
【図３３ａ】
2021510016.tif 000092
【図３３ｂ】
2021510016.tif 000093
【図３４ａ】
2021510016.tif 000094
【図３４ｂ】
2021510016.tif 000095
【図３５】
2021510016.tif 000096
【図３６】
2021510016.tif 000097
【図３７】
2021510016.tif 000098
【図３８】
2021510016.tif 000099
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
第１の複数のサブデータパケット上に第１のクラスのデータを分割し、及び第１のホッピングパターンを用いて、前記第１の複数のサブデータパケットを送信するように構成されたデータ送信機であって、
前記データ送信機は、第２の複数のサブデータパケット上に第２のクラスのデータを分割し、及び第２のホッピングパターンを用いて、前記第２の複数のサブデータパケットを送信するように構成されており、
前記第１のホッピングパターンに従って送信された、サブデータパケットの間の送信休止は、前記第２のホッピングパターンに従って送信された、サブデータパケットの間の送信休止よりも小さく、および／または、前記第１のホッピングパターンに従って送信された、サブデータパケットは、前記第２のホッピングパターンに従って送信された、サブデータパケットよりも短いことを特徴とする、データ送信機。
【請求項２】
前記第１のクラスの前記データは、前記第２のクラスの前記データよりも、最大の送信継続時間に関する、より高い優先順位、および／または、より高い必要条件と、を備えることを特徴とする、請求項１に記載のデータ送信機。
【請求項３】
前記データ送信機は、第３の複数のサブデータパケット上に第３のクラスのデータを分割し、及び第３のホッピングパターンを用いて、前記第３の複数のサブデータパケットを送信するように構成されており、
前記第２のホッピングパターンに従って送信された、前記サブデータパケットの間の送信休止は、前記第３のホッピングパターンに従って送信された、サブデータパケットの間の送信休止よりも小さことを特徴とする、請求項１または請求項２のうちのいずれか１つに記載のデータ送信機。
【請求項４】
前記第２のクラスの前記データは、前記第３のクラスの前記データよりも、最大の送信継続時間に関する、より高い優先順位、および／または、より高い必要条件と、を備えることを特徴とする、請求項３に記載のデータ送信機
【請求項５】
前記データ送信機は、前記第１の複数のサブデータパケットのそれぞれが、前記第１のクラスの、または、前記第１のデータパケットの前記データの一部のみを備えるように、前記第１の複数のサブデータパケット上に、前記第１のクラスの前記データ、または、前記第１のクラスの前記データを備える第１のデータパケット、を分割するように構成されており、
前記データ送信機は、前記第２の複数のサブデータパケットのそれぞれが、前記第２のクラスの、または、前記第２のデータパケットの前記データの一部のみを備えるように、前記第２の複数のサブデータパケット上に、前記第２のクラスの前記データ、または、前記第２のクラスの前記データを備える第２のデータパケット、を分割するように構成されていることを特徴とする、請求項１ないし請求項３のうちのいずれか１つに記載のデータ送信機。
【請求項６】
前記第１の複数のサブデータパケットは、前記第２の複数のサブデータパケットよりも、少ないサブデータパケットを備えることを特徴とする、請求項１ないし請求項５のうちのいずれか１つに記載のデータ送信機。
【請求項７】
前記データ送信機は、前記第２のクラスの前記データよりも、より高いデータレート、または、異なる変調方法で、前記第１のクラスの前記データを送信するように構成されていることを特徴とする、請求項１ないし請求項６のうちのいずれか１つに記載のデータ送信機。
【請求項８】
前記データ送信機は、前記第１のホッピングパターンを用いて、前記第１のクラスの前記データの送信に時間的に同期した第１のメッセージを受信するように構成されており、及び前記データ送信機は、前記第２のホッピングパターンを用いて、前記第２のクラスの前記データの送信に時間的に同期した第２のメッセージを受信するように構成されており、
前記第１のホッピングパターンと前記第１のメッセージの間の時間間隔は、前記第２のホッピングパターンと、前記第２のメッセージの間の時間間隔よりも小さいことを特徴とする、請求項１ないし請求項７のうちのいずれか１つに記載のデータ送信機。
【請求項９】
前記第１のメッセージは、第１のダウンリンク・ホッピングパターンに従って、複数のサブデータパケット上に分割されて送信された第１のダウンリンク・メッセージであり、
前記第２のメッセージは、第２のダウンリンク・ホッピングパターンに従って、複数のサブデータパケット上に分割されて送信された第２のダウンリンク・メッセージであり、
前記第１のダウンリンク・ホッピングパターンによって送信された複数の前記サブデータパケットの間の送信休止は、前記第２のダウンリンク・ホッピングパターンによって送信された複数の前記サブデータパケットの間の送信休止よりも短いことを特徴とする、請求項８に記載のデータ送信機。
【請求項１０】
前記データ送信機は、前記第１のクラスの前記データを送信すると、データ受信機から、前記第１のクラスの前記データの成功した受信を明示する受信の確認を受信するように構成されていることを特徴とする、請求項１ないし請求項９のうちのいずれか１つに記載のデータ送信機。
【請求項１１】
前記データ送信機は、
‐前記第１のホッピングパターンを用いている前記第１のクラスの前記データ、
‐または、前記第２のホッピングパターンを用いている前記第２のクラスの前記データ、
の送信のための時間的に重複している受信の確認をデータ受信機から受信するように構成されており、
それによって、それぞれの前記ホッピングパターンに従って送信された、少なくとも１つのサブデータパケットは、前記データ受信機の前記受信の確認が送信される、ホッピングパターンの２つのデータパケットの間に配置されることを特徴とする、請求項１０に記載のデータ送信機。
【請求項１２】
前記データ送信機は、前記第１のクラスの前記データをチャンネルで符号化し、及び前記第１のホッピングパターンを用いて、前記同じものを送信するように構成されており、
前記データ送信機は、エラーのない送信の中で、サブデータパケットの第１のグループのみが、前記第１のクラスの前記データの成功した復号化のために必要とされるように、及びエラーのない送信の中で、より高い符号化利得が、サブデータパケットの前記第１のグループ、及びサブデータパケットの第２のグループの組み合わせを通じて、達成されるように、前記第１の複数のサブデータパケット上に前記第１のクラスの前記チャンネルで符号化されたデータを割り振るように構成されており、
サブデータパケットの前記第１のグループは、サブデータパケットの前記第２のグループよりも時間的に前に、送信されることを特徴とする、請求項１ないし請求項１１のうちのいずれか１つに記載のデータ送信機。
【請求項１３】
前記第１のクラスの前記データは、コア情報と拡張情報とを備え、前記データ送信機は、サブデータパケットの第１のグループが、前記コア情報を備え、及びサブデータパケットの第２のグループが、前記拡張情報を備えるのと同様に、前記第１の複数のサブデータパケット上に前記第１のクラスの前記データを分割するように構成されており、サブデータパケットの前記第１のグループは、サブデータパケットの前記第２のグループの時間的に前に、送信されることを特徴とする、請求項１ないし請求項１２のうちのいずれか１つに記載のデータ送信機。
【請求項１４】
前記データ送信機は、前記データ送信機のアドレス情報、または、そこから導出された情報を用いて、前記第１のホッピングパターンを計算するように構成されており、それによって、前記第１のホッピングパターンそれ自身は、前記データ送信機を識別することを特徴とする、請求項１ないし請求項１３のうちのいずれか１つに記載のデータ送信機。
【請求項１５】
前記データ送信機は、前記データ送信機の時間依存性の、または、イベント依存性の情報を用いて、前記第１のホッピングパターンを計算するように構成されていることを特徴とする、請求項１４に記載のデータ送信機。
【請求項１６】
前記データ送信機は、データ受信機に、あらかじめ、前記第１のホッピングパターンについての、符号化された、または、暗号化された情報を送信するように構成されていることを特徴とする、請求項１４または請求項１５のうちのいずれか１つに記載のデータ送信機。
【請求項１７】
前記第１のホッピングパターンは、基地局によって、前記データ受信機に割り当てられることを特徴とする、請求項１ないし請求項１６のうちのいずれか１つに記載のデータ送信機。
【請求項１８】
前記データ送信機は、通信ネットワークの基地局から、前記通信ネットワークの範囲内で、前記データ送信機を明確に識別しているアドレス情報よりも短いショートアドレス情報を取得して、及び前記第１のホッピングパターンをで送信しているときには、前記同じものを用いるように構成されていることを特徴とする、請求項１ないし請求項１７のうちのいずれか１つに記載のデータ送信機。
【請求項１９】
前記第１のホッピングパターンは、使用の周波数、および／または、優先順位に従って、基地局によって、前記データ送信機に割り当てられることを特徴とする、請求項１ないし請求項１８のうちのいずれか１つに記載のデータ送信機。
【請求項２０】
前記データ送信機は、エラーのある送信の中で、より高い符号化利得が、サブデータパケットの前記第１のグループ、及びサブデータパケットの前記第２のグループの組み合わせを通じて達成されるように、前記第１の複数のサブデータパケット上に前記第１のクラスの前記チャンネルで符号化されたデータを割り振るように構成されていることを特徴とする、請求項１９に記載のデータ送信機。
【請求項２１】
データをチャンネルで符号化し、及び複数のサブデータパケット上に前記同じものを分割し、及びホッピングパターンに従って、前記複数のサブデータパケットを送信するように構成されたデータ送信機であって、
前記データ送信機は、エラーのない送信で、サブデータパケットの第１のグループだけが、前記データの成功した復号化のために必要とされるように、前記データをチャンネルで符号化し、及び前記同じものを前記複数のサブデータパケット上に分割するように構成されており、
サブデータパケットの前記第１のグループの前記サブデータパケットの間の送信休止は、サブデータパケットの前記第１のグループの後に送信される、サブデータパケットの第２のグループの前記サブデータパケットの間の送信休止よりも小さく、
前記データ送信機は、エラーのある転送で、サブデータパケットの前記第１のグループとサブデータパケットの前記第２のグループの組み合わせを通じて、より高い符号化利得を達成するために、前記第１の複数のサブデータパケット上に、前記第１のクラスのチャンネル符号化されたデータを割り振るように構成されていることを特徴とする、データ送信機。
【請求項２２】
データを複数のサブデータパケット上に分割し、及び第１のホッピングパターンを用いて、複数の前記サブデータパケットを送信するように構成されたデータ送信機であって、前記データ送信機は、第２のホッピングパターンを用いて、複数の前記サブデータパケットを繰り返し送信するように構成されており、
前記第１のホッピングパターンに従って送信されたサブデータパケット間の送信休止は、前記第２のホッピングパターンに従って送信されたサブデータパケット間の送信休止よりも小さいことを特徴とする、データ送信機。
【請求項２３】
前記第１のホッピングパターンは、２つの分離された周波数帯域の全体に広がっていることを特徴とする、請求項２２に記載のデータ送信機。
【請求項２４】
前記データ送信機は、２つの分離した周波数帯域で、２回、前記第１のホッピングパターンを用いて、前記データを送信するように構成されていることを特徴とする、請求項２２ないし請求項２３のうちのいずれか１つに記載のデータ送信機。
【請求項２５】
前記データ送信機は、２つの分離した周波数帯域で、２回、前記第２のホッピングパターンを用いて、前記データを送信するように構成されていることを特徴とする、請求項２２ないし請求項２４のうちのいずれか１つに記載のデータ送信機。
【請求項２６】
前記データ送信機は、２つの分離した周波数帯域で、２回、前記第２のホッピングパターンを用いて、前記データを送信するように構成されていることを特徴とする、請求項２２ないし請求項２５のうちのいずれか１つに記載のデータ送信機。
【請求項２７】
前記データ送信機は、前記第１のホッピングパターンを用いて、及び前記第２のホッピングパターンを繰り返し用いて、前記データをインタリーブされた方法で送信するように構成されており、それによって、前記第２のホッピングパターンに従って送信された、少なくとも１つのサブデータパケットは、前記第１のホッピングパターンに従って送信された、２つのサブデータパケットの間に配置されることを特徴とする、請求項２２ないし請求項２６のうちのいずれか１つに記載のデータ送信機。
【請求項２８】
データ送信機は、第２の複数のサブデータパケット上に第２のクラスのデータを分割し、及び第２のホッピングパターンを用いて、前記第２の複数のサブデータパケットを送信するように構成されており、
前記第１のホッピングパターンに従って送信された前記サブデータパケットの間の前記送信休止は、前記第２のホッピングパターンに従って送信された前記サブデータパケットの間の前記送信休止よりも小さいことを特徴とする、請求項２１ないし請求項２７のうちのいずれか１つに記載のデータ送信機。
【請求項２９】
データパケットを用いて、第１のクラスのデータを送信するように構成されたデータ送信機であって、前記データ送信機は、複数のサブデータパケット上に、前記データを分割し、及び前記複数のサブデータパケットを用いて、前記データを繰り返し送信するように構成されており、前記複数のサブデータパケットは、第１のホッピングパターンに従って送信され、
データ送信機は、第２の複数のサブデータパケット上に第２のクラスのデータを分割し、及び第２のホッピングパターンを用いて、前記第２の複数のサブデータパケットを送信するように構成されており、
前記第１のホッピングパターンに従って送信された、前記サブデータパケットの間の送信休止は、前記第２のホッピングパターンに従って送信された、前記サブデータパケットの間の送信休止よりも小さいことを特徴とする、データ送信機。
【請求項３０】
前記データ送信機は、さらに、さらなるデータパケットを用いて、前記第１のクラスの前記データを繰り返し送信するように構成されることを特徴とする、請求項２９に記載のデータ送信機。
【請求項３１】
前記データ送信機は、前記さらなるデータパケットを用いて、及び複数の前記サブデータパケットを用いて、前記第１のクラスの前記データを時間的にインターリーブされた方法で、送信するように構成されており、それによって、前記さらなるデータパケットは、２つの複数の前記サブデータパケットのうちの２つの間に時間的に配置されることを特徴とする、請求項３０に記載のデータ送信機。
【請求項３２】
前記データ送信機は、前記時間間隔内に、データ受信機からの受信の確認の受信が可能なほどのサイズを有するために、前記データパケットの前記送信と、複数の前記サブデータパケットの間の時間間隔を選択するように構成されることを特徴とする、請求項２９ないし請求項３１のうちのいずれか１つに記載のデータ送信機。
【請求項３３】
前記第１のホッピングパターンは、互いの時間がシフトした、および／または、周波数がシフトしたバージョンである、複数のサブホッピングパターンを備え、
前記データ送信機は、複数の前記サブホッピングパターンに従って、前記第１の複数のサブデータパケットを送信するように構成されており、
複数の前記サブホッピングパターンは、異なるサブホッピングパターンに割り当てられたサブデータパケットが、交互に送信されるように、互いに、インターリーブされていることを特徴とする、請求項１ないし請求項３２のうちのいずれか１つに記載のデータ送信機。
【請求項３４】
前記データ送信機は、データ受信機で、前記第１の複数のサブデータパケットと前記第２の複数のサブデータパケットの同期のための、同じ前記同期シーケンスを有する、前記第１の複数のサブデータパケット及び前記第２の複数のサブデータパケットを提供するように構成されていることを特徴とする、請求項３３に記載のデータ送信機。
【請求項３５】
第１のホッピングパターンを用いて、第１の複数のサブデータパケット上に分割されて送信された第１のクラスのデータを受信するように構成されたデータ受信機であって、
前記データ受信機は、第２のホッピングパターンを用いて、第２の複数のサブデータパケット上に分割されて送信された第２のクラスのデータを受信するように構成されており、
前記第１のホッピングパターンに従って受信されたサブデータパケットの間の送信休止は、前記第２のホッピングパターンに従って受信されたサブデータパケットの間の送信休止よりも小さく、および／または、前記第１のホッピングパターンに従って送信されたサブデータパケットは、前記第２のホッピングパターンに従って送信されたサブデータパケットよりも短いことを特徴とする、データ受信機。
【請求項３６】
前記第１のクラスの前記データは、前記第３のクラスの前記データよりも、最大の送信継続時間について、より高い優先順位と、および／または、より高い必要条件と、を備えることを特徴とする、請求項３５に記載のデータ受信機。
【請求項３７】
前記データ受信機は、第３のホッピングパターンを用いて、第３の複数のサブデータパケット上に分割されて送信された第３のクラスのデータを受信するように構成されており、
前記第２のホッピングパターンに従って受信された、前記サブデータパケットの間の前記送信休止は、前記第３のホッピングパターンに従って受信された、サブデータパケットの間の送信休止よりも小さいことを特徴とする、請求項３５ないし請求項３６のうちのいずれか１つに記載のデータ受信機。
【請求項３８】
前記第２のクラスの前記データは、前記第３のクラスの前記データよりも、最大の送信継続時間について、より高い優先順位と、および／または、より高い必要条件と、を備えることを特徴とする、請求項３７に記載のデータ受信機。
【請求項３９】
前記第１のクラスのデータまたは前記第１のクラスのデータを構成する第１のデータパケットが、前記第１のサブデータパケットの第１の複数のサブデータパケットの各々が前記第１のクラスのデータまたは前記第１のデータパケットの一部のみを構成するように、前記第１のサブデータパケットの第１の複数のサブデータパケットに分割され、前記データ受信機が、前記第１のクラスのデータを得るために、前記第１のサブデータパケットの第１の複数のサブデータパケットを受信して組み合わせるように構成されており、および／または、
前記第２のクラスのデータまたは前記第２のクラスのデータを構成する第２のデータパケットが、前記第２のサブデータパケットの前記第２の複数のサブデータパケットの各々が前記第２のクラスのデータまたは前記第２のデータパケットの一部のみを構成するように、前記第２のサブデータパケットの前記第２の複数のサブデータパケットに分割され、前記データ受信機が、前記第２のクラスのデータを得るために前記第２のサブデータパケットの前記第２の複数のサブデータパケットを受信して組み合わせるように構成されていることを特徴とする、請求項３５ないし請求項３８のうちのいずれか１つに記載のデータ受信機。
【請求項４０】
前記第１の複数のサブデータパケットは、前記第２の複数のサブデータパケットよりも、より少ないサブデータパケットと、を備えることを特徴とする、請求項３５ないし請求項３９のうちのいずれか１つに記載のデータ受信機。
【請求項４１】
前記第１のクラスの前記データは、前記第２のクラスの前記データよりも、より高いデータレートを用いて、または、異なる変調方法を用いて、転送されることを特徴とする、請求項３５ないし請求項４０のうちのいずれか１つに記載のデータ受信機。
【請求項４２】
前記データ受信機は、前記第１のホッピングパターンを用いて、前記第１のクラスの前記データの受信に時間的に同期する第１のメッセージを送信するように構成されており、及び前記データ受信機は、前記第２のホッピングパターンを用いて、前記第２のクラスの前記データの受信に時間的に同期する第２のメッセージを送信するように構成されており、
前記第１のホッピングパターンと前記第１のメッセージの間の時間間隔は、前記第２のホッピングパターンと前記第２のメッセージの間の時間間隔よりも小さいことを特徴とする、請求項３５ないし請求項４１のうちのいずれか１つに記載のデータ受信機。
【請求項４３】
前記第１のメッセージは、第１のダウンリンク・ホッピングパターンに従って、複数のサブデータパケット上に分割されて送信された第１のダウンリンク・メッセージであり、前記第２のメッセージは、第２のダウンリンク・ホッピングパターンに従って、複数のサブデータパケット上に分割されて送信された第２のダウンリンク・メッセージであり、前記第１のダウンリンク・ホッピングパターンによって転送された、前記複数のサブデータパケット間の送信休止は、前記第２のダウンリンク・ホッピングパターンによって送信された、前記複数のサブデータパケットの間の送信休止よりも短いことを特徴とする、請求項４２に記載のデータ受信機。
【請求項４４】
前記データ受信機は、前記第１のクラスの前記データの成功した受信に応答して、前記第１のクラスの前記データの成功した受信を明示している、受信の確認を送信するように構成されており、
前記データ受信機は、前記第１のクラスの前記データのためだけであり、及び前記第２のクラスの前記データのためではなく、前記受信の確認を送信するように構成されていることを特徴とする、請求項３５ないし請求項４３のうちのいずれか１つに記載のデータ受信機。
【請求項４５】
前記データ受信機は、前記第１のホッピングパターン、または、第２のホッピングパターンに従って転送された、少なくとも１つのサブデータパケットが、前記ホッピングパターンの２つのサブデータパケットの間に配置されるとともに、受信の確認が送信されるように、
ホッピングパターンを用いて、
‐前記第１のホッピングパターンを用いている、前記第１のクラスの前記データ
‐または、前記第２のホッピングパターンを用いている、前記第２のクラスの前記    データ
の受信に時間的に重複する受信パターンの確認を送信するように構成されていることを特徴とする、請求項４４に記載のデータ受信機。
【請求項４６】
前記第１のクラスの前記データは、チャンネルで符号化され、前記第１のクラスの前記チャンネルで符号化されたデータは、エラーのない送信の中で、サブデータパケットの第１のグループのみが、前記第１のクラスの前記データの成功した復号化のために必要とされるように、及びエラーのない送信の中で、より高い符号化利得が、サブデータパケットの前記第１のグループ及び第２のグループの組み合わせを通じて達成されるように、前記第１の複数のサブデータパケット上に割り振られ、サブデータパケットの前記第１のグループは、サブデータパケットの前記第２のグループよりも時間的に前に転送されるように構成されており、
前記データ受信機は、前記第１のクラスの前記データを得るために、サブデータパケットの前記第１のグループとともに受信された前記チャンネル符号化されたデータの第１の部分を復号化して、及び、もし、前記第１のクラスの前記データの復号化が成功しなければ、より高い符号化利得を達成するために、サブデータパケットの少なくとも第２のグループとともに受信された前記チャンネル符号化されたデータの少なくとも第２の部分を、前記チャンネル符号化されたデータの前記第１の部分と組み合わせるように、及び前記第１のクラスの前記データを得るために、同じものを復号化するように構成されていることを特徴とする、請求項３５ないし請求項４５のうちのいずれか１つに記載のデータ受信機。
【請求項４７】
前記第１のクラスの前記データは、コア情報と、拡張情報と、を備え、サブデータパケットの第１のグループは、前記コア情報を備え、及びサブデータパケットの第２のグループは、前記拡張情報を備えるように、前記第１のクラスの前記データは、前記第１の複数のサブデータパケット上に分割され、サブデータパケットの前記第１のグループは、サブデータパケットの前記第２のグループよりも時間的に前に転送され、
前記データ受信機は、サブデータパケットの前記第１のグループを最初に受信し、及び
前記拡張情報の前に前記コア情報を得るために、サブデータパケットの前記第２のグループをその次に受信するように構成されていることを特徴とする、請求項３５ないし請求項４６のうちのいずれか１つに記載のデータ受信機。
【請求項４８】
前記第１のホッピングパターンは、データ送信機のアドレス情報、または、そこから導出された情報を用いて計算され、それによって、前記第１のホッピングパターンそれ自身は、前記データ送信機を識別し、
前記データ受信機は、前記第１のホッピングパターンに基づいて、前記データ送信機を識別するように構成されていることを特徴とする、請求項３５ないし請求項４７のうちのいずれか１つに記載のデータ受信機。
【請求項４９】
前記第１のホッピングパターンは、さらに、前記データ送信機の時間依存性の、または、さらに従属した情報を用いて、計算され、
前記時間依存性の、または、さらに従属した情報は、前記データ受信機に知られ、または、複数の前記サブデータパケット、または、異なるデータパケットのうちの少なくとも１つで暗号化されて、転送されることを特徴とする、請求項４８に記載のデータ送信機。
【請求項５０】
前記データ受信機は、前記データ送信機から、あらかじめ、前記第１のホッピングパターンについて符号化された、または、暗号化された情報を受信するように構成されていることを特徴とする、請求項４８ないし請求項４９のうちのいずれか１つに記載のデータ受信機。
【請求項５１】
前記データ受信機は、前記第１のホッピングパターンをデータ送信機に割り当てるように構成されていることを特徴とする、請求項３５ないし請求項５０のうちのいずれか１つに記載のデータ受信機。
【請求項５２】
前記データ受信機は、データ送信機に、通信ネットワークの範囲内で、前記データ送信機を明確に識別するアドレス情報よりも短い、短いアドレス情報を割り当てるように構成されており、
前記データ受信機は、前記短い情報に基づいて、前記データ送信機を識別するように構成されていることを特徴とする、請求項３５ないし請求項５１のうちのいずれか１つに記載のデータ受信機。
【請求項５３】
前記データ受信機は、使用する周波数、および／または、優先順位に従って、前記第１のホッピングパターンを、データ送信機に割り当てるように構成されていることを特徴とする、請求項３５ないし請求項５２のうちのいずれか１つに記載のデータ受信機。
【請求項５４】
チャンネル符号化されたデータを受信するデータ受信機であって、前記チャンネルで符号化されたデータは、複数のサブデータパケット上に分割され、及びホッピングパターンに従って割り振られて転送され、前記データは、エラーのない送信で、サブデータパケットの第１のグループだけが、前記データの成功した復号化のために必要とされるように、チャンネル符号化され、及び複数の前記サブデータパケット上に分割され、サブデータパケットの前記第１のグループの前記サブデータパケットの間の送信休止は、サブデータパケットの前記第１のグループよりも後に送信されたサブデータパケットの第２のグループのサブデータパケットの間の送信休止よりも小さく、
前記データ受信機は、サブデータパケットの少なくとも前記第１のグループを受信し、及び前記データを得るために、サブデータパケットの前記第１のグループとともに受信された前記チャンネルで符号化されたデータの一部を復号化するように構成されており、
前記データ受信機は、もし、前記データの復号化が成功しなかったら、より高い符号化利得を達成するために、サブデータパケットの少なくとも第２のグループとともに受信された前記チャンネル符号化されたデータの少なくとも第２の部分を、前記チャンネルで符号化された前記第１の部分と組み合わせて、及び前記データを得るために、前記同じものを復号化するように構成されていることを特徴とする、データ受信機。
【請求項５５】
複数のサブデータパケット上に分割され、及び第１のホッピングパターンを用いて、及び第２のホッピングパターンを繰り返し用いて、転送されたデータを受信するように構成されたデータ受信機であって、
前記第１のホッピングパターンに従って転送されたサブデータパケットの間の送信休止は、前記第２のホッピングパターンに従って転送されたサブデータパケットの間の送信休止よりも小さいことを特徴とする、データ受信機。
【請求項５６】
前記第１のホッピングパターンは、２つの分離した周波数帯域の全体に広がることを特徴とする、請求項５５に記載のデータ受信機。
【請求項５７】
前記データ受信機は、２つの分離した周波数帯域で、２回、前記第１のホッピングパターンを用いて、前記データを受信するように構成されていることを特徴とする、請求項５５ないし請求項５６のうちのいずれか１つに記載のデータ受信機。
【請求項５８】
前記データ受信機は、２つの分離した周波数帯域で、前記第２のホッピングパターンを用いて、前記データを受信するように構成されていることを特徴とする、請求項５５ないし請求項５７のうちのいずれか１つに記載のデータ受信機。
【請求項５９】
前記データ受信機は、２つの分離した周波数帯域で、２回、前記第２のホッピングパターンを用いて、前記データを受信するように構成されていることを特徴とする、請求項５５ないし請求項５８のうちのいずれか１つに記載のデータ受信機。
【請求項６０】
前記データ受信機は、前記第１のホッピングパターンを用いて、及び前記第２のホッピングパターンを繰り返し用いて、インターリーブ方法で、前記データを受信し、それによって、前記第２のホッピングパターンの少なくとも１つのホップは、前記第１のホッピングパターンの２つのホップの間に配置されることを特徴とする、請求項５５ないし請求項５９のうちのいずれか１つに記載のデータ受信機。
【請求項６１】
データパケットを用いて送信された、第１のクラスのデータを受信するように構成されたデータ受信機であって、前記データ受信機は、第１のホッピングパターンに従って、複数のデータパケット上に分割され、及び前記複数のサブデータパケットを繰り返し用いて転送された、前記データを受信するように構成されており、
前記データ受信機は、前記データパケットの前記受信と、複数の前記サブデータパケットの間の時間間隔内に、受信の確認を送信するように構成されており、
前記第１のホッピングパターンに従って受信したサブデータパケットの間の送信休止は、前記第２のホッピングパターンに従って受信したサブデータパケットの間の送信休止よりも小さいことを特徴とする、データ受信機。
【請求項６２】
前記データ受信機は、さらなるデータパケットを繰り返し用いて、前記第１のクラスの前記データを受信するように構成されていることを特徴とする、請求項６１に記載のデータ受信機。
【請求項６３】
前記データ受信機は、時間的なインターリーブ方法で、前記さらなるデータパケットを用いて、及び複数の前記サブデータパケットを用いて、前記第１のクラスの前記データを受信し、それによって、前記さらなるデータパケットは、複数の前記サブデータパケットのうちの２つの間に時間的に配置されることを特徴とする、請求項６２に記載のデータ受信機。
【請求項６４】
前記データ受信機は、前記データパケットの前記受信と、複数の前記サブデータパケットの間の時間間隔の間に、受信の確認を送信するように構成されていることを特徴とする、請求項６１ないし請求項６３のうちのいずれか１つに記載のデータ受信機。
【請求項６５】
前記データ受信機は、第２のホッピングパターンを用いて、第２の複数のサブデータパケット上に分割されて転送された第２のクラスのデータを受信するように構成されており、
前記第１のホッピングパターンに従って送信された、２つのサブデータパケット間の送信休止は、前記第２のホッピングパターンに従って送信された、サブデータパケット間の送信休止よりも小さいことを特徴とする、請求項５４ないし請求項６４のうちのいずれか１つに記載のデータ受信機。
【請求項６６】
前記第１のホッピングパターンは、互いの時間がシフトした、および／または、周波数がシフトしたバージョンである、複数のサブホッピングパターンを備え、
前記データ受信機は、複数の前記サブホッピングパターンに従って、前記第１の複数のサブデータパケットを受信するように構成されており、
複数の前記サブホッピングパターンは、異なるホッピングパターンに割り当てられたサブデータパケットが交互に転送されるように、互いにインターリーブされることを特徴とする、請求項３５ないし請求項６５のうちのいずれか１つに記載のデータ受信機。
【請求項６７】
請求項１ないし請求項３４のうちのいずれか１つに記載のデータ送信機と、及び
請求項３５ないし請求項６６のうちのいずれか１つに記載のデータ受信機と、
を備えたシステム。
【請求項６８】
第１のクラスのデータをデータ送信機からデータ受信機に転送するステップであって、前記第１のクラスの前記データは、第１のホッピングパターンを用いて、第１の複数のサブデータパケット上に分割されて送信されるステップと、
第２のクラスのデータを前記データ送信機、または、異なるデータ送信機から前記データ受信機に送信するステップであって、前記第２のクラスの前記データは、第２のホッピングパターンを用いて、第２の複数のサブデータパケット上に分割されて送信されるステップと、
を備える送信方法であって、
前記第１のホッピングパターンに従って送信されたサブデータパケットの間の送信休止は、前記第２のホッピングパターンに従って送信されたサブデータパケットの間の送信休止よりも小さいことを特徴とする、送信方法。
【請求項６９】
請求項６８に記載の前記方法を実行するためのコンピュータプログラム。
【請求項７０】
複数のサブデータパケット上に分割されたデータを、ホッピングパターンに従って、時間、および／または、周波数に割り振って、送信するように構成された、データ送信機であって、前記ホッピングパターンは、時間ホッピングパターン、周波数ホッピングパターン、または、前記時間ホッピングパターン及び前記周波数ホッピングパターンの組み合わせであり、前記時間ホッピングパターンは、以下の表に示された、２４ホップを有する、前記時間ホッピングパターンであり、
2021510016.tif 000100
前記表の中の前記行は、前記時間ホッピングパターンであり、前記表の中のそれぞれの縦の列は、第２のホップから始まっている前記時間ホッピングパターンのホップであり、それによって、それぞれの時間ホッピングパターンは、２４ホップと、を備え、前記表の中のそれぞれのセルは、―好ましくは、複数の―シンボル継続期間―の中の、すぐ次のホップの同じ参照ポイントに至るまでの、それぞれのホップの参照ポイントの時間間隔を示しており、
前記周波数ホッピングパターンは、以下の前記表に示された、２４ホップを有する、前記周波数ホッピングパターンであり、
2021510016.tif 000101
前記表の中の前記行は、前記周波数ホッピングパターンであり、前記表の中のそれぞれの縦の列は、前記周波数ホッピングパターンのホップであり、前記表の中のそれぞれのセルは、ＵＣＧ＿Ｃ０からＵＣＧ＿Ｃ２３のキャリアの中の前記周波数ホッピングパターンのそれぞれの前記ホップの送信周波数を示していることを特徴とする、データ送信機。
【請求項７１】
前記データは、第１のクラスであり、複数の前記サブデータパケットは、第１の複数のサブデータパケットであり、及び前記ホッピングパターンは、第１のホッピングパターンであり、
前記データ送信機は、第２の複数のサブデータパケット上に第２のクラスのデータを分割し、第２のホッピングパターンを用いて、前記第２の複数のサブデータパケットを送信するように構成されており、
前記第１のホッピングパターンに従って送信されたサブデータパケットの間の送信休止は、前記第２のホッピングパターンに従って送信されたサブデータパケットの間の送信休止よりも小さく、および／または、前記第１のホッピングパターンに従って送信されたサブデータパケットは、前記第２のホッピングパターンに従って送信されたサブデータパケットよりも短いことを特徴とする、請求項７０に記載のデータ送信機。
【請求項７２】
複数のサブデータパケット上に分割されて、及びホッピングパターンに従って、時間、および／または、周波数に割り振られて、転送されたデータを受信するように構成された、データ受信機であって、前記ホッピングパターンは、時間ホッピングパターン、周波数ホッピングパターン、または、前記時間ホッピングパターン及び前記周波数ホッピングパターンの組み合わせであり、前記時間ホッピングパターンは、以下の表で示される、２４ホップを有する、前記時間ホッピングパターンであり、
2021510016.tif 000102
前記表の中の前記行は、前記時間ホッピングパターンであり、前記表の中のそれぞれの縦の列は、第２のホップから始まっている前記時間ホッピングパターンのホップであり、それによって、それぞれの時間ホッピングパターンは、２４ホップを備え、前記表の中のそれぞれのセルは、―好ましくは、複数の―シンボル継続期間―の中の、すぐ次のホップの同じ参照ポイントに至るまでの、それぞれのホップの参照ポイントの時間間隔を示しており、
前記周波数ホッピングパターンは、以下の前記表に示された、２４ホップを有する、前記周波数ホッピングパターンであり、
2021510016.tif 000103
前記表の中の前記行は、前記周波数ホッピングパターンであり、前記表の中のそれぞれの縦の列は、前記周波数ホッピングパターンのホップであり、前記表の中のそれぞれのセルは、ＵＣＧ＿Ｃ０からＵＣＧ＿Ｃ２３のキャリアの中の前記周波数ホッピングパターンのそれぞれの前記ホップの送信周波数を示していることを特徴とする、データ受信機。
【請求項７３】
前記データは、第１のクラスであり、複数の前記サブデータパケットは、第１の複数のサブデータパケットであり、及び前記ホッピングパターンは、第１のホッピングパターンであり、
前記データ受信機は、第２の複数のサブデータパケット上に分割され、第２のホッピングパターンに従って、時間、または、周波数で分配されて、送信された第２のクラスのデータを受信するように構成されており、
前記第１のホッピングパターンに従って受信されたサブデータパケットの間の送信休止は、前記第２のホッピングパターンに従って受信されたサブデータパケットの間の送信休止よりも小さく、および／または、前記第１のホッピングパターンに従って送信されたサブデータパケットは、前記第２のホッピングパターンに従って送信されたサブデータパケットよりも短いことを特徴とする、請求項７２に記載のデータ受信機。
【請求項７４】
ホッピングパターンを用いる、データ送信であって、
前記ホッピングパターンは、時間ホッピングパターン、周波数ホッピングパターン、または、前記時間ホッピングパターン及び前記周波数ホッピングパターンの組み合わせであり、
前記時間ホッピングパターンは、以下の前記表に示された、２４ホップを有する、前記時間ホッピングパターンであり、
2021510016.tif 000104
前記表の中の前記行は、前記時間ホッピングパターンであり、前記表の中のそれぞれの縦の列は、第２のホップから始まっている前記時間ホッピングパターンのホップであり、それによって、それぞれの時間ホッピングパターンは、２４ホップを備え、前記表の中のそれぞれのセルは、―好ましくは、複数の―シンボル継続期間―の中の、すぐ次のホップの同じ参照ポイントに至るまでの、それぞれの前記ホップの参照ポイントの時間間隔を示しており、
前記周波数ホッピングパターンは、以下の前記表に示された、２４ホップを有する、前記周波数ホッピングパターンであり、
2021510016.tif 000105
前記表の中の前記行は、前記周波数ホッピングパターンであり、前記表の中のそれぞれの縦の列は、前記周波数ホッピングパターンのホップであり、前記表の中のそれぞれのセルは、ＵＣＧ＿Ｃ０からＵＣＧ＿Ｃ２３のキャリアの中の前記周波数ホッピングパターンのそれぞれの前記ホップの送信周波数を示していることを特徴とする、データ送信。
【請求項７５】
ホッピングパターンを用いる、データ受信であって、
前記ホッピングパターンは、時間ホッピングパターン、周波数ホッピングパターン、または、前記時間ホッピングパターン及び前記周波数ホッピングパターンの組み合わせであり、
前記時間ホッピングパターンは、以下の前記表に示された、２４ホップを有する、前記時間ホッピングパターンであり、
2021510016.tif 000106
前記表の中の前記行は、前記時間ホッピングパターンであり、前記表の中のそれぞれの縦の列は、第２のホップから始まっている前記時間ホッピングパターンのホップであり、それによって、それぞれの時間ホッピングパターンは、２４ホップを備え、前記表の中のそれぞれのセルは、―好ましくは、複数の―シンボル継続期間―の中の、すぐ次のホップの同じ参照ポイントに至るまでの、それぞれのホップの参照ポイントの時間間隔を示しており、
前記周波数ホッピングパターンは、以下の前記表に示された、２４ホップを有する、前記周波数ホッピングパターンであり、
2021510016.tif 000107
前記表の中の前記行は、前記周波数ホッピングパターンであり、前記表の中のそれぞれの縦の列は、前記周波数ホッピングパターンのホップであり、前記表の中のそれぞれのセルは、ＵＣＧ＿Ｃ０からＵＣＧ＿Ｃ２３のキャリアの中の前記周波数ホッピングパターンのそれぞれの前記ホップの送信周波数を示していることを特徴とする、データ受信。
【請求項７６】
第１の複数のサブデータパケット上に第１のクラスのデータを分割し、及び第１のホッピングパターンを用いて、前記第１の複数のサブデータパケットを送信するように構成されたデータ送信機であって、前記データ送信機は、第２の複数のサブデータパケット上に第２のクラスのデータを分割し、及び第２のホッピングパターンを用いて、前記第２の複数のサブデータパケットを送信するように構成されており、
前記第１のホッピングパターンに従って送信されたサブデータパケットの間の送信休止は、前記第２のホッピングパターンに従って送信されたサブデータパケットの間の送信休止よりも小さく、および／または、前記第１のホッピングパターンに従って送信されたサブデータパケットは、前記第２のホッピングパターンに従って送信されたサブデータパケットよりも短く、
前記データ送信機は、前記第１のクラスのデータをチャンネル符号化し、及び第１のホッピングパターンを用いて、同じものを送信するように構成されており、前記データ送信機は、エラーのない送信で、サブデータパケットの第１のグループだけが、前記第１のクラスの前記データの成功した復号化のために必要とされるように、及びエラーのない送信で、より高い符号化利得が、サブデータパケットの前記第１のグループとサブデータパケットの第２のグループの組み合わせを通じて達成されるように、前記第１の複数のサブデータパケット上に、前記第１のクラスの前記チャンネルで符号化されたデータを割り振るように構成されており、サブデータパケットの前記第１のグループは、サブデータパケットの前記第２のグループよりも時間的に前に送信されることを特徴とする、データ送信機。
【請求項７７】
第１のホッピングパターンを用いて、第１の複数のサブデータパケット上に分割されて、送信された第１のクラスのデータを受信するように構成されたデータ受信機であって、前記データ受信機は、第２のホッピングパターンを用いて、第２の複数のサブデータパケット上に分割されて送信された第２のクラスのデータを受信するように構成されており、
前記第１のホッピングパターンに従って受信されたサブデータパケットの間の送信休止は、前記第２のホッピングパターンに従って受信されたサブデータパケットの間の送信休止よりも小さく、および／または、前記第１のホッピングパターンに従って送信されたサブデータパケットは、前記第２のホッピングパターンに従って送信されたサブデータパケットよりも短く、
前記第１のクラスの前記データは、チャンネル符号化され、前記第１のクラスの前記チャンネル符号化されたデータは、エラーのない送信で、サブデータパケットの第１のグループだけが、前記第１のクラスの前記データの成功した復号化のために必要とされるように、及びエラーのない送信で、より高い符号化利得が、サブデータパケットの前記第１のグループとサブデータパケットの第２のグループの組み合わせを通じて達成されるように、前記第１の複数のサブデータパケット上に割り振られ、サブデータパケットの前記第１のグループは、サブデータパケットの前記第２のグループよりも時間的に前に転送され、
前記データ受信機は、前記第１のクラスの前記データを得るために、サブデータパケットの前記第１のグループとともに受信された、前記チャンネル符号化されたデータの第１の部分を復号化するように構成されており、及びもし、前記第１のクラスの前記データの復号化が成功しなければ、より高い符号化利得を達成するために、少なくともサブデータパケットの第２のグループとともに受信された前記チャンネル符号化されたデータの少なくとも第２の部分を、前記チャンネル符号化されたデータの前記第１の部分と組み合わせ、及び前記第１のクラスの前記データを得るために、前記同じものを復号化するように構成されていることを特徴とする、データ受信機。
【国際調査報告】
2021510016.tif 000108
2021510016.tif 000109
2021510016.tif 000110
2021510016.tif 000111